(57)【要約】【課題】大当りに対する遊技者の期待感を持続させゲームの興趣性を向上させることができる技術の提供。【解決手段】図柄の変動表示演出の初期段階でリーチ発生前予告演出の実行が開始され、予め定められた順序に従って数段階進行した時点で中断される。この中断が解除され再開されるまでの間は、リーチ発生前予告演出の絵柄画像が中断された時点で表示されていた態様のままメイン液晶表示器４２の奥側にあたかも固まったように表示され続ける。この絵柄画像の手前側では追加予告演出の実行が開始される。遊技者は追加予告演出の実行過程でアイテムを獲得する機会が複数回付与され、演出切替ボタン４５の押し込み操作によりアイテムを獲得できる。獲得したアイテムが再開後のリーチ発生前予告演出又は変動表示演出に連動されて遊技者に有利に働くよう見せることにより、遊技者の大当りに対する期待感の維持が可能となる。【選択図】図４５
2019136524.tif 000002
【特許請求の範囲】
【請求項１】
遊技中に抽選契機が発生すると内部抽選を実行する抽選実行手段と、
前記内部抽選が実行されると、所定の変動時間に亘って図柄を変動表示させた後に前記内部抽選の結果を表す態様で図柄を停止表示させる図柄表示手段と、
前記変動時間内に前記図柄表示手段による図柄の変動表示に対応させた変動表示演出を実行した後、前記図柄表示手段による図柄の停止表示に対応させた停止表示演出を実行する図柄演出実行手段と、
前記変動表示演出の実行中に、時間の経過に伴い態様が変化する変動中予告演出を実行する変動中予告演出実行手段と、
前記変動中予告演出の実行中に前記変動中予告演出の態様の変化を途中で停止させる予告演出停止手段と、
前記変動中予告演出の態様の変化が停止している間に、前記変動中予告演出の態様に対して追加の変化を与えうる所定の要素を出現させる追加予告演出を実行する追加予告演出実行手段と
を備えた遊技機。
【発明の詳細な説明】
【技術分野】
【０００１】
本発明は、図柄の変動表示中に予告演出を実行する遊技機に関する。
【背景技術】
【０００２】
従来、この種の遊技機においては、図柄の変動表示が開始した後に遊技者の大当りに対する期待感を維持していくため、様々な工夫が試みられている。例えば、段階進行予告演出と再変動予告演出とを組み合わせ、特別図柄の変動が開始されてから演出図柄が仮停止されるまでの間に１段階目の段階進行予告演出を実行し、再変動予告演出による演出図柄の仮停止中に、２段階目の段階進行予告演出を実行する遊技機が知られている（例えば、特許文献１参照。）。
【０００３】
先行技術の遊技機は、再変動予告演出による演出図柄の仮停止中に２段階目の段階進行予告演出を実行することにより、１段階目の段階進行予告演出の進行が停止したことで「今回の変動では大当りしない可能性が大」との予測から、期待感を喪失しかけている遊技者に意外性を与え、引き続き期待感をもって遊技に集中させることができる。したがって、どのような長さの変動時間が選択されている場合であっても、段階進行予告演出が次の段階に進む余地を残し、大当りに対する期待感を維持することができる。
【先行技術文献】
【特許文献】
【０００４】
【特許文献１】特開２０１３−１７５１８号公報
【発明の概要】
【発明が解決しようとする課題】
【０００５】
上述した先行技術は、期待感を維持する予告演出の手法として依然として有用である。その上で、遊技者がこうした予告演出の流れに繰り返し接しているうちに、当初は意外なものとして捉えられていた展開がやがて予測可能になり、新鮮さが失われてしまうこともあるため、遊技者の期待感を維持するためには更なる改良が求められる。
【０００６】
そこで本発明は、期待感を持続させて興趣性を向上させることができる技術の提供を課題とする。
【課題を解決するための手段】
【０００７】
本発明は、以下の解決手段を採用する。なお、以下の括弧書中の文言はあくまで例示であり、本発明はこれに限定されるものではない。
解決手段１：本発明の遊技機は、遊技中に抽選契機が発生すると内部抽選を実行する抽選実行手段と、前記内部抽選が実行されると、所定の変動時間に亘って図柄を変動表示させた後に前記内部抽選の結果を表す態様で図柄を停止表示させる図柄表示手段と、前記変動時間内に前記図柄表示手段による図柄の変動表示に対応させた変動表示演出を実行した後、前記図柄表示手段による図柄の停止表示に対応させた停止表示演出を実行する図柄演出実行手段と、前記変動表示演出の実行中に図柄が当選の態様で停止表示される可能性があることを示唆する内容の変動中予告演出を、時間の経過に伴い態様が変化する演出パターンに基づいて実行する変動中予告演出実行手段と、前記変動中予告演出実行手段による前記変動中予告演出の実行中に前記演出パターンに基づく態様の変化を途中で停止させて前記変動中予告演出の実行を中断させる予告演出中断手段と、前記予告演出中断手段による前記変動中予告演出の実行の中断を解除し、途中で停止されていた前記演出パターンに基づく態様の変化を再開させる中断解除手段とを備える。
【０００８】
本解決手段によれば、例えば以下の流れで遊技が進行する。
（１）遊技中に抽選契機が発生すると（始動入賞口に遊技球が入球すると）、抽選契機が発生して内部抽選（特別図柄抽選）が実行される。内部抽選の実行は、始動条件（例えば図柄が変動中でなく、前回の変動が行われた場合は図柄の停止表示時間が経過しているという条件、又は、特別遊技中ではないという条件）が満たされる場合に実行される。なお、抽選契機の発生によって抽選要素（大当り決定乱数）が取得され、取得された抽選要素が記憶される態様であってもよい。抽選契機は無作為（又は偶発的、ランダム）に発生するものであり、抽選契機が無作為に発生すると、その都度、抽選要素が取得される。
【０００９】
（２）上記（１）により内部抽選が実行されると、図柄の変動表示が開始され、変動時間が経過すると停止表示される。図柄の停止表示態様は、内部抽選の結果を表すものとなる。変動時間は、例えば図柄の変動パターンに基づいて決定される。変動パターンについては、複数の変動パターンが予め規定されており、いずれかの変動パターンが選択される。変動パターンには、非リーチはずれ変動パターン、リーチ後はずれ変動パターン、リーチ後当り変動パターン等といった様々な変動パターンが含まれており、変動パターンによって変動時間（変動秒数）の長さが異なる。
【００１０】
（３）上記（１）の内部抽選の結果（又は決定された変動パターン）に基づいて演出が実行される。ここでの演出は、例えば、図柄の変動時間内に実行される変動表示演出（例えば、液晶表示器での演出図柄のスクロール表示演出）や、図柄の停止表示時間内に実行される停止表示演出（例えば、液晶表示器での演出図柄の停止表示演出）が該当する。また、演出には、変動表示演出の実行中に実行される各種のリーチ演出も含まれる。
【００１１】
（４）上記（３）による変動表示演出の実行中に、変動中予告演出が実行される。変動中予告演出は、最終的な図柄の停止表示には至っていないが、内部抽選の結果が当選である（当選の態様で図柄が停止表示される）可能性があることを事前に示唆（つまり予告）するものとして実行される。この変動中予告演出は、時間の経過に伴って態様が変化する演出パターンに基づいて実行される。したがって、予め決定された変動時間が長ければ、それだけ時間の経過も長くなり、変動中予告演出の態様の変化も大きく進むことになる。変動中予告演出は、態様が変化すれば変化するほど（変化が進むほど）、当選となる可能性の度合（いわゆる期待度）が高まるものであってもよい。この場合、「変動中予告演出の態様の変化がどこまでいくか（どの程度まで変化するか）」に対して遊技者の興味を惹きつけ、遊技意欲の維持に繋げていくことができる。
【００１２】
このように、図柄の変動表示中は「変動表示演出」と合わせて「変動中予告演出」が実行され、それぞれが当選に対する期待度をそれぞれの手法で示唆しつつ進行する。最終的に当選又は非当選を演出上で表すのは「停止表示演出」であるが、そこに至るまでの過程で「変動中予告演出」が「変動表示演出」の内容（変動表示演出の演出パターン）に対する期待度を示しつつ、「変動表示演出」によって最終的な当選に対する期待感を高めることとなる。このため「変動中予告演出」は、直接的又は間接的に当選の可能性があることを示唆するものとなる。
【００１３】
（５）その上で本解決手段は、上記（４）による「変動中予告演出」を中断させることとしている。「変動表示演出」の中断は、時間の経過に伴う態様の変化を途中で停止させるものであり、見かけ上は、あたかも態様の変化が止まってしまった（いわゆるフリーズした）かのような印象を与えるものとなる。これにより、それまで時間の経過とともに変化していた演出の態様が突然に変化しなくなるので、遊技者に見た目上のインパクトを与え、今後の成り行きに着目させることができる。なお、「中断」は、態様の変化が一時的に停止したことを実感させるのに十分な時間（例えば数秒以上）をもって行われるものとする。
【００１４】
（６）上記（５）による中断の発生後、その中断を解除して「変動中予告演出」の態様の変化を再開させる。これにより、「変動中予告演出」の開始から中断、そして中断を経て再開、といった一連の流れを遊技者に印象付け、演出に意外性を持たせることができる。
また、「変動中予告演出」が一時的な「中断」を経て「再開」されることから、再開後の成り行きに対する興味を新たにさせ、今後の展開に対する興味や遊技意欲の低下を抑えることができる。
【００１５】
解決手段２：本解決手段の遊技機は、解決手段１において、前記予告演出中断手段により前記変動中予告演出の実行が中断されている間に、前記変動中予告演出とは別の追加予告演出を実行する追加予告演出実行手段をさらに備える。
【００１６】
本解決手段によれば、以下の流れが追加される。
上記（５）による「変動中予告演出」の中断は、例えば見方によっては演出の空白時間を生じることとなる。このため本解決手段では、「変動中予告演出」が中断している間に別の「追加予告演出」を実行する。これにより、「追加予告演出」に対する注目を集め、さらに遊技者の興味を惹きつけることができる。
【００１７】
解決手段３：本解決手段の遊技機は、解決手段２において、前記追加予告演出実行手段は、前記追加予告演出の中で演出上のアイテムを出現させるものである。なお、所定の操作部材に対する操作入力を要求する内容の操作入力要求演出を実行し、前記操作入力に応じて演出上のアイテムを出現ないし獲得させるものであってもよい。
【００１８】
本解決手段によれば、「変動中予告演出」を中断させている間に、演出上で出現させたアイテムに対する興味を惹きつけ、その後の展開に対する期待感を抱かせることができる。また、操作部材に対する操作入力を要求するものであれば、単なる受け身で演出を観察するのではなく、主体的にアイテムを獲得しようとする意欲を遊技者に抱かせ、遊技に対する積極性を向上させることができる。
【００１９】
解決手段４：本解決手段の遊技機は、解決手段３において、前記中断解除手段により前記変動中予告演出の実行の中断が解除されると、前記図柄演出実行手段による前記変動表示演出の態様か、もしくは、前記変動中予告演出の前記演出パターンに基づく態様の少なくとも一方に対し、前記追加予告演出の中で出現された前記アイテムを用いて追加の変化を与える内容の連動演出を実行する連動演出実行手段をさらに備える。
【００２０】
本解決手段によれば、演出上で出現させた「アイテム」は、単にその場限りのものではなく、「変動中予告演出」の再開後に利用されることなる。これにより、出現した「アイテム」がその後の演出にどのように影響（連動）するかについて遊技者に興味を抱かせつつ、実際に「アイテム」を利用して「変動表示演出」又は「変動中予告演出」の態様に追加の変化を与えることにより、「アイテム」の出現に対する満足感や達成感を与え、より遊技性の幅を拡げることができる。
【００２１】
解決手段５：本解決手段の遊技機は、解決手段１〜４において、前記変動中予告演出実行手段は、時間の経過に伴って態様の変化が段階的に進行する演出パターンに基づいて前記変動中予告演出を実行し、前記中断解除手段は、前記予告演出中断手段により中断された時点で実行されていた前記変動中予告演出の態様の変化が進行していた段階を起点として前記演出パターンに基づく態様の変化を再開させるものである。
【００２２】
本解決手段によれば、以下の特徴が追加される。
（ａ）「変動中予告演出」の態様は、時間の経過に伴って段階的に変化が進行していく。この場合、より次の（高い）段階まで変化が進行すればするほど、それだけ期待度も高くなるものとすることができる。
（ｂ）「変動中予告演出」は、それまで態様の変化が進行していた段階をもって中断されることになる。この場合、遊技者には「どの段階まで進行していて中断したか」という意識や記憶が残った状態となる。
（ｃ）そして、「変動中予告演出」は、中断された時点での段階から態様の変化が再開する。これにより、遊技者に対して「中断時点で進行していた段階から無事に再開された」という認識を与え、中断から再開までの流れをスムーズに感じさせることができる。
【００２３】
解決手段６：あるいは、本発明の遊技機は、解決手段１〜４において、前記変動中予告演出実行手段は、時間の経過に伴って態様の変化が段階的に進行する演出パターンに基づいて前記変動中予告演出を実行し、前記中断解除手段は、前記予告演出中断手段により中断された時点で実行されていた前記変動中予告演出の態様の変化が進行していた段階よりも、次に進行させた段階から前記演出パターンに基づく態様の変化を再開させることとしてもよい。
【００２４】
本解決手段によれば、以下の特徴が追加される。
（ｉ）ここでも同様に、「変動中予告演出」の態様は、時間の経過に伴って段階的に変化が進行していく。この場合、より次の（高い）段階まで変化が進行すればするほど、それだけ期待度も高くなるものとすることができる。
（ｉｉ）また同様に、「変動中予告演出」は、それまで態様の変化が進行していた段階をもって中断されることになる。この場合、遊技者には「どの段階まで進行していて中断したか」という意識や記憶が残った状態となる。
（ｉｉｉ）「変動中予告演出」は、中断された時点の段階からではなく、これより次に進行した段階から態様の変化が再開する。これにより、遊技者に対して「中断時点で進行していた段階を超えて一歩進んだ段階から再開された」という特別な認識を与え、中断を経て再開した場合に得をした感覚（特別感、お得感）を抱かせることができる。
（ｉｖ）また、「変動中予告演出の態様の変化がどの段階まで進行したか」によって期待度が高まる場合、「変動中予告演出の中断」が発生した場合、その時点で態様の変化が次の段階まで進行することが確定する（確実になる）ため、より遊技性の幅を拡げることができる。
【発明の効果】
【００２５】
本発明は、期待感を持続させて興趣性を向上させることができる。
【図面の簡単な説明】
【００２６】
【図１】パチンコ機の正面図である。
【図２】パチンコ機の背面図である。
【図３】遊技盤ユニットを単独で示す正面図である。
【図４】遊技盤ユニットの一部を拡大して示す正面図である。
【図５】パチンコ機に装備された各種の電子機器類を示すブロック図である。
【図６】リセットスタート処理の手順例を示すフローチャート（１／２）である。
【図７】リセットスタート処理の手順例を示すフローチャート（２／２）である。
【図８】電源断発生チェック処理の手順例を具体的に示すフローチャートである。
【図９】割込管理処理の手順例を示すフローチャートである。
【図１０】スイッチ入力イベント処理の手順例を示すフローチャートである。
【図１１】第１特別図柄記憶更新処理の手順例を示すフローチャートである。
【図１２】第２特別図柄記憶更新処理の手順例を示すフローチャートである。
【図１３】取得時演出判定処理の手順例を示すフローチャートである。
【図１４】特別図柄遊技処理の構成例を示すフローチャートである。
【図１５】可変入賞装置の開放動作パターンを示す図である。
【図１６】特別図柄変動前処理の手順例を示すフローチャートである。
【図１７】はずれ時変動パターン選択テーブル（低確率非時間短縮状態）の一例を示す図である。
【図１８】はずれ時変動パターン選択テーブル（高確率時間短縮状態）の一例を示す図である。
【図１９】はずれ時変動パターン選択テーブル（高確率時間短縮状態の特殊区間）の一例を示す図である。
【図２０】はずれ時変動パターン選択テーブル（高確率非時間短縮状態）の一例を示す図である。
【図２１】はずれ時変動パターン選択テーブル（高確率非時間短縮状態の特殊区間）の一例を示す図である。
【図２２】はずれ時変動パターン選択テーブル（低確率時間短縮状態）の一例を示す図である。
【図２３】第１特別図柄大当り時停止図柄選択テーブルの構成例を示す図である。
【図２４】第２特別図柄大当り時停止図柄選択テーブルの構成例を示す図である。
【図２５】大当り時変動パターン選択テーブル（低確率非時間短縮状態）の一例を示す図である。
【図２６】大当り時変動パターン選択テーブル（高確率時間短縮状態）の一例を示す図である。
【図２７】大当り時変動パターン選択テーブル（高確率非時間短縮状態）の一例を示す図である。
【図２８】大当り時変動パターン選択テーブル（低確率時間短縮状態）の一例を示す図である。
【図２９】はずれ時変動パターン決定処理の手順例を示すフローチャートである。
【図３０】大当り時変動パターン決定処理の手順例を示すフローチャートである。
【図３１】特別図柄記憶エリアシフト処理の手順例を示すフローチャートである。
【図３２】特別図柄停止表示中処理の手順例を示すフローチャートである。
【図３３】表示出力管理処理の構成例を示すフローチャートである。
【図３４】大当り時可変入賞装置管理処理の構成例を示すフローチャートである。
【図３５】大当り時大入賞口開放パターン設定処理の手順例を示すフローチャートである。
【図３６】大当り時大入賞口開閉動作処理の手順例を示すフローチャートである。
【図３７】大当り時大入賞口閉鎖処理の手順例を示すフローチャートである。
【図３８】大当り時終了処理の手順例を示すフローチャートである。
【図３９】小当り時可変入賞装置管理処理の構成例を示すフローチャートである。
【図４０】小当り時大入賞口開放パターン設定処理の手順例を示すフローチャートである。
【図４１】小当り時大入賞口開閉動作処理の手順例を示すフローチャートである。
【図４２】小当り時大入賞口閉鎖処理の手順例を示すフローチャートである。
【図４３】小当り時終了処理の手順例を示すフローチャートである。
【図４４】特別図柄の変動表示及び停止表示に対応させた演出画像の例を示す連続図である。
【図４５】「１４ラウンド通常図柄１」等に該当した場合の大当り（当選）時に実行されるリーチ演出の流れを示す連続図である（１／３）。
【図４６】「１４ラウンド通常図柄１」等に該当した場合の大当り（当選）時に実行されるリーチ演出の流れを示す連続図である（２／３）。
【図４７】「１４ラウンド通常図柄１」等に該当した場合の大当り（当選）時に実行されるリーチ演出の流れを示す連続図である（３／３）。
【図４８】特別図柄の変動表示中に実行されるストーリーバトルリーチ演出の演出例を部分的に示す連続図である（１／１２）。
【図４９】特別図柄の変動表示中に実行されるストーリーバトルリーチ演出の演出例を部分的に示す連続図である（２／１２）。
【図５０】特別図柄の変動表示中に実行されるストーリーバトルリーチ演出の演出例を部分的に示す連続図である（３／１２）。
【図５１】特別図柄の変動表示中に実行されるストーリーバトルリーチ演出の演出例を部分的に示す連続図である（４／１２）。
【図５２】特別図柄の変動表示中に実行されるストーリーバトルリーチ演出の演出例を部分的に示す連続図である（５／１２）。
【図５３】特別図柄の変動表示中に実行されるストーリーバトルリーチ演出の演出例を部分的に示す連続図である（６／１２）。
【図５４】特別図柄の変動表示中に実行されるストーリーバトルリーチ演出の演出例を部分的に示す連続図である（７／１２）。
【図５５】特別図柄の変動表示中に実行されるストーリーバトルリーチ演出の演出例を部分的に示す連続図である（８／１２）。
【図５６】特別図柄の変動表示中に実行されるストーリーバトルリーチ演出の演出例を部分的に示す連続図である（９／１２）。
【図５７】特別図柄の変動表示中に実行されるストーリーバトルリーチ演出の演出例を部分的に示す連続図である（１０／１２）。
【図５８】特別図柄の変動表示中に実行されるストーリーバトルリーチ演出の演出例を部分的に示す連続図である（１１／１２）。
【図５９】特別図柄の変動表示中に実行されるストーリーバトルリーチ演出の演出例を部分的に示す連続図である（１２／１２）。
【図６０】演出制御処理の手順例を示すフローチャートである。
【図６１】演出図柄管理処理の手順例を示すフローチャートである。
【図６２】演出図柄変動前処理の手順例を示すフローチャートである。
【図６３】演出図柄変動中処理の手順例を示すフローチャートである。
【図６４】図柄演出実行処理の手順例を示すフローチャートである。
【図６５】予告演出実行処理の手順例を示すフローチャートである。
【図６６】予告演出中断処理の手順例を示すフローチャートである。
【図６７】予告演出中断中処理の手順例を示すフローチャートである。
【図６８】演出画面を構成するレイヤー構造を示す模式図である。
【図６９】演出画面を構成する各レイヤー群に配置される描画素材を示す模式図である。
【発明を実施するための形態】
【００２７】
以下、本発明の実施形態について、図面を参照しながら説明する。
図１は、パチンコ遊技機（以下、「パチンコ機」と略称する。）１の正面図である。また、図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照しつつパチンコ機１の全体構成について説明する。
【００２８】
〔全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００２９】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００３０】
一体扉ユニット４は、その下部位置に受け皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００３１】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００３２】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００３３】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット８が直に露出し、この状態で遊技場の管理者が盤面内での球詰まり等の障害を取り除くことができる。また、一体扉ユニット４を開放すると、受け皿ユニット６も一緒に前面側へ開放される。
【００３４】
また、パチンコ機１は、遊技用ユニットとして上記の遊技盤ユニット８を備えている。遊技盤ユニット８は、一体扉ユニット４の背後（内側）で上記の内枠アセンブリ７に支持されている。遊技盤ユニット８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、一体扉ユニット４の裏側に図示しない取り付け具を介して取り付けられる。遊技盤ユニット８の前面には遊技領域８ａ（盤面、遊技盤）が形成されており、この遊技領域８ａは窓４ａを通じて前面側から遊技者に視認可能である。一体扉ユニット４が閉じられると、ガラスユニットの内面と盤面との間に遊技球が流下できる空間が形成される。
【００３５】
受け皿ユニット６は、全体的に一体扉ユニット４から前面側へ突出した形状をなしており、その上面に上皿６ｂが形成されている。この上皿６ｂには、遊技者に貸し出された遊技球（貸球）や入賞により獲得した遊技球（賞球）を貯留することができる。また、受け皿ユニット６には、上皿６ｂの下段位置に下皿６ｃが形成されている。この下皿６ｃには、上皿６ｂが満杯の状態でさらに払い出された遊技球が貯留される。なお、本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００３６】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお、遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００３７】
また、受け皿ユニット６の上面には、上段位置にある上皿６ｂの手前に上皿球抜きボタン６ｄが設置されており、そして下皿６ｃの手前でその中央部には下皿球抜きレバー６ｅが設置されている。遊技者は上皿球抜きボタン６ｄを例えば押し込み操作することで、上皿６ｂに貯留された遊技球を下皿６ｃへ流下させることができる。また、遊技者は、下皿球抜きレバー６ｅを例えば左方向へスライドさせることで、下皿６ｃに貯留された遊技球を下方へ落下させて排出することができる。排出された遊技球は、例えば図示しない球受け箱等に受け止められる。
【００３８】
受け皿ユニット６の右下部には、ハンドルユニット１６が設置されている。遊技者はこのハンドルユニット１６を操作することで発射制御基板セット１７４を作動させ、遊技領域８ａに向けて遊技球を発射する（打ち込む）ことができる（球発射装置）。発射された遊技球は、遊技盤ユニット８の下縁部から左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面、遊技盤）の構成については、別の図面を参照しながらさらに後述する。
【００３９】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から受け皿ユニット６の前面部にまで回り込むようにして延びている。一体扉ユニット４においてガラス枠トップランプ４６や左右のガラス枠装飾ランプ４８，５０，５２等は、ガラスユニットを取り巻くようにして配置されている。
【００４０】
上述した各種ランプ４６，４８，５０，５２は、例えば内蔵するＬＥＤの発光（点灯や点滅、輝度階調の変化、色調の変化等）により演出を実行する。また、一体扉ユニット４の上部において、左トップレンズユニット４７及び右上電飾ユニット４９にはそれぞれガラス枠上スピーカ５４，５５が組み込まれている。一方、外枠ユニット２の左下位置には外枠スピーカ５６が組み込まれている。これらスピーカ５４，５５，５６は、効果音やＢＧＭ、音声等（音響全般）を出力して演出を実行するものである。
【００４１】
また、受け皿ユニット６の中央には、上皿６ｂの手前の位置に演出切替ボタン４５（操作部材）が設置されている。演出切替ボタン４５は、例えば押し込み式の円形状ボタンとその周囲に回転式のジョグリング（ジョグダイアル４５ａとして図示）を組み合わせた形態である。遊技者は、この演出切替ボタン４５を押し込み操作又は回転操作することで演出内容（例えばメイン液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００４２】
さらに、受け皿ユニット６の中央から右寄り位置には、上皿６ｂの手前に方向キー４５０が設置されている。方向キー４５０は、例えば「上」「下」「左」「右」の各方向に対応した４つのキー（ボタン）を一体化した構造であるが、各方向への操作入力が独立して可能である。このため遊技者は、方向キー４５０を操作する際は、「上」「下」「左」「右」いずれかの方向に対応したキーを押し込み操作することで、自己が意図する方向（例えば、画面上でのスクロール方向、カーソルの移動方向）を指示することができる。
【００４３】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。
【００４４】
上記の払出装置ユニット１７２は、例えば賞球タンク１７２ａ及び賞球ケース（参照符号なし）を有しており、このうち賞球タンク１７２ａは内枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００４５】
また、上記の外部端子板１６０は、パチンコ機１を外部の電子機器（例えばデータ表示装置、ホールコンピュータ等）に接続するためのものであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００４６】
電源コード１６４は、例えば遊技場の島設備に設置された電源装置（例えばＡＣ２４Ｖ）に接続されることで、パチンコ機１の動作に必要な電源（電力）を確保するものである。また、アース線１６６は、同じく島設備に設置されたアース端子に接続されることで、パチンコ機１のアース（接地）を確保するものである。
【００４７】
図３は、遊技盤ユニット８を単独で示した正面図である。遊技盤ユニット８は、ベースとなる遊技板８ｂを備えており、この遊技板８ｂの前面側に遊技領域８ａが形成されている。遊技板８ｂは、例えば透明樹脂板で構成されており、遊技盤ユニット８が内枠アセンブリ７に固定された状態で、遊技板８ｂの前面はガラスユニットに平行となる。遊技板８ｂの前面には、略円形状に設置された発射レール（参照符号なし）の内側に上記の遊技領域８ａが形成されている。
【００４８】
遊技領域８ａ内には、その中央位置に比較的大型の演出ユニット４０が配置されており、この演出ユニット４０を中心として遊技領域８ａが左側部分、右側部分及び下部分に大きく分かれている。遊技領域８ａの左側部分は、通常遊技状態（低確率状態）で使用される第１遊技領域（左打ち領域）であり、遊技領域８ａの右側部分は、有利遊技状態（大当り遊技状態、小当り遊技状態、高確率状態等）で使用される第２遊技領域（右打ち領域）である。また、遊技領域８ａ内には、演出ユニット４０の周辺に中始動入賞口２６、始動ゲート２０、普通入賞口２２，２４、可変始動入賞装置２８、第１可変入賞装置３０、第２可変入賞装置３１等が分布して設置されている。このうち中始動入賞口２６は、遊技領域８ａの下部分の中央に配置されており、始動ゲート２０、可変始動入賞装置２８及び第２可変入賞装置３１は、遊技領域８ａの右側部分に配置されている。また、第１可変入賞装置３０は、遊技領域８ａの下部分の右よりに配置されている。さらに、左側の２つの普通入賞口２２は遊技領域８ａの左側部分に配置されており、右側の２つの普通入賞口２４は遊技領域８ａの右側部分に配置されている。
【００４９】
遊技領域８ａ内に放り込まれた遊技球は、その流下の過程で始動ゲート２０を通過したり、中始動入賞口２６、普通入賞口２２，２４に入球したり、あるいは、作動時の可変始動入賞装置２８や開放動作時の第１可変入賞装置３０、開放動作時の第２可変入賞装置３１に入球したりする。ここで、遊技領域８ａの左側領域を流下する遊技球は、主に中始動入賞口２６に入球するか、普通入賞口２２に入球する可能性がある。一方、遊技領域８ａの右側領域を流下する遊技球は、主に始動ゲート２０を通過するか、作動時の可変始動入賞装置２８に入球するか、開放動作時の第１可変入賞装置３０に入球するか、開放動作時の第２可変入賞装置３１に入球するか、普通入賞口２４に入球する可能性がある。始動ゲート２０を通過した遊技球は続けて遊技領域８ａ内を流下するが、中始動入賞口２６、普通入賞口２２，２４、可変始動入賞装置２８、第１可変入賞装置３０、第２可変入賞装置３１に入球した遊技球は遊技板（遊技盤ユニット８を構成する合板材、透明板等）に形成された貫通孔を通じて遊技盤ユニット８の裏側へ回収される。
【００５０】
ここで、本実施形態では、遊技領域８ａ（盤面）の構成上、中始動入賞口２６や普通入賞口２２に遊技球を入球させる場合は、遊技領域８ａ内の左側部分の領域（左打ち領域）に遊技球を打ち込む（いわゆる「左打ち」を実行する）必要がある。
【００５１】
一方、可変始動入賞装置２８や、第１可変入賞装置３０、第２可変入賞装置３１、普通入賞口２４に遊技球を入球させる場合は、遊技領域８ａ内の右側部分の領域（右打ち領域）に遊技球を打ち込む（いわゆる「右打ち」を実行する）必要がある。
【００５２】
本実施形態において、上記の可変始動入賞装置２８は、所定の作動条件が満たされた場合（普通図柄が当りの態様で所定の停止表示時間にわたり停止表示された場合）に作動し、それに伴って右始動入賞口２８ａ（所定の入賞口）への入球を可能にする（普通電動役物）。可変始動入賞装置２８は、例えば１つの開閉部材２８ｂを有しており、この開閉部材２８ｂは、例えば図示しないソレノイドを用いたリンク機構の働きにより、盤面に沿って左右方向に往復動作する。すなわち、図３中に点線で示されるように、１つの開閉部材２８ｂは先端が上を向いた状態で閉鎖位置（閉止位置）にあり、このとき右始動入賞口２８ａへの入球は不能（遊技球が入球できる隙間がない状態）となっている。一方、可変始動入賞装置２８が作動すると、開閉部材２８ｂは閉鎖位置から開放位置に向けて変位（拡開）し、右側に開口幅を拡大して右始動入賞口２８ａを開放する。この間に可変始動入賞装置２８は遊技球の入球が可能な状態となり、右始動入賞口２８ａへの入球を発生させることができる（可変始動入賞手段）。なお、このとき開閉部材２８ｂは右始動入賞口２８ａへの遊技球の入球を案内する部材としても機能する。また、遊技盤ユニット８に設置されている障害釘の配列は、基本的に可変始動入賞装置２８（開放時の右始動入賞口２８ａ）へ向かう遊技球の流下を極端に阻害しない態様となっているが、遊技球が開放動作時の可変始動入賞装置２８（右始動入賞口２８ａ）に必ず入球するというわけではなく、あくまで入球は無作為に発生する。
【００５３】
上記の第１可変入賞装置３０は、規定の条件が満たされた場合（特別図柄が大当りの態様で停止表示された場合）であって所定の第１条件（大当り遊技中の３ラウンド目から１６ラウンド目であるという条件）が満たされた場合に作動し、第１大入賞口（参照符号なし）への入賞を可能にする（特別電動役物、第１特別入賞事象発生手段）。
【００５４】
第１可変入賞装置３０は、演出ユニット４０の下方の右寄りに配置された装置であり（いわゆる下アタッカ）、例えば１つの開閉部材３０ａを有している。この開閉部材３０ａは、例えば図示しないソレノイドを用いたリンク機構の働きにより、盤面に対して前後方向に往復動作する。図示のように盤面に沿った状態で開閉部材３０ａは閉位置（閉鎖状態）にあり、このとき第１大入賞口への入賞は常に不能（第１大入賞口は閉塞中）である。第１可変入賞装置３０が作動すると、開閉部材３０ａがその下端縁部分をヒンジとして前方へ倒れ込むようにして変位し、第１大入賞口を開放する（開放状態）。この間に第１可変入賞装置３０は遊技球の流入が不能ではない状態となり、第１大入賞口への入賞という事象を発生させることができる。なお、このとき開閉部材３０ａは第１大入賞口への遊技球の流入を案内する部材としても機能する。
【００５５】
第２可変入賞装置３１は、規定の条件が満たされた場合（特別図柄が大当り又は小当りの態様で停止表示された場合）であって、所定の第２条件（大当り遊技中の１ラウンド目又は２ラウンド目であるという条件、又は、小当り遊技中の１回開放目又は２回開放目であるという条件）が満たされた場合に作動し、第２大入賞口（特定の入賞口：参照符号なし）への入賞を可能にする（特別電動役物、第２特別入賞事象発生手段）。
【００５６】
第２可変入賞装置３１は、演出ユニット４０の右下方に配置された装置であり（いわゆる右アタッカ）、例えば１つの開閉部材３１ａを有している。上記の第１可変入賞装置３０は、開閉部材３０ａが前方へ倒れこむタイプの装置を採用しているが、第２可変入賞装置３１は、開閉部材３１ａが盤面の内部にスライドするタイプの装置を採用している（スライド式のアタッカ）。そして、この開閉部材３１ａは、例えば図示しないソレノイドを用いたリンク機構の働きにより、盤面に対して前後方向に往復動作する。開閉部材３１ａは、盤面から遊技者側に突出した状態で閉位置（閉鎖状態）にあり、このとき遊技球は開閉部材３１ａの上面を転動することになるため、大入賞口への入球は不能（第２大入賞口は閉塞中）である。そして、第２可変入賞装置３１が作動すると、開閉部材３１ａが盤面の内部に引き込まれ、第２大入賞口を開放する（開放状態）。この間に第２可変入賞装置３１は遊技球の流入が不能ではない状態となり、第２大入賞口への入球という事象を発生させることができる。
【００５７】
〔確変領域（特定領域）〕
また、第２可変入賞装置３１の内部には、第２大入賞口とは別に、確変領域（参照符号なし）が設けられている。確変領域は、第２可変入賞装置３１が閉鎖状態である場合は遊技球が通過不能な領域であり、第２可変入賞装置３１が開放状態である場合は遊技球が通過可能な領域である。また、確変領域の上方には、確変領域に遊技球を導く確変領域用スライド部材３３０（図６参照）が配置されており、大当り遊技中の特定のタイミング（１ラウンド目及び２ラウンド目）で確変領域用スライド部材３３０を作動させることにより、遊技球を確変領域に導くことができる。
【００５８】
〔入賞装置ユニット〕
遊技盤ユニット８の右下部分には、入賞装置ユニット３００が配置されている。入賞装置ユニット３００は、上記の第２可変入賞装置３１を含んでいる。入賞装置ユニット３００には、右打ちされた遊技球のうち作動中の可変始動入賞装置２８に入球しなかった全ての遊技球が通過する特殊通路（図３中、矢印Ｂ参照）が形成されている。そして、この特殊通路上に、第２可変入賞装置３１の開閉部材３１ａが配置されているため、開閉部材３１ａがスライドして第２可変入賞装置３１が開放状態にある場合には、特殊通路（図３中、矢印Ｂ参照）を通過する全ての遊技球が第２可変入賞装置３１に入球することになる。なお、入賞装置ユニット３００の詳細については後述する。
【００５９】
遊技盤ユニット８には、その中央位置から右側部分にかけて上記の演出ユニット４０が設置されている。演出ユニット４０は、その上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤ユニット８の装飾性を高めるとともに、例えば内蔵された発光器（ＬＥＤ等）により透過光を発することで、演出的な動作をすることができる。
また、演出ユニット４０の内側にはメイン液晶表示器４２（画像表示器）が設置されており、このメイン液晶表示器４２には特別図柄に対応させた演出図柄をはじめ、各種の演出画像が表示される。
【００６０】
このように遊技盤ユニット８は、その盤面の構成や演出ユニット４０の装飾性に基づいて、遊技者にパチンコ機１の特徴を印象付けている。また、本実施形態のように遊技板８ｂが透明樹脂板（例えばアクリル板）である場合、前面側だけでなく遊技板８ｂの背後に配置された各種の装飾体（可動体や発光体を含む）による装飾性を付加することができる。
【００６１】
その他に演出ユニット４０の内部には、演出用の可動体４０ｆ（例えば回転ランプ型の装飾物）とともに駆動源（例えばモータ、ソレノイド等）及び発光体（ＬＥＤ）が付属している。演出用の可動体４０ｆは、メイン液晶表示器４２による画像を用いた演出や発光器による演出に加えて、有形物の動作を伴う演出を実行することができる。これら可動体４０ｆを用いた演出により、二次元の画像を用いた演出とは別の訴求力を発揮することができる。
【００６２】
また、演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｋが形成されており、転動ステージ４０ｅから球放出路４０ｋに案内された遊技球は、その真下にある中始動入賞口２６に流入しやすくなる。
【００６３】
その他、遊技領域８ａ内にはアウト口３２が形成されており、各種入賞口に入球（入賞）しなかった遊技球は最終的にアウト口３２を通じて遊技盤ユニット８の裏側へ回収される。また、普通入賞口２２，２４や中始動入賞口２６、右始動入賞口２８ａ、第１可変入賞装置３０、第２可変入賞装置３１に入球した遊技球も含めて、遊技領域８ａ内に打ち込まれた全ての遊技球は遊技盤ユニット８の裏側へ回収される。回収された遊技球は、図示しないアウト通路アセンブリを通じてパチンコ機１の裏側から枠外へ排出され、さらに図示しない島設備の補給経路に合流する。
【００６４】
図４は、遊技盤ユニット８の一部（窓４ａ内の左下位置）を拡大して示す正面図である。すなわち遊技盤ユニット８には、例えば窓４ａ内の左下位置に普通図柄表示装置３３及び普通図柄作動記憶ランプ３３ａが設けられている他、第１特別図柄表示装置３４（第１図柄表示手段）、第２特別図柄表示装置３５（第２図柄表示手段）及び遊技状態表示装置３８が設けられている。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。なお、ここでは２つのランプ（ＬＥＤ）を使用することとしているが、４つのランプ（ＬＥＤ）を使用して普通図柄作動記憶ランプ３３ａを構成してもよい。この場合、点灯するランプの個数で作動記憶数を表示することができる。
【００６５】
普通図柄作動記憶ランプ３３ａは、上記の始動ゲート２０を遊技球が通過すると、その都度、作動抽選の契機となる通過が発生したことを記憶する意味で１個ずつ増加後の表示態様へと変化していき（最大４個まで）、その通過を契機として普通図柄の変動が開始されるごとに１個ずつ減少後の表示態様へと変化していく。なお、本実施形態では、普通図柄作動記憶ランプ３３ａが未点灯（記憶数が０個）の場合、普通図柄が既に変動開始可能な状態（停止表示時）で始動ゲート２０を遊技球が通過しても表示態様は変化しない。すなわち、普通図柄作動記憶ランプ３３ａの表示態様によって表される記憶数（最大４個）は、その時点で未だ普通図柄の変動が開始されていない通過の回数を表している。
【００６６】
また、第１特別図柄表示装置３４及び第２特別図柄表示装置３５は、例えばそれぞれ７セグメントＬＥＤ（ドット付き）により、対応する第１特別図柄又は第２特別図柄の変動状態と停止状態とを表示することができる（図柄表示手段）。なお、第１特別図柄表示装置３４や第２特別図柄表示装置３５は、複数のドットＬＥＤを幾何学的（例えば円形状）に配列した形態であってもよい。
【００６７】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【００６８】
第１特別図柄作動記憶ランプ３４ａは、中始動入賞口２６に遊技球が入球するごとに、中始動入賞口２６に遊技球が入球したことを記憶する意味で１個ずつ増加後の表示態様へと変化していき（最大４個まで）、その入球を契機として特別図柄の変動が開始されるごとに１個ずつ減少後の表示態様へと変化していく。また、第２特別図柄作動記憶ランプ３５ａは、可変始動入賞装置２８に遊技球が入球するごとに、右始動入賞口２８ａに遊技球が入球したことを記憶する意味で１個ずつ増加後の表示態様へと変化し（最大４個まで）、その入球を契機として特別図柄の変動が開始されるごとに１個ずつ減少後の表示態様へと変化する。なお、本実施形態では、第１特別図柄作動記憶ランプ３４ａが未点灯（記憶数が０個）の場合、第１特別図柄が既に変動開始可能な状態（停止表示時）で中始動入賞口２６に遊技球が入球しても表示態様は変化しない。また、第２特別図柄作動記憶ランプ３５ａが未点灯（記憶数が０個）の場合、第２特別図柄が既に変動開始可能な状態（停止表示時）で可変始動入賞装置２８に遊技球が入球しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入球の回数を表している。
【００６９】
また、遊技状態表示装置３８には、例えば大当り種別表示ランプ３８ａ，３８ｂ、確率変動状態表示ランプ３８ｄ、発射位置指定ランプ３８ｆにそれぞれ対応するＬＥＤが含まれている。なお、本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤ユニット８に取り付けられている。
【００７０】
〔制御上の構成〕
次に、パチンコ機１の制御に関する構成について説明する。図５は、パチンコ機１に装備された各種の電子機器類を示すブロック図である。パチンコ機１は、制御動作の中枢となる主制御装置７０（主制御用コンピュータ）を備えており、この主制御装置７０は主に、パチンコ機１における遊技の進行を制御する機能を有している。なお、主制御装置７０は、上記の主制御基板ユニット１７０に内蔵されている。
【００７１】
また、主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また、主制御装置７０には、乱数発生器７５やサンプリング回路７７が装備されている。このうち乱数発生器７５は、特別図柄抽選の大当り判定用や普通図柄抽選の当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお、回路基板上（又は内層部分）には、信号伝送経路や電源供給経路、制御用バス等が配線パターンとして形成されている。
【００７２】
上述した始動ゲート２０には、遊技球の通過を検出するためのゲートスイッチ７８が一体的に設けられている。また、遊技盤ユニット８には、中始動入賞口２６、可変始動入賞装置２８、第１可変入賞装置３０及び第２可変入賞装置３１にそれぞれ対応して中始動入賞口スイッチ８０、右始動入賞口スイッチ８２、第１カウントスイッチ８４及び第２カウントスイッチ８５が装備されている。各始動入賞口スイッチ８０，８２は、中始動入賞口２６、可変始動入賞装置２８（右始動入賞口２８ａ）への遊技球の入球を検出するためのものである。また、第１カウントスイッチ８４は、第１可変入賞装置３０（第１大入賞口）への遊技球の入球を検出し、その数をカウントするためのものである。さらに、第２カウントスイッチ８５は、第２可変入賞装置３１（第２大入賞口３１ｂ）への遊技球の入球を検出し、その数をカウントするためのものである。さらに、確変領域スイッチ９５は、第２可変入賞装置３１の内部に配置された確変領域を遊技球が通過したことを検出するためのスイッチである（検出手段）。同様に遊技盤ユニット８には、普通入賞口２２，２４への遊技球の入球を検出する入賞口スイッチ８６が装備されている。なお、ここでは全ての普通入賞口２２，２４について共通の入賞口スイッチ８６を用いる構成を例に挙げているが、例えば盤面の左右で別々の入賞口スイッチ８６を設置し、左側の入賞口スイッチ８６では盤面の左側に位置する普通入賞口２２に対する遊技球の入球を検出し、右側の入賞口スイッチ８６では盤面の右側に位置する普通入賞口２４に対する遊技球の入球を検出することとしてもよい。
【００７３】
いずれにしても、これらスイッチ類の入賞検出信号は、図示しない入出力ドライバを介して主制御ＣＰＵ７２に入力される。なお、遊技盤ユニット８の構成上、本実施形態ではゲートスイッチ７８、第１カウントスイッチ８４、第２カウントスイッチ８５及び入賞口スイッチ８６、確変領域スイッチ９５からの入賞検出信号は、パネル中継端子板８７を経由して送信され、パネル中継端子板８７には、それぞれの入賞検出信号を中継するための配線パターンや接続端子等が設けられている。
【００７４】
上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３５，３８及びランプ３３ａ，３４ａ，３５ａに対する制御信号を出力し、各ＬＥＤの点灯状態を制御している。また、これら表示装置３３，３４，３５，３８及びランプ３３ａ，３４ａ，３５ａは、上記のように１枚の統合表示基板８９に実装された状態で遊技盤ユニット８に設置されており、この統合表示基板８９には上記のパネル中継端子板８７を中継して主制御ＣＰＵ７２から制御信号が送信される。
【００７５】
また、遊技盤ユニット８には、可変始動入賞装置２８、第１可変入賞装置３０、第２可変入賞装置３１及び確変領域の上流にそれぞれ対応して普通電動役物ソレノイド８８、第１大入賞口ソレノイド９０、第２大入賞口ソレノイド９７及び確変領域用ソレノイド９９が設けられている。これらソレノイド８８，９０，９７，９９は主制御ＣＰＵ７２からの制御信号に基づいて動作（励磁）し、それぞれ可変始動入賞装置２８、第１可変入賞装置３０及び第２可変入賞装置３１を開閉動作（作動）させたり、確変領域用スライド部材３３０を可動させたりする。なお、これらソレノイド８８，９０，９７，９９についても上記のパネル中継端子板８７を中継して主制御ＣＰＵ７２から制御信号が送信される。
【００７６】
その他に上記の一体扉ユニット４にはガラス枠開放スイッチ９１が設置されており、また、上記の内枠アセンブリ７にはプラ枠開放スイッチ９３が設置されている。一体扉ユニット４が単独で開放されると、ガラス枠開放スイッチ９１からの接点信号が主制御装置７０（主制御ＣＰＵ７２）に入力され、また、外枠ユニット２から内枠アセンブリ７が開放されると、プラ枠開放スイッチ９３からの接点信号が主制御装置７０（主制御ＣＰＵ７２）に入力される。主制御ＣＰＵ７２は、これら接点信号から一体扉ユニット４や内枠アセンブリ７の開放状態を検出することができる。なお、主制御ＣＰＵ７２は、一体扉ユニット４や内枠アセンブリ７の開放状態を検出すると、上記の外部情報信号として扉開放情報信号を生成する。
【００７７】
パチンコ機１の裏側には、払出制御装置９２が装備されている（入賞特典付与手段）。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。なお、主制御ＣＰＵ７２は賞球指示コマンドとともに、上記の外部情報信号として賞球情報信号を生成する。
【００７８】
払出装置ユニット１７２の図示しない賞球ケース内には、払出モータ１０２（例えばステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【００７９】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また、賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。
【００８０】
また、パチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに、下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。
【００８１】
また、パチンコ機１の裏側には、発射制御基板１０８とともに発射ソレノイド１１０が設置されている。また、受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また、発射ソレノイド１１０は、発射位置に送り出された遊技球を打撃し、上記のように遊技領域８ａに向けて遊技球を１個ずつ連続的（間欠的）に打ち出す動作を行う。なお、遊技球の発射間隔は、例えば０．６秒程度の間隔（１分間で１００個以内）である。
【００８２】
一方、パチンコ機１の表側に位置する上記のハンドルユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。また、タッチセンサ１１４は、静電容量の変化から遊技者の身体がハンドルユニット１６（発射ハンドル）に触れていることを検出し、その検出信号を出力する。そして、発射停止スイッチ１１６は、遊技者の操作に応じて発射停止信号（接点信号）を生成する。
【００８３】
上記の受け皿ユニット６には発射中継端子板１１８が設置されており、発射レバーボリューム１１２やタッチセンサ１１４、発射停止スイッチ１１６からの各信号は、発射中継端子板１１８を経由して発射制御基板１０８に送信される。また、発射制御基板１０８からの駆動信号は、発射中継端子板１１８を経由して球送りソレノイド１１１に印加される。遊技者が発射ハンドルを操作すると、その操作量に応じて発射レバーボリューム１１２でアナログ信号（エンコードされたデジタル信号でもよい）が生成され、このときの信号に基づいて発射ソレノイド１１０が駆動される。これにより、遊技者の操作量に応じて遊技球を打ち出す強さが調整されるものとなっている。なお、発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、発射中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【００８４】
また、受け皿ユニット６には度数表示基板１２２及び貸出及び返却スイッチ基板１２３が内蔵されている。このうち度数表示基板１２２には、上記の度数表示部の表示器（３桁分の７セグメントＬＥＤ）が設けられている。また、貸出及び返却スイッチ基板１２３には球貸ボタン１０や返却ボタン１２にそれぞれ接続されるスイッチモジュールが実装されており、球貸ボタン１０又は返却ボタン１２が操作されると、その操作信号が貸出及び返却スイッチ基板１２３から遊技球等貸出装置接続端子板１２０を経由してＣＲユニットに送信される。また、ＣＲユニットからは、有価媒体の残り度数を表す度数信号が遊技球等貸出装置接続端子板１２０を経由して度数表示基板１２２に送信される。度数表示基板１２２上の図示しない表示回路は、度数信号に基づいて表示器を駆動し、有価媒体の残り度数を数値表示する。また、ＣＲユニットに有価媒体が投入されていなかったり、あるいは投入された有価媒体の残り度数が０になったりした場合、度数表示基板１２２の表示回路は表示器を駆動してデモ表示（有価媒体の投入を促す表示）を行うこともできる。
【００８５】
また、パチンコ機１は制御上の構成として、演出制御装置１２４（演出制御用コンピュータ）を備えている。この演出制御装置１２４は、パチンコ機１における遊技の進行に伴う演出の実行を制御する。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお、演出制御装置１２４は、パチンコ機１の裏側で上記の裏カバーユニット１７８に覆われる位置に設けられている。
【００８６】
また、演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【００８７】
演出制御装置１２４と上記の主制御装置７０とは、例えば図示しない通信用ハーネスを介して相互に接続されている。ただし、これらの間の通信は、主制御装置７０から演出制御装置１２４への一方向のみで行われ、逆方向への通信は行われない。演出制御装置１２４による制御に際しては、通信用ハーネスを通じて主制御装置７０から各種のコマンド（指令信号）が送信される。なお、通信用ハーネスには、主制御装置７０から演出制御装置１２４に対して送信される各種コマンドのバス幅に応じてパラレル形式を採用してもよいし、それぞれのドライバＩＣ（Ｉ／Ｏ）のハード構成に合わせてシリアル形式を採用してもよい。
【００８８】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお、各種ランプには、上記のガラス枠トップランプ４６やガラス枠装飾ランプ４８，５０，受け皿ランプ５２の他に、遊技盤ユニット８に設置された装飾・演出用の盤面ランプ５３が含まれる。盤面ランプ５３は上記の演出ユニットに内蔵されるＬＥＤや、可変始動入賞装置２８、第１可変入賞装置３０、第２可変入賞装置３１等に内蔵されるＬＥＤに相当するものである。なお、ここでは受け皿ランプ５２がガラス枠電飾基板１３６に接続されている例を挙げているが、受け皿ユニット６に受け皿電飾基板を設置し、受け皿ランプ５２については受け皿電飾基板を介してランプ駆動回路１３２に接続される構成であってもよい。
【００８９】
また、音響駆動回路１３４は、例えば図示しないサウンドＲＯＭや音響制御ＩＣ、アンプ等を内蔵したサウンドジェネレータであり、この音響駆動回路１３４は、ガラス枠上スピーカ５４，５５及び外枠スピーカ５６を駆動して音響出力を行う。
【００９０】
本実施形態では一体扉ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。また、ガラス枠電飾基板１３６には、上記の演出切替ボタン４５及び方向キー４５０が接続されており、遊技者が演出切替ボタン４５を操作すると、その接点信号がガラス枠電飾基板１３６を通じて演出制御装置１２４に入力される（操作信号受付手段）。さらに、ガラス枠電飾基板１３６には、上記のジョグダイアル４５ａが接続されており、遊技者がジョグダイアル４５ａを回転させると、その回転信号がガラス枠電飾基板１３６を通じて演出制御装置１２４に入力される（操作信号受付手段）。また、遊技者が方向キー４５０の各方向に対応するキー部分を押し込み操作すると、方向別の接点信号がガラス枠電飾基板１３６を通じて演出制御装置１２４に入力される（操作信号受付手段）。なお、ここではガラス枠電飾基板１３６に演出切替ボタン４５やジョグダイアル４５ａ、方向キー４５０を接続した例を挙げているが、上記の受け皿電飾基板を設置する場合、演出切替ボタン４５やジョグダイアル４５ａ、方向キー４５０は受け皿電飾基板に接続されていてもよい。
【００９１】
その他、遊技盤ユニット８にはパネル電飾基板１３８が設置されており、このパネル電飾基板１３８には盤面ランプ５３の他に可動体ソレノイド５７が接続されている。可動体ソレノイド５７は、例えば図示しないリンク機構を介して上記の可動体４０ｆを駆動する。ランプ駆動回路１３２からの駆動信号は、パネル電飾基板１３８を経由して盤面ランプ５３及び可動体ソレノイド５７にそれぞれ印加される。
【００９２】
上記のメイン液晶表示器４２は遊技盤ユニット８の裏側に設置されており、遊技盤ユニット８に形成された略矩形の開口を通じてその表示画面が視認可能となっている。
【００９３】
また、遊技盤ユニット８の裏側にはインバータ基板１５８が設置されており、このインバータ基板１５８はメイン液晶表示器４２のバックライト（例えば冷陰極管）に印加される交流電源を生成している。さらに、遊技盤ユニット８の裏側には演出表示制御装置１４４が設置されており、メイン液晶表示器４２によるそれぞれの表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。また、ＶＤＰ１５２は、図示しないプロセッサコアとともに画像ＲＯＭ１５４やＶＲＡＭ１５６等の半導体メモリを集積したＬＳＩとして構成されている。なお、ＶＲＡＭ１５６は、その記憶領域の一部をフレームバッファとして利用することができる。
【００９４】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、メイン液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【００９５】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらに、ＶＤＰ１５２は、ＶＲＡＭ１５６上で画像データを１フレーム（単位時間あたりの静止画像）ごとにフレームバッファに展開し、ここでバッファされた画像データに基づきメイン液晶表示器４２の各画素（フルカラー画素）を個別に駆動する。
【００９６】
その他、内枠アセンブリ７の裏側には電源制御ユニット１６２（電源制御手段）が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、インバータ基板１５８に分配されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。また、上記のように電源制御ユニット１６２は、アース線１６６を通じて島設備にアース（接地）されている。
【００９７】
上記の外部端子板１６０は払出制御装置９２に接続されており、主制御装置７０（主制御ＣＰＵ７２）にて生成された各種の外部情報信号は、払出制御装置９２を経由して外部端子板１６０から外部に出力されるものとなっている。主制御装置７０（主制御ＣＰＵ７２）及び払出制御装置９２（払出制御ＣＰＵ９４）は、外部端子板１６０を通じてパチンコ機１の外部に向けて外部情報信号を出力することができる。外部端子板１６０から出力される信号は、例えば遊技場のホールコンピュータ（図示していない）で集計される。なお、ここでは払出制御装置９２を経由する構成を例に挙げているが、主制御装置７０からそのまま外部情報信号が外部端子板１６０に出力される構成であってもよい。
【００９８】
以上がパチンコ機１の制御に関する構成例である。続いて、主制御装置７０の主制御ＣＰＵ７２により実行される制御上の処理について説明する。
【００９９】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。また、リセットスタート処理は、初期状態の調整後にパチンコ機１の安定した遊技動作を保証するためのメイン処理（メイン制御プログラム）として位置付けられる。
【０１００】
図６及び図７は、リセットスタート処理の手順例を示すフローチャートである。以下、主制御ＣＰＵ７２が行う処理について、各手順を追って説明する。
【０１０１】
ステップＳ１０１：主制御ＣＰＵ７２は、先ずスタックポインタにスタック領域の先頭アドレスをセットする。
【０１０２】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【０１０３】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【０１０４】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【０１０５】
ステップＳ１０５：また、主制御ＣＰＵ７２、割り込みマスクを設定するためにマスクレジスタの初期設定を行う。具体的には、ＣＴＣ割り込みを有効にする値をマスクレジスタに格納する。
【０１０６】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０１０７】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０１０８】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０１０９】
ステップＳ１０９：主制御ＣＰＵ７２は、バックアップ有効判定フラグをリセット（例えば「００００Ｈ」）する。
ステップＳ１１０：また、主制御ＣＰＵ７２は、前回の電源断発生直前に送信待ちであったコマンドをクリアする。
【０１１０】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄確率状態指定コマンド、特図先判定演出コマンド、作動記憶数増加時演出コマンド、作動記憶数減少時演出コマンド、回数切りカウンタ残数コマンド、特別遊技状態指定コマンド等）を送信する。これを受けて演出制御装置１２４は、前回の電源遮断時に実行中であった演出状態（例えば、内部確率状態、演出図柄の表示態様、作動記憶数の演出表示態様、音響出力内容、各種ランプの発光状態等）を復帰させることができる。
【０１１１】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄の表示態様、内部確率状態、作動記憶内容、各種フラグ状態、乱数更新状態等）を復帰させる。また、主制御ＣＰＵ７２は、バックアップされていたＰＣレジスタの値を復旧する。
【０１１２】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０１１３】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また、主制御ＣＰＵ７２は、ＲＡＭ７６の初期設定を行う。
【０１１４】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０１１５】
ステップＳ１１６：主制御ＣＰＵ７２は、払出制御出力処理を実行する。この処理では、主制御ＣＰＵ７２は払出制御装置９２に対して、賞球の払い出しを開始するための指示コマンドを出力する。
【０１１６】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば４ｍｓ）を設定する。これにより、次にＣＴＣ割り込みが発生すると、主制御ＣＰＵ７２はバックアップされていたＰＣレジスタのプログラムアドレスから処理を続行することができる。
【０１１７】
リセットスタート処理において以上の手順を実行すると、主制御ＣＰＵ７２は図７に示されるメインループに移行する（接続記号Ａ→Ａ）。
【０１１８】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（駆動電圧の低下）を監視する。電源遮断が発生すると、主制御ＣＰＵ７２は普通電動役物ソレノイド８８や第１大入賞口ソレノイド９０、第２大入賞口ソレノイド９７、確変領域用ソレノイド９９等に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして、主制御ＣＰＵ７２はバックアップ有効判定フラグ領域に有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０１１９】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数（ハードウェア乱数）、及び普通図柄に対応する当り決定乱数（ハードウェア乱数）を除く各種の乱数（例えば、大当り図柄乱数、リーチ判定乱数、変動パターン決定乱数等）をプログラム上で発生させている。これらソフトウェア乱数は、別の割込処理（図９中のステップＳ２０１）で所定範囲内のループカウンタにより更新されているが、この処理において乱数値が一巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図９中のステップＳ２０２）でも同様の処理を実行するため、これとの重複（競合）を防止するためである。なお、本実施形態において大当り決定乱数及び当り決定乱数は乱数発生器７５により発生されるハードウェア乱数であり、その更新周期はタイマ割込周期（例えば数ｍｓ）よりもさらに高速（例えば数μｓ）であるため、大当り決定乱数及び当り決定乱数の初期値を更新する必要はない。
【０１２０】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（リーチ判定乱数、変動パターン決定乱数等）である。この処理は、メインループの実行中にタイマ割込が発生し、主制御ＣＰＵ７２が別の割込管理処理（図９）を実行した場合の残り時間で行われる。なお、割込管理処理の内容については後述する。
【０１２１】
〔電源断発生チェック処理〕
図８は、電源断発生チェック処理の手順例を具体的に示すフローチャートである。
ステップＳ１３０：ここでは先ず、主制御ＣＰＵ７２は、電源断発生チェックのための条件を設定する。このチェック条件は、例えば主電源断検出信号が継続して出力されていることを確認するためのオンカウンタ値として設定することができる。
【０１２２】
ステップＳ１３２：次に主制御ＣＰＵ７２は、主電源断検出スイッチ入力用ポートをリードし、主電源断検出信号が出力されているか否かを確認（特定のビットをチェック）する。特に図示していないが、主電源断検出スイッチは例えば主制御装置７０に実装されており、この主電源断検出スイッチは、電源制御ユニット１６２から供給される駆動電圧を監視し、その電圧レベルが基準電圧を下回った場合に主電源断検出信号を出力する。なお、主電源断検出スイッチは電源制御ユニット１６２に内蔵されていてもよい。主制御ＣＰＵ７２は、現時点で主電源断検出信号が出力されていないことを確認すると（Ｎｏ）、この処理を抜けてリセットスタート処理に復帰する。一方、主電源断検出信号が出力されていることを確認した場合（Ｙｅｓ）、主制御ＣＰＵ７２は次のステップＳ１３４に進む。
【０１２３】
ステップＳ１３４：主制御ＣＰＵ７２は、上述したチェック条件を満たすか否かを確認する。具体的には、先のステップＳ１３０で設定したオンカウンタ値を例えば１減算し、その結果が０になったか否かを確認する。現時点で未だオンカウンタ値が０でなければ（Ｎｏ）、主制御ＣＰＵ７２はステップＳ１３２に戻って主電源断検出スイッチ入力用ポートを改めて確認する。そして、ステップＳ１３４からステップＳ１３２へのループを繰り返してチェック条件が満たされると（ステップＳ１３４：Ｙｅｓ）、主制御ＣＰＵ７２は次にステップＳ１３６に進む。
【０１２４】
ステップＳ１３６：主制御ＣＰＵ７２は、普通電動役物ソレノイド８８や第１大入賞口ソレノイド９０、第２大入賞口ソレノイド９７、確変領域用ソレノイド９９に対応する出力ポートに加え、試験信号端子やコマンド制御信号に対応する出力ポートバッファをクリアする。
【０１２５】
ステップＳ１３８，ステップＳ１４０：次に主制御ＣＰＵ７２は、ＲＡＭ７６のワーク領域のうち、バックアップ有効判定フラグ及びサムチェックバッファを除く全体の内容を１バイト単位で加算し、全領域について加算を完了するまで繰り返す。
ステップＳ１４２：全領域についてサムの算出が完了すると（ステップＳ１４０：Ｙｅｓ）、主制御ＣＰＵ７２はサムチェックバッファにサム結果値を保存する。
【０１２６】
ステップＳ１４４：次に主制御ＣＰＵ７２は、バックアップ有効判定フラグ領域に有効値を格納する。
ステップＳ１４６：また、主制御ＣＰＵ７２は、ＲＡＭ７６のプロテクト値にアクセス禁止を表す「０１Ｈ」を格納し、ＲＡＭ７６のワーク領域（使用禁止領域及びスタック領域を含む）に対するアクセスを禁止する。
ステップＳ１４８：そして、主制御ＣＰＵ７２は待機ループに入り、主電源断の遮断に備えて他の処理を全て停止する。主電源断の発生後は、図示しないバックアップ電源回路（例えば主制御装置７０に実装された容量素子を含む回路）からバックアップ用電力が供給されるため、ＲＡＭ７６の記憶内容は主電源断後も消失することなく保持される。なお、バックアップ用電源回路は、例えば電源制御ユニット１６２に内蔵されていてもよい。
【０１２７】
以上の処理を通じて、バックアップ対象（サム加算対象）となるＲＡＭ７６のワーク領域に記憶されていた情報は、全て主電源断の後もＲＡＭ７６に記憶として保持されることになる。また、保持されていた記憶は、先のリセットスタート処理（図６）でチェックサムの正常を確認した上で、電源断時のバックアップ情報として復元される。
【０１２８】
〔割込管理処理（タイマ割込処理）〕
次に、割込管理処理（タイマ割込処理）について説明する。図９は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０１２９】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０１３０】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば大当り図柄乱数等が含まれる。
【０１３１】
ステップＳ２０２：主制御ＣＰＵ７２は、ここでも初期値更新乱数更新処理を実行する。処理の内容は、先に述べたものと同じである。
【０１３２】
ステップＳ２０３：主制御ＣＰＵ７２は、入力処理を実行する。この処理では、主制御ＣＰＵ７２は入出力（Ｉ／Ｏ）ポート７９から各種スイッチ信号を入力する。具体的には、ゲートスイッチ７８及び確変領域スイッチ９５からの通過検出信号や、中始動入賞口スイッチ８０、右始動入賞口スイッチ８２、第１カウントスイッチ８４、第２カウントスイッチ８５、第１入賞口スイッチ８６、第２入賞口スイッチ８１からの入賞検出信号の入力状態（ＯＮ／ＯＦＦ）をリードする。
【０１３３】
ステップＳ２０４：次に主制御ＣＰＵ７２は、スイッチ入力イベント処理を実行する。この処理では、先の入力処理で入力したスイッチ信号のうち、ゲートスイッチ７８、中始動入賞口スイッチ８０、右始動入賞口スイッチ８２からの入賞検出信号に基づいて遊技中に発生した事象の判定を行い、それぞれ発生した事象に応じて、さらに別の処理を実行する。なお、スイッチ入力イベント処理の具体的な内容については、さらに別のフローチャートを用いて後述する。
【０１３４】
本実施形態では、中始動入賞口スイッチ８０又は右始動入賞口スイッチ８２から入賞検出信号（ＯＮ）が入力されると、主制御ＣＰＵ７２はそれぞれ第１特別図柄又は第２特別図柄に対応した内部抽選の契機（抽選契機）となる事象が発生したと判定する。また、ゲートスイッチ７８から通過検出信号（ＯＮ）が入力されると、主制御ＣＰＵ７２は普通図柄に対応した抽選契機となる事象が発生したと判定する。いずれかの事象が発生したと判定すると、主制御ＣＰＵ７２は、それぞれの発生事象に応じた処理を実行する。なお、中始動入賞口スイッチ８０又は右始動入賞口スイッチ８２から入賞検出信号が入力された場合に実行される処理については、さらに別のフローチャートを用いて後述する。
【０１３５】
ステップＳ２０５，ステップＳ２０６：主制御ＣＰＵ７２は、割込管理処理中において特別図柄遊技処理及び普通図柄遊技処理を実行する。これら処理は、パチンコ機１における遊技を具体的に進行させるためのものである。このうち特別図柄遊技処理（ステップＳ２０５）では、主制御ＣＰＵ７２は先に述べた第１特別図柄又は第２特別図柄に対応する内部抽選の実行を制御したり、第１特別図柄表示装置３４及び第２特別図柄表示装置３５による変動表示や停止表示を制御したり、その表示結果に応じて第１可変入賞装置３０及び第２可変入賞装置３１の作動を制御したりする。なお、特別図柄遊技処理の詳細については、さらに別のフローチャートを用いて後述する。
【０１３６】
また、普通図柄遊技処理（ステップＳ２０６）では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は先のスイッチ入力イベント処理（ステップＳ２０４）の中で始動ゲート２０の通過を契機として取得した乱数（普通図柄当り決定乱数）を記憶しておき、この普通図柄遊技処理の中で記憶から乱数値を読み出し、所定の当り範囲内に該当するか否かの判定を行う（作動抽選実行手段）。乱数値が当り範囲内に該当する場合、普通図柄表示装置３３により普通図柄を変動表示させて所定の当り態様で普通図柄の停止表示を行った後、主制御ＣＰＵ７２は普通電動役物ソレノイド８８を励磁して可変始動入賞装置２８を作動させる（可動片作動手段）。一方、乱数値が当り範囲外であれば、主制御ＣＰＵ７２は、変動表示の後にはずれの態様で普通図柄の停止表示を行う。
【０１３７】
ステップＳ２０７：次に主制御ＣＰＵ７２は、賞球払出処理を実行する。この処理では、先の入力処理（ステップＳ２０３）において各種スイッチ８０，８１，８２，８４，８５，８６から入力された入賞検出信号に基づき、払出制御装置９２に対して賞球個数を指示する賞球指示コマンドを出力する。
【０１３８】
また、主制御ＣＰＵ７２は、賞球払出処理において、演出制御装置１２４に対して賞球個数の内容を伝達する賞球内容コマンドを出力する。第１可変入賞装置３０又は第２可変入賞装置３１に対応する第１カウントスイッチ８４又は第２カウントスイッチ８５から入賞検出信号が入力された場合、第１利益（遊技球１５個分）に対応する賞球内容コマンドを生成する。また、普通入賞口２４に対応する第２入賞口スイッチ８１から入賞検出信号が入力された場合、第２利益（遊技球１０個分）に対応する賞球内容コマンドを生成する。賞球内容コマンドは、演出制御出力処理（図９中ステップＳ２１２）において演出制御装置１２４に送信される。
【０１３９】
〔賞球数及び獲得遊技球数について〕
第１特別図柄の始動口の賞球数及び第２特別図柄の始動口の賞球数は、それぞれ１個以上の規定数に設定されている。また、第１特別図柄の始動口と第２特別図柄の始動口とでは、賞球数を異ならせてもよい。さらに、特別図柄の当選確率や、総獲得遊技球数の期待値（初当りから時間短縮状態が終了するまでの一連の期間に得られる平均出球数）に基づいて、最低賞球数を設定してもよい。さらにまた、特別図柄の当選確率、総獲得遊技球数の期待値、大入賞口の開放回数、大入賞口の開放時間、大入賞口の最大入賞数、大入賞口の賞球数が所定の条件を満たした場合、１回の大当りによる獲得遊技球数が最大の獲得遊技球数の１／４未満となる大当りを設定してもよい。
【０１４０】
ステップＳ２０８：次に主制御ＣＰＵ７２は、外部情報処理を実行する。この処理では、主制御ＣＰＵ７２は外部端子板１６０を通じて遊技場のホールコンピュータに対して外部情報信号（例えば賞球情報、扉開放情報、図柄確定回数情報、大当り情報、始動口情報等）をポート出力要求バッファに格納する。
【０１４１】
なお、本実施形態では、各種の外部情報信号のうち、例えば大当り情報として「大当り１」〜「大当り５」を外部に出力することで、パチンコ機１に接続された外部の電子機器（データ表示器やホールコンピュータ）に対して多様な大当り情報を提供することができる（外部情報信号出力手段）。すなわち、大当り情報を複数の「大当り１」〜「大当り５」に分けて出力することで、これらの組み合わせから大当りの種別（当選種類）を図示しないホールコンピュータで集計・管理したり、内部的な確率状態（低確率状態又は高確率状態）や図柄変動時間の短縮状態の変化を認識したり、非当選以外であっても「大当り」に分類されない小当り（条件装置が作動しない当り）の発生を集計・管理したりすることが可能となる。また、大当り情報に基づき、例えば図示しないデータ表示装置によりパチンコ機１の台ごとに過去数営業日以内の大当り発生回数を計数及び表示したり、台ごとに現在大当り中であるか否かを認識したり、あるいは台ごとに現在図柄変動時間の短縮状態であるか否かを認識したりすることができる。この外部情報処理において、主制御ＣＰＵ７２は「大当り１」〜「大当り５」のそれぞれの出力状態（ＯＮ又はＯＦＦのセット）を詳細に制御する。
【０１４２】
ステップＳ２０９：また、主制御ＣＰＵ７２は、試験信号処理を実行する。この処理では、主制御ＣＰＵ７２が自己の内部状態（例えば、普通図柄遊技管理状態、特別図柄遊技管理状態、大当り中、確率変動機能作動中、時間短縮機能作動中）を表す各種の試験信号を生成し、これらをポート出力要求バッファに格納する。この試験信号により、例えば主制御装置７０の外部で主制御ＣＰＵ７２の内部状態を試験することができる。
【０１４３】
ステップＳ２１０：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ、遊技状態表示装置３８等の点灯状態を制御する。具体的には、先の特別図柄遊技処理（ステップＳ２０５）や普通図柄遊技処理（ステップＳ２０６）においてポート出力要求バッファに格納されている駆動信号をポート出力する。なお、駆動信号は、各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０１４４】
ステップＳ２１１：また、主制御ＣＰＵ７２は、出力管理処理を実行する。この処理では、主制御ＣＰＵ７２は先の外部情報処理（ステップＳ２０８）でポート出力要求バッファに格納された外部情報信号（バイトデータ）をポート出力する。また、主制御ＣＰＵ７２は、ポート出力要求バッファに格納されている普通電動役物ソレノイド８８、第１大入賞口ソレノイド９０、第２大入賞口ソレノイド９７及び確変領域用ソレノイド９９の各駆動信号、試験信号等を合わせてポート出力する。
【０１４５】
ステップＳ２１２：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。
【０１４６】
ステップＳ２１３：そして、主制御ＣＰＵ７２は、今回のＣＴＣ割込で格納したポート出力要求バッファをクリアする。
【０１４７】
なお、本実施形態では、ステップＳ２０５〜ステップＳ２１２の処理（遊技制御プログラムモジュール）をタイマ割込処理として実行する例を挙げているが、これら処理をＣＰＵのメインループ中に組み込んで実行している公知のプログラミング例もある。
【０１４８】
ステップＳ２１４：以上の処理を終えると、主制御ＣＰＵ７２は割込終了を指定する値（０１Ｈ）を割込プログラムカウンタ内に格納し、ＣＴＣ割込を終了する。
【０１４９】
ステップＳ２１５，ステップＳ２１６：そして、主制御ＣＰＵ７２は、退避しておいたレジスタ（Ａ〜Ｌ）の値を復帰し、次回のＣＴＣ割込を許可する。この後、主制御ＣＰＵ７２は、メインループ（スタックポインタで指示されるプログラムアドレス）に復帰する。
【０１５０】
〔スイッチ入力イベント処理〕
図１０は、スイッチ入力イベント処理（図９中のステップＳ２０４）の手順例を示すフローチャートである。以下、各手順を追って説明する。
【０１５１】
ステップＳ１０：主制御ＣＰＵ７２は、第１特別図柄に対応する中始動入賞口スイッチ８０から入賞検出信号が入力（抽選契機が発生）されたか否かを確認する。この入賞検出信号の入力が確認された場合（Ｙｅｓ）、主制御ＣＰＵ７２は次のステップＳ１２に進んで第１特別図柄記憶更新処理を実行する。具体的な処理の内容については、別のフローチャートを用いてさらに後述する。一方、入賞検出信号の入力がなかった場合（Ｎｏ）、主制御ＣＰＵ７２はステップＳ１４に進む。
【０１５２】
ステップＳ１４：次に主制御ＣＰＵ７２は、第２特別図柄に対応する右始動入賞口スイッチ８２から入賞検出信号が入力（抽選契機が発生）されたか否かを確認する。この入賞検出信号の入力が確認された場合（Ｙｅｓ）、主制御ＣＰＵ７２は次のステップＳ１６に進んで第２特別図柄記憶更新処理を実行する。ここでも同様に、具体的な処理の内容については別のフローチャートを用いてさらに後述する。一方、入賞検出信号の入力がなかった場合（Ｎｏ）、主制御ＣＰＵ７２はステップＳ１８に進む。
【０１５３】
ステップＳ１８：主制御ＣＰＵ７２は、第１可変入賞装置３０の第１大入賞口に対応する第１カウントスイッチ８４から入賞検出信号が入力されたか否かを確認する。この入賞検出信号の入力が確認された場合（Ｙｅｓ）、主制御ＣＰＵ７２は次のステップＳ２０に進んで第１大入賞口カウント処理を実行する。第１大入賞口カウント処理では、主制御ＣＰＵ７２は大当り遊技中に１ラウンドごとの第１可変入賞装置３０への入賞球数をカウントする。一方、入賞検出信号の入力がなかった場合（Ｎｏ）、主制御ＣＰＵ７２はステップＳ２１ａに進む。
【０１５４】
ステップＳ２１ａ：主制御ＣＰＵ７２は、第２可変入賞装置３１の第２大入賞口に対応する第２カウントスイッチ８５から入賞検出信号が入力されたか否かを確認する。この入賞検出信号の入力が確認された場合（Ｙｅｓ）、主制御ＣＰＵ７２は次のステップＳ２１ｂに進んで第２大入賞口カウント処理を実行する。第２大入賞口カウント処理では、主制御ＣＰＵ７２は大当り遊技中に第２可変入賞装置３１への入賞球数をカウントする。一方、入賞検出信号の入力がなかった場合（Ｎｏ）、主制御ＣＰＵ７２はステップＳ２２に進む。
【０１５５】
ステップＳ２２：主制御ＣＰＵ７２は、普通図柄に対応するゲートスイッチ７８から通過検出信号が入力されたか否かを確認する。この通過検出信号の入力が確認された場合（Ｙｅｓ）、主制御ＣＰＵ７２は次のステップＳ２４に進んで普通図柄記憶更新処理を実行する。普通図柄記憶更新処理では、主制御ＣＰＵ７２は現在の普通図柄作動記憶数が上限数（例えば４個）未満であるか否かを確認し、上限数に達していなければ、普通図柄当り乱数を取得する。また、主制御ＣＰＵ７２は、普通図柄作動記憶数を１インクリメントする。そして、主制御ＣＰＵ７２は、取得した普通図柄当り乱数値をＲＡＭ７６の乱数記憶領域に記憶させる。一方、入賞検出信号の入力がなかった場合（Ｎｏ）、主制御ＣＰＵ７２はステップＳ２６に進む。
【０１５６】
ステップＳ２６：主制御ＣＰＵ７２は、第２可変入賞装置３１の内部に設けられた確変領域に対応する確変領域スイッチ９５から検出信号が入力されたか否かを確認する。この検出信号の入力が確認された場合（Ｙｅｓ）、主制御ＣＰＵ７２は次のステップＳ２８に進んで確変領域通過時処理を実行する。確変領域通過時処理として、主制御ＣＰＵ７２は、遊技状態フラグとして確率変動機能作動フラグの値（０１Ｈ）をＲＡＭ７６のフラグ領域にセットする処理を実行する（高確率状態移行手段、確率変動機能作動手段、有利遊技状態移行手段、特別状態移行手段）。この確率変動機能作動フラグは、大当り遊技の終了後、当選の結果が得られずに特別図柄が所定回数（１７０回）変動するとリセットされる。また、確変領域通過時処理として、主制御ＣＰＵ７２は、確変領域通過コマンドを生成する。確変領域通過コマンドは、演出制御出力処理（図９中のステップＳ２１２）において演出制御装置１２４に送信される。なお、主制御ＣＰＵ７２は、特定の有効時間内（例えば、大当り遊技中に確変領域用ソレノイド９９を作動させている時間内）に限って確変領域通過時処理を実行することにしてもよい。一方、検出信号の入力がなかった場合（Ｎｏ）、主制御ＣＰＵ７２は割込管理処理（図９）に復帰する。
【０１５７】
〔第１特別図柄記憶更新処理〕
図１１は、第１特別図柄記憶更新処理（図１０中のステップＳ１２）の手順例を示すフローチャートである。以下、第１特別図柄記憶更新処理の手順について順を追って説明する。
【０１５８】
ステップＳ３０：ここでは先ず、主制御ＣＰＵ７２は第１特別図柄作動記憶数カウンタの値を参照し、作動記憶数が最大値（例えば４とする）未満であるか否かを確認する。作動記憶数カウンタは、ＲＡＭ７６の乱数記憶領域に記憶されている大当り決定乱数や大当り図柄乱数等の個数（組数）を表すものである。ここで、ＲＡＭ７６の乱数記憶領域は、第１特別図柄及び第２特別図柄で共通して使用する８つのセクション（例えば各２バイト）に分けられており、各セクションには大当り決定乱数及び大当り図柄乱数を１個ずつセット（組）で記憶可能である。このとき、第１特別図柄に対応する作動記憶数カウンタの値が最大値に達していれば（Ｎｏ）、主制御ＣＰＵ７２はスイッチ入力イベント処理（図１０）に復帰する。一方、作動記憶数カウンタの値が最大値未満であれば（Ｙｅｓ）、主制御ＣＰＵ７２は次のステップＳ３１に進む。
【０１５９】
ステップＳ３１：主制御ＣＰＵ７２は、第１特別図柄作動記憶数を１つ加算する。第１特別図柄作動記憶数カウンタは、例えばＲＡＭ７６の作動記憶数領域に記憶されており、主制御ＣＰＵ７２はその値をインクリメント（＋１）する。ここで加算されたカウンタの値に基づき、表示出力管理処理（図９中のステップＳ２１０）で第１特別図柄作動記憶ランプ３４ａの点灯状態が制御されることになる。
【０１６０】
ステップＳ３２：そして、主制御ＣＰＵ７２は、サンプリング回路７７を通じて乱数発生器７５から第１特別図柄に対応する大当り決定乱数値を取得する（第１抽選要素の取得、抽選要素取得手段）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから大当り決定乱数値をリードすると、これを第１特別図柄に対応する大当り決定乱数として転送先のアドレスにセーブする。
【０１６１】
ステップＳ３３：次に主制御ＣＰＵ７２は、ＲＡＭ７６の大当り図柄乱数カウンタ領域から第１特別図柄に対応する大当り図柄乱数値を取得する。この乱数値の取得もまた、大当り図柄乱数カウンタ領域のアドレスを指定して行う。主制御ＣＰＵ７２は、指定したアドレスから大当り図柄乱数値をリードすると、これを第１特別図柄に対応する大当り図柄乱数として転送先のアドレスにセーブする。
【０１６２】
ステップＳ３４：また、主制御ＣＰＵ７２は、ＲＡＭ７６の変動用乱数カウンタ領域から、第１特別図柄の変動条件に関する乱数値として、リーチ判定乱数及び変動パターン決定乱数を順番に取得する（変動パターン決定要素取得手段）。これら乱数値の取得も同様に、変動用乱数カウンタ領域のアドレスを指定して行われる。そして、主制御ＣＰＵ７２は、指定したアドレスからリーチ判定乱数及び変動パターン決定乱数をそれぞれ取得すると、これらを転送先のアドレスにセーブする。
【０１６３】
ステップＳ３５：主制御ＣＰＵ７２は、セーブした大当り決定乱数、大当り図柄乱数、リーチ判定乱数及び変動パターン決定乱数をともに第１特別図柄に対応する乱数記憶領域に転送し、これら乱数を領域内の空きセクションにセットで記憶させる（記憶手段、抽選要素記憶手段）。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。なお、乱数記憶領域の読み出しはＦＩＦＯ（Ｆｉｒｓｔ  Ｉｎ  Ｆｉｒｓｔ  Ｏｕｔ）形式である。
【０１６４】
ステップＳ３６：次に主制御ＣＰＵ７２は、現在の特別遊技管理ステータス（遊技状態）が大当り中であるか否かを確認する。大当り中以外であれば（Ｎｏ）、主制御ＣＰＵ７２は次以降のステップＳ３７，Ｓ３８を実行する。大当り中であれば（Ｙｅｓ）、主制御ＣＰＵ７２はステップＳ３７，Ｓ３８をスキップしてステップＳ３８ａに進む。本実施形態においてこの判断を行っているのは、大当り中に発生した入球については先読みによる演出を行わないためである。
【０１６５】
ステップＳ３７：大当り中以外の場合（ステップＳ３６：Ｎｏ）、主制御ＣＰＵ７２は第１特別図柄に関して取得時演出判定処理を実行する。この処理は、先のステップＳ３２〜Ｓ３４でそれぞれ取得した第１特別図柄の大当り決定乱数及び大当り図柄乱数に基づいて、事前（変動開始前）に内部抽選の結果を判定し、それによって演出内容を判定（いわゆる「先読み」）するためのものである。なお、具体的な処理の内容については別のフローチャートを参照しながらさらに後述する。
【０１６６】
ステップＳ３８：取得時演出判定処理から復帰すると、次に主制御ＣＰＵ７２は、第１特別図柄に関して特図先判定演出コマンドの上位バイト分（例えば「Ｂ８Ｈ」）をセットする。この上位バイトデータは、コマンド種別が「第１特別図柄に関する特図先判定演出用」であることを記述したものである。なお、特図先判定演出コマンドの下位バイト分は、先の取得時演出判定処理（ステップＳ３７）においてセットされているので、ここでは下位バイトに上位バイトを合成することで例えば１ワード長のコマンドが生成されることになる。
【０１６７】
ステップＳ３８ａ：次に主制御ＣＰＵ７２は、第１特別図柄に関して作動記憶数増加時演出コマンドをセットする。具体的には、コマンドの種別を表す上位バイトの先行値（例えば「ＢＢＨ」）に対し、増加後の作動記憶数（例えば「０１Ｈ」〜「０４Ｈ」）を下位バイトに付加した１ワード長の演出コマンドを生成する。このとき下位バイトについては、デフォルトで第２の位を「０」とすることにより、その値が「作動記憶数の増加による結果（変化情報）」であることを表している。つまり、下位バイトが「０１Ｈ」であれば、それは前回までの作動記憶数「００Ｈ」から１つ増加した結果、今回の作動記憶数が「０１Ｈ」となったことを表している。同様に、下位バイトが「０２Ｈ」〜「０４Ｈ」であれば、それは前回までの作動記憶数「０１Ｈ」〜「０３Ｈ」からそれぞれ１つ増加した結果、今回の作動記憶数が「０２Ｈ」〜「０４Ｈ」となったことを表している。なお、先行値「ＢＢＨ」は、今回の演出コマンドが第１特別図柄についての作動記憶数コマンドであることを表す値である。
【０１６８】
ステップＳ３９：そして、主制御ＣＰＵ７２は、第１特別図柄に関して演出コマンド出力設定処理を実行する。この処理は、先のステップＳ３８で生成した特図先判定演出コマンドや、ステップＳ３８ａで生成した作動記憶数増加時演出コマンド、始動口入賞音制御コマンドを演出制御装置１２４に対して送信するためのものである（記憶数通知手段）。
【０１６９】
以上の手順を終えるか、もしくは第１特別図柄作動記憶数が４に達していた場合（ステップＳ３０：Ｎｏ）、主制御ＣＰＵ７２はスイッチ入力イベント処理（図１０）に復帰する。
【０１７０】
〔第２特別図柄記憶更新処理〕
次に図１２は、第２特別図柄記憶更新処理（図１０中のステップＳ１６）の手順例を示すフローチャートである。以下、第２特別図柄記憶更新処理の手順について順を追って説明する。
【０１７１】
ステップＳ４０：主制御ＣＰＵ７２は、第２特別図柄作動記憶数カウンタの値を参照し、作動記憶数が最大値未満であるか否かを確認する。第２特別図柄作動記憶数カウンタについても上記と同様に、ＲＡＭ７６の乱数記憶領域に記憶されている大当り決定乱数や大当り図柄乱数等の個数（組数）を表すものである。このとき第２特別図柄作動記憶数カウンタの値が最大値（例えば４とする）に達していれば（Ｎｏ）、主制御ＣＰＵ７２はスイッチ入力イベント処理（図１０）に復帰する。一方、未だ第２特別図柄作動記憶数カウンタの値が最大値未満であれば（Ｙｅｓ）、主制御ＣＰＵ７２は次のステップＳ４１以降に進む。
【０１７２】
ステップＳ４１：主制御ＣＰＵ７２は、第２特別図柄作動記憶数を１つ加算（第２特別図柄作動記憶数カウンタの値をインクリメント）する。先のステップＳ３１（図１１）と同様に、ここで加算されたカウンタの値に基づき、表示出力管理処理（図９中のステップＳ２１０）で第２特別図柄作動記憶ランプ３５ａの点灯状態が制御されることになる。
【０１７３】
ステップＳ４２：そして、主制御ＣＰＵ７２は、サンプリング回路７７を通じて乱数発生器７５から第２特別図柄に対応する大当り決定乱数値を取得する（第２抽選要素の取得、抽選要素取得手段）。乱数値を取得する手法は、先に説明したステップＳ３２（図１１）と同様である。
【０１７４】
ステップＳ４３：次に主制御ＣＰＵ７２は、ＲＡＭ７６の大当り図柄乱数カウンタ領域から第２特別図柄に対応する大当り図柄乱数値を取得する。乱数値を取得する方法は、先に説明したステップＳ３３（図１１）と同様である。
【０１７５】
ステップＳ４４：また、主制御ＣＰＵ７２は、ＲＡＭ７６の変動用乱数カウンタ領域から、第２特別図柄の変動条件に関するリーチ判定乱数及び変動パターン決定乱数を順番に取得する（変動パターン決定要素取得手段）。これら乱数値の取得もまた、先に説明したステップＳ３４（図１１）と同様に行われる。
【０１７６】
ステップＳ４５：主制御ＣＰＵ７２は、セーブした大当り決定乱数、大当り図柄乱数、リーチ判定乱数及び変動パターン決定乱数をともに第２特別図柄に対応する乱数記憶領域に転送し、これら乱数を領域内の空きセクションにセットで記憶させる（記憶手段）。記憶の手法は、先に説明したステップＳ３５（図１１）と同様である。
【０１７７】
ステップＳ４５ａ：次に主制御ＣＰＵ７２は、現在の遊技管理ステータス（遊技状態）が大当り中であるか否かを確認する。そして、大当り中以外であれば（Ｎｏ）、主制御ＣＰＵ７２は次以降のステップＳ４６，Ｓ４７を実行する。逆に大当り中であれば（Ｙｅｓ）、主制御ＣＰＵ７２はステップＳ４６，Ｓ４７をスキップしてステップＳ４８に進む。本実施形態においてこの判断を行っているのは、同じく大当り中に発生した入球については先読みによる演出を行わないためである。
【０１７８】
ステップＳ４６：大当り中以外である場合（ステップＳ４５ａ：Ｎｏ）、次に主制御ＣＰＵ７２は、第２特別図柄に関して取得時演出判定処理を実行する。この処理は、先のステップＳ４２〜Ｓ４４でそれぞれ取得した第２特別図柄の大当り決定乱数及び大当り図柄乱数に基づいて、事前（変動開始前）に内部抽選の結果を判定し、それによって演出内容を判定するためのものである。なお、具体的な処理の内容は後述する。
【０１７９】
ステップＳ４７：取得時演出判定処理から復帰すると、次に主制御ＣＰＵ７２は特図先判定演出コマンドの上位バイト分（例えば「Ｂ９Ｈ」）をセットする。この上位バイトデータは、コマンド種別が「第２特別図柄に関する特図先判定演出用」であることを記述したものである。ここでも同様に、特図先判定演出コマンドの下位バイト分は、先の取得時演出判定処理（ステップＳ４６）においてセットされているので、ここでは下位バイトに上位バイトを合成することで例えば１ワード長のコマンドが生成されることになる。
【０１８０】
ステップＳ４８：次に主制御ＣＰＵ７２は、第２特別図柄に関して作動記憶数増加時演出コマンドをセットする。ここでは、コマンドの種別を表す上位バイトの先行値（例えば「ＢＣＨ」）に対し、増加後の作動記憶数（例えば「０１Ｈ」〜「０４Ｈ」）を下位バイトに付加した１ワード長の演出コマンドを生成する。第２特別図柄についても同様に、デフォルトで下位バイトの第２の位を「０」とすることにより、その値が「作動記憶数の増加による結果（変化情報）」であることを表すことができる。なお、先行値「ＢＣＨ」は、今回の演出コマンドが第２特別図柄についての作動記憶数コマンドであることを表す値である。
【０１８１】
ステップＳ４９：そして、主制御ＣＰＵ７２は、第２特別図柄に関して演出コマンド出力設定処理を実行する。これにより、第２特別図柄に関して特図先判定演出コマンドや作動記憶数増加時演出コマンド、始動口入賞音制御コマンド等を演出制御装置１２４に対して送信する準備が行われる（記憶数通知手段）。また、以上の手順を終えると、主制御ＣＰＵ７２はスイッチ入力イベント処理（図１０）に復帰する。
【０１８２】
〔取得時演出判定処理〕
図１３は、取得時演出判定処理の手順例を示すフローチャートである。主制御ＣＰＵ７２は、先の第１特別図柄記憶更新処理及び第２特別図柄記憶更新処理（図１１中のステップＳ３７，図１２中のステップＳ４６）においてこの取得時演出判定処理を実行する（先判定実行手段）。上述したように、この処理は第１特別図柄（中始動入賞口２６への入球時）、第２特別図柄（可変始動入賞装置２８への入球時）のそれぞれについて実行される。したがって以下の説明は、第１特別図柄に関する処理に該当する場合と、第２特別図柄に関する処理に該当する場合とがある。以下、各手順に沿って処理の内容を説明する。
【０１８３】
ステップＳ５０：主制御ＣＰＵ７２は、特図先判定演出コマンド（先判定情報）の下位バイト分（例えば「００Ｈ」）をセットする。なお、ここでセットしたバイトデータはコマンドの標準値（はずれ時）を表すものとなる。
【０１８４】
ステップＳ５２：次に主制御ＣＰＵ７２は、先判定用乱数値として大当り決定乱数をロードする。ここでロードする乱数は、先の第１特別図柄記憶更新処理（図１１中のステップＳ３５）又は第２特別図柄記憶更新処理（図１２中のステップＳ４５）でＲＡＭ７６に記憶されているものである。
【０１８５】
ステップＳ５４：そして、主制御ＣＰＵ７２は、ロードした乱数が当り値の範囲外（ここでは下限値以下）であるか否かを判定する（抽選結果先判定手段、事前判定手段）。具体的には、主制御ＣＰＵ７２は比較値（下限値）をＡレジスタにセットし、この比較値からロードした乱数値を減算する。なお、比較値（下限値）は、パチンコ機１における内部抽選の当選確率に応じて予め規定されている。次に主制御ＣＰＵ７２は、例えばフラグレジスタの値から演算結果が０又は正の値であるか否かを判別する。その結果、ロードした乱数が当り値の範囲外であれば（Ｙｅｓ）、主制御ＣＰＵ７２はステップＳ８０に進む。
【０１８６】
ステップＳ８０：次に主制御ＣＰＵ７２は、はずれ時変動パターン情報事前判定処理を実行する（変動パターン先判定手段）。この処理では、主制御ＣＰＵ７２は、はずれ時の変動時間について上述した変動パターン先判定コマンドを生成する。ここで生成される変動パターン先判定コマンドには、特に「時間短縮機能」の作動時における変動時間（又は変動パターン番号）に関する事前の判定情報が反映される。例えば、現在の状態が「時間短縮機能」の作動時であれば、主制御ＣＰＵ７２はロードしたリーチ判定乱数に基づいて、変動時間が「はずれリーチ変動（非短縮変動時間）」に対応するものであるか否かを判断する。その結果、変動時間が「はずれリーチ変動（非短縮変動時間）」に対応するものである場合、主制御ＣＰＵ７２は「時短中非短縮変動時間」に対応する変動パターン先判定コマンドを生成する。なお、リーチ変動の場合はさらに、リーチモード乱数から「リーチグループ（リーチの種類）」をも判断し、その結果から変動パターン先判定コマンドを生成することとしてもよい。一方、変動時間が「はずれリーチ変動（非短縮変動時間）」に対応するものでない場合、主制御ＣＰＵ７２は「時短中短縮変動時間」に対応する変動パターン先判定コマンドを生成する。あるいは、現在の状態が「時間短縮機能」の非作動時（低確率状態）であれば、主制御ＣＰＵ７２はロードしたリーチ判定乱数に基づいて、変動時間が「通常はずれリーチ変動」に対応するものであるか否かを判断する。その結果、変動時間が「通常はずれリーチ変動」に対応するものである場合、主制御ＣＰＵ７２は「通常はずれリーチ変動時間」に対応する変動パターン先判定コマンドを生成する。一方、変動時間が「通常はずれリーチ変動」に対応するものでない場合、主制御ＣＰＵ７２は「通常はずれ変動時間」に対応する変動パターン先判定コマンドを生成する。また、ここで生成された変動パターン先判定コマンドは、上述したように演出コマンド出力設定処理（ステップＳ３９，Ｓ４９）で送信バッファにセットされる。なお、この処理において、主制御ＣＰＵ７２は、小当り時の変動パターンについて、上述したはずれ時の処理と同様に変動パターン先判定コマンドを生成していてもよい。
【０１８７】
以上の手順を実行すると、主制御ＣＰＵ７２はステップＳ８２の判定結果管理処理を実行した後に取得時演出判定処理を終了し、呼び出し元の第１特別図柄記憶更新処理（図１１）又は第２特別図柄記憶更新処理（図１２）に復帰する。一方、先のステップＳ５４の判断において、ロードした乱数が当り値の範囲外でなく、範囲内であれば（ステップＳ５４：Ｎｏ）、主制御ＣＰＵ７２は次にステップＳ５６に進む。
【０１８８】
ステップＳ５６：主制御ＣＰＵ７２は、先判定結果による確率状態予定フラグがセットされているか否かを確認する。先判定結果による確率状態予定フラグは、未だ変動は開始されていないが、これまで記憶されている大当り決定乱数の中に当選値がある場合にセットされるものである。具体的には、これまでに記憶されている大当り決定乱数に当選値があった場合、これと組になる大当り図柄乱数が「確変領域通過可能図柄（１２ラウンド通常図柄以外のいずれかの確変図柄）」に該当するものであれば、確率状態予定フラグに例えば「Ａ０Ｈ」がセットされる。この値は、この大当り決定乱数よりも後に取得された大当り決定乱数の事前判定（先読み判定）に際して、高確率状態になることを予定として設定するためのフラグ値を表すものである。一方、これまでに記憶されている大当り決定乱数に当選値があった場合であって、これと組になる大当り図柄乱数が「非確変（通常）図柄」に該当するものであれば、確率状態予定フラグに例えば「０１Ｈ」がセットされる。この値は、この大当り決定乱数よりも後に取得された大当り決定乱数の事前判定（先読み判定）に際して、通常（低）確率状態になることを予定として設定するためのフラグ値を表すものである。なお、これまでに記憶されている大当り決定乱数に当選値が未だ存在しなければ、フラグ値はリセット（００Ｈ）されている。また、確率状態予定フラグの値は、例えばＲＡＭ７６のフラグ領域に格納されている。なお、ここでは「確率状態予定フラグ」を用いて厳密に事前の当り判定を行う例を挙げているが、単純に現在の確率状態に基づいて事前の当り判定を行う場合、このステップＳ５６と以降のステップＳ５８，ステップＳ６０，ステップＳ６２，ステップＳ７６等を省略してもよい。
【０１８９】
主制御ＣＰＵ７２は、未だ確率状態予定フラグがセットされていなければ（ステップＳ５６：Ｎｏ）、次にステップＳ６６を実行する。
【０１９０】
ステップＳ６６：この場合、主制御ＣＰＵ７２は次に低確率時（通常時）用比較値をＡレジスタにセットする。なお、低確率時用比較値もまた、パチンコ機１における低確率時の当選確率に応じて予め規定されている。
【０１９１】
ステップＳ６８：次に主制御ＣＰＵ７２は、「現在の確率状態フラグ」をロードする。この確率状態フラグは、現在の内部状態が高確率（確変中）であるか否かを表すものであり、ＲＡＭ７６のフラグ領域内に記憶されているものである。現在の確率状態が高確率（確変中）であれば、状態フラグとして値「０１Ｈ」がセットされており、低確率（通常中）であれば、状態フラグの値はリセットされている（「００Ｈ」）。
【０１９２】
ステップＳ７０：そして、主制御ＣＰＵ７２は、ロードした現在の特別図柄確率状態フラグが高確率を表すものでない（≠０１Ｈ）か否かを確認し、その結果、高確率を表すものであれば（Ｎｏ）、次にステップＳ６４を実行する。
【０１９３】
ステップＳ６４：主制御ＣＰＵ７２は、高確率時用比較値をセットする。これにより、先のステップＳ６６でセットされた低確率時用比較値が書き換えられることになる。なお、高確率時用比較値は、パチンコ機１における高確率時の当選確率に応じて予め規定されている。
【０１９４】
このように、先判定結果による確率状態予定フラグが未だセットされていない場合であって、現在の内部状態が高確率の場合は、比較値を高確率時用に書き換えた上で次のステップＳ７２を実行することになる。これに対し、先のステップＳ７０で現在の確率状態フラグが高確率を表すものでないことを確認した場合（Ｙｅｓ）、主制御ＣＰＵ７２はステップＳ６４をスキップして次のステップＳ７２を実行する。
【０１９５】
ステップＳ７２：主制御ＣＰＵ７２は、先のステップＳ５２でロードした乱数が当り値の範囲外であるか否かを判定する（抽選結果先判定手段）。すなわち、主制御ＣＰＵ７２は状態別でセットした比較値から大当り決定乱数値を減算する。そして、主制御ＣＰＵ７２は、同様にフラグレジスタの値から演算結果が負の値（＜０）であるか否かを判別し、その結果、ロードした乱数が当り値の範囲外であれば（Ｙｅｓ）、主制御ＣＰＵ７２は、はずれ時変動パターン情報事前判定処理（ステップＳ８０）を実行する。これに対し、ロードした乱数が当り値の範囲外でなく、範囲内であれば（Ｎｏ）、主制御ＣＰＵ７２は次にステップＳ７４に進む。
【０１９６】
ステップＳ７４：主制御ＣＰＵ７２は、大当り図柄種別判定処理を実行する。この処理は、大当り決定乱数と組になっている大当り図柄乱数に基づいて、そのときの大当り種別（当選種類）を判定するためのものである。例えば、主制御ＣＰＵ７２は先の第１特別図柄記憶更新処理（図１１中のステップＳ３５）又は第２特別図柄記憶更新処理（図１２中のステップＳ４５）で記憶した図柄別の大当り図柄乱数をロードすると、ステップＳ５４と同様に比較値を用いた演算を実行し、その結果から大当り種別として「確変領域通過困難図柄（１２ラウンド通常図柄）」又は「確変領域通過可能図柄」のいずれに該当するかを判別する。主制御ＣＰＵ７２は、このときの判別結果を特別図柄先判定値として記憶し、次のステップＳ７６に進む。
【０１９７】
ステップＳ７６：そして、主制御ＣＰＵ７２は、先判定結果による確率状態予定フラグの値をセットする。具体的には、先のステップＳ７４で記憶した特別図柄先判定値が「確変領域通過困難図柄」を表す場合、主制御ＣＰＵ７２は確率状態予定フラグに値「０１Ｈ」をセットする。一方、特別図柄先判定値が「確変領域通過可能図柄」を表す場合、主制御ＣＰＵ７２は確率状態予定フラグに値「Ａ０Ｈ」をセットする。これにより、次回以降の処理ではステップＳ５６において「フラグセット済み」と判定されることになる。
【０１９８】
ステップＳ７８：主制御ＣＰＵ７２は、特図先判定演出コマンドの下位バイトとして、先のステップＳ７４で記憶した特別図柄先判定値をセットする。特別図柄先判定値は、例えば「確変領域通過困難図柄」に該当する場合は「０１Ｈ」がセットされ、「確変領域通過可能図柄」に該当する場合は「Ａ０Ｈ」がセットされる。いずれにしても、ここで下位バイト分のデータをセットすることにより、先のステップＳ５０でセットした標準の下位バイトデータ「００Ｈ」が書き換えられることになる。
【０１９９】
ステップＳ７９：次に主制御ＣＰＵ７２は、大当り時変動パターン情報事前判定処理を実行する（変動パターン先判定手段）。この処理では、主制御ＣＰＵ７２は大当り時の変動時間について、上述した変動パターン先判定コマンドを生成する。ここで生成される変動パターン先判定コマンドには、例えば大当り時のリーチ変動時間（又は変動パターン番号）に関する事前の判定情報が反映される。また、ここで生成された変動パターン先判定コマンドは、演出コマンド出力設定処理（ステップＳ３９，Ｓ４９）で送信バッファにセットされる。
【０２００】
以上は、先判定結果による確率状態予定フラグがセットされる前（内部初当り前）における手順である。これに対し、先のステップＳ７６を経て確率状態予定フラグがセットされた場合、以下の手順が実行される。ただし、現在の確率状態だけで事前の当り判定を行う場合、以下のステップＳ５６，ステップＳ５８，ステップＳ６０，ステップＳ６２、及びステップＳ７６を実行する必要はない。
【０２０１】
ステップＳ５６：主制御ＣＰＵ７２は、既に確率状態予定フラグに値がセットされていることを確認すると（Ｙｅｓ）、次にステップＳ５８を実行する。
【０２０２】
ステップＳ５８：主制御ＣＰＵ７２は、先ず低確率時（通常時）用比較値をＡレジスタにセットする。
【０２０３】
ステップＳ６０：次に主制御ＣＰＵ７２は、「確率状態予定フラグ」をロードする。確率状態予定フラグは、直前の先判定結果に基づきそれ以降の先判定において確率状態を予定的に設定するためのものであり、ＲＡＭ７６のフラグ領域内に記憶されているものである。直前の先判定結果に基づく確率状態が高確率（確変）に移行する予定であれば、確率状態予定フラグの値として「Ａ０Ｈ」がセットされており、逆に直前の先判定結果に基づく確率状態が低確率（通常）に戻る予定であれば、確率状態予定フラグの値として「０１Ｈ」がセットされている。
【０２０４】
ステップＳ６２：そして、主制御ＣＰＵ７２は、ロードした確率状態予定フラグが高確率の予定を表すものでない（≠０１Ｈ）か否かを確認し、その結果、高確率の予定を表すものであれば（Ｎｏ）、次にステップＳ６４を実行し、高確率時用比較値をセットする。
【０２０５】
このように、先判定結果による確率状態予定フラグが既にセットされており、その値が高確率を予定するものである場合は、比較値を高確率時用に書き換えた上で次のステップＳ７２以降を実行することになる。これに対し、先のステップＳ６２で確率状態予定フラグが高確率の予定を表すものでなく、通常（低）確率の予定を表すものであることを確認した場合（Ｙｅｓ）、主制御ＣＰＵ７２はステップＳ６４をスキップして次のステップＳ７２以降を実行する。これにより本実施形態では、先判定結果に基づくその後の内部状態の変化（通常確率状態→高確率状態、高確率状態→通常確率状態）を考慮した上で、事前の大当り判定を行うことができる。
【０２０６】
以上の手順を終えると、主制御ＣＰＵ７２は第１特別図柄記憶更新処理（図１１）又は第２特別図柄記憶更新処理（図１２）に復帰する。
【０２０７】
〔特別図柄遊技処理〕
次に、割込管理処理（図９）の中で実行される特別図柄遊技処理の詳細について説明する。図１４は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、大当り時可変入賞装置管理処理（ステップＳ５０００）、小当り時可変入賞装置管理処理（ステップＳ６０００）のサブルーチン（プログラムモジュール）群を含む構成である。ここでは先ず、各処理に沿って特別図柄遊技処理の基本的な流れを説明する。
【０２０８】
ステップＳ１０００：実行選択処理において、主制御ＣＰＵ７２は次に実行するべき処理（ステップＳ２０００〜ステップＳ５０００のいずれか）のジャンプ先を「ジャンプテーブル」から選択する。例えば、主制御ＣＰＵ７２は次に実行するべき処理のプログラムアドレスをジャンプ先のアドレスとし、また、戻り先のアドレスとして特別図柄遊技処理の末尾をスタックポインタにセットする。
【０２０９】
いずれの処理を次のジャンプ先として選択するかは、これまでに行われた処理の進行状況（特別図柄遊技管理ステータス）によって異なる。例えば、未だ特別図柄が変動表示を開始していない状況であれば（特別図柄遊技管理ステータス：００Ｈ）、主制御ＣＰＵ７２は次のジャンプ先として特別図柄変動前処理（ステップＳ２０００）を選択する。一方、既に特別図柄変動前処理が完了していれば（特別図柄遊技管理ステータス：０１Ｈ）、主制御ＣＰＵ７２は次のジャンプ先として特別図柄変動中処理（ステップＳ３０００）を選択し、特別図柄変動中処理まで完了していれば（特別図柄遊技管理ステータス：０２Ｈ）、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０２１０】
ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
【０２１１】
ステップＳ３０００：特別図柄変動中処理では、主制御ＣＰＵ７２は変動タイマをカウントしつつ、第１特別図柄表示装置３４又は第２特別図柄表示装置３５の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。
【０２１２】
ステップＳ４０００：特別図柄停止表示中処理では、主制御ＣＰＵ７２は第１特別図柄表示装置３４又は第２特別図柄表示装置３５の駆動制御を行う。ここでも同様に、７セグメントＬＥＤの各セグメント及びドットに対してＯＮ又はＯＦＦの駆動信号を出力するが、駆動信号のパターンは一定であり、これにより特別図柄の停止表示が行われる。
【０２１３】
ステップＳ５０００：大当り時可変入賞装置管理処理は、先の特別図柄停止表示中処理において大当りの態様で特別図柄が停止表示された場合に選択される。特別図柄が大当りの態様で停止表示されると、それまでの通常状態から大当り遊技状態（遊技者にとって有利な特別遊技状態）に移行する契機が発生する。大当り遊技中は、先の実行選択処理（ステップＳ１０００）においてジャンプ先が大当り時可変入賞装置管理処理にセットされ、特別図柄の変動表示は行われない。大当り時可変入賞装置管理処理においては、第１大入賞口ソレノイド９０又は第２大入賞口ソレノイド９７が一定時間（例えば２９秒間若しくは０．１秒間又は１０個の遊技球の入球をカウントするまで）、予め設定された連続作動回数（例えば１６回等）にわたって励磁され、これにより第１可変入賞装置３０及び第２可変入賞装置３１が決まったパターンで開閉動作する。この間に第１可変入賞装置３０や第２可変入賞装置３１に対して遊技球を集中的に入賞させることで、遊技者には、まとまって多くの賞球を獲得する機会が与えられる（特別遊技実行手段）。なお、このように大当り時に第１可変入賞装置３０や第２可変入賞装置３１が開閉動作することを「ラウンド」と称し、連続作動回数が全部で１６回あれば、これらを「１６ラウンド」と総称することがある。
【０２１４】
本実施形態では、１ラウンド目から５ラウンド目まで、及び、７ラウンド目から１６ラウンド目までは第１可変入賞装置３０を開閉動作させ、６ラウンド目では第２可変入賞装置３１を開閉動作させている。
【０２１５】
また、主制御ＣＰＵ７２は大当り時可変入賞装置管理処理において大入賞口開放パターン（ラウンド数と１ラウンドごとの開閉動作の回数、開放時間等）を設定すると、１ラウンド分の第１可変入賞装置３０又は第２可変入賞装置３１の開閉動作を終了させるごとにラウンド数カウンタの値を１インクリメントする。ラウンド数カウンタの値は、例えば初期値を０としてＲＡＭ７６のカウント領域に記憶されている。また、主制御ＣＰＵ７２は、ラウンド数カウンタの値を表すラウンド数コマンドを生成する。ラウンド数コマンドは、演出制御出力処理（図９中のステップＳ２１２）において演出制御装置１２４に送信される。ラウンド数カウンタの値が設定した連続作動回数に達すると、主制御ＣＰＵ７２はそのラウンド限りで大当り遊技（大役）を終了する。
【０２１６】
そして、大当り遊技を終了すると、主制御ＣＰＵ７２は遊技状態フラグ（確率変動機能作動フラグ、時間短縮機能作動フラグ）に基づいて大当り遊技終了後の状態（高確率状態、時間短縮状態）を変化させる（高確率時間短縮状態移行手段、有利遊技状態移行手段、特別状態移行手段）。「高確率状態」では確率変動機能が作動し、内部抽選での当選確率が通常よりも例えば１０倍程度に高くなる（特定遊技状態移行手段、高確率状態移行手段、高確率状態設定手段）。また、「時間短縮状態」では時間短縮機能が作動し、普通図柄の作動抽選が高確率になり、また、普通図柄の変動時間が短縮されるとともに可変始動入賞装置２８の開放時間が延長されて開放回数が増加する（いわゆる電チューサポートが行われる）。なお、「高確率状態」及び「時間短縮状態」については、制御上でいずれか一方だけに移行する場合もあれば、これら両方に合わせて移行する場合もある。
【０２１７】
ステップＳ６０００：小当り時可変入賞装置管理処理は、先の特別図柄停止表示中処理において小当りの態様で特別図柄が停止表示された場合に選択される。例えば、特別図柄が小当りの態様で停止表示されると、それまでの通常状態から小当り遊技状態に移行する契機が発生する。小当り遊技中は、先の実行選択処理（ステップＳ１０００）においてジャンプ先が小当り時可変入賞装置管理処理にセットされ、特別図柄の変動表示は行われない。小当り遊技においては、第１可変入賞装置３０が所定の開放時間（例えば、０．１秒）で所定回数（例えば２回）だけ開閉動作するものの、第１大入賞口への入賞はほとんど発生しない。
【０２１８】
〔複数の当選種類〕
本実施形態では、複数の当選種類として、例えば以下の当選種類が設けられている。
（１）「６ラウンド確変大当り１」
（２）「６ラウンド確変大当り２」
（３）「１２ラウンド確変大当り１（実質４ラウンド）」
（４）「１２ラウンド確変大当り２（実質９ラウンド）」
（５）「１２ラウンド通常大当り（実質９ラウンド）」
（６）「１６ラウンド確変大当り」
なお、本実施形態において、６ラウンド、１２ラウンド、１６ラウンド以外の大当りが設けられていてもよい。
【０２１９】
当選種類は、当選時に停止表示される第１特別図柄又は第２特別図柄の種類に対応している。例えば、「６ラウンド確変大当り１」は「６ラウンド確変図柄１」の大当りに対応し、「６ラウンド確変大当り２」は「６ラウンド確変図柄２」の大当りに対応する。また、「１２ラウンド確変大当り１」は「１２ラウンド確変図柄１」の大当りに対応し、「１２ラウンド確変大当り２」は「１２ラウンド確変図柄２」の大当りに対応する。さらに、「１２ラウンド通常大当り」は「１２ラウンド通常図柄」の大当りに対応し、「１６ラウンド確変大当り」は「１６ラウンド確変図柄」の大当りに対応する。このため以下では、「当選種類」のことを「当選図柄」として適宜呼称するものとする。
【０２２０】
〔可変入賞装置の開放動作パターン〕
図１５は、可変入賞装置の開放動作パターンを示す図である。各当選図柄に対応する大入賞口及び確変領域の開放について内容を説明する。
【０２２１】
〔６ラウンド確変図柄１〕
特別図柄停止表示中処理において、特別図柄が「６ラウンド確変図柄１」の態様で停止表示されると、それまでの通常状態から大当り遊技状態に移行する契機が発生する（特別遊技実行手段）。この場合、１ラウンド目から５ラウンド目では、第１可変入賞装置３０の第１大入賞口がロング開放する（例えば２９．０秒開放）。また、６ラウンド目では、第２可変入賞装置３１の第２大入賞口がロング開放する（例えば２９．０秒開放）。このため、「６ラウンド確変図柄１」の大当り遊技は、実質的に６ラウンド分の出玉（賞球）を遊技者に付与するものとなる。
【０２２２】
ここで、「６ラウンド確変図柄１」に該当した場合の６ラウンド目では、第２大入賞口がロング開放するため、遊技球は確変領域を通過する可能性がある。このため、「６ラウンド確変図柄１」に該当した場合であって、６ラウンド目に第２可変入賞装置３１の内部に配置された確変領域を遊技球が通過した場合、大当り遊技の終了後には「確率変動機能」が作動されて、「高確率状態」に移行する特典が遊技者に付与される。
【０２２３】
さらに、「６ラウンド確変図柄１」に該当した場合は、確変領域の通過の有無に関わらず、それまでの遊技で「時間短縮機能」が非作動の状態であったとしても、大当り遊技の終了後に「時間短縮機能」を作動させることで、「時間短縮状態」に移行する特典が遊技者に付与される。
【０２２４】
〔６ラウンド確変図柄２〕
特別図柄停止表示中処理において、特別図柄が「６ラウンド確変図柄２」の態様で停止表示されると、それまでの通常状態から大当り遊技状態に移行する契機が発生する（特別遊技実行手段）。この場合、１ラウンド目から５ラウンド目では、第１可変入賞装置３０の第１大入賞口がロング開放する（例えば２９．０秒開放）。また、６ラウンド目では、第２可変入賞装置３１の第２大入賞口がロング開放する（例えば２９．０秒開放）。このため、「６ラウンド確変図柄２」の大当り遊技は、実質的に６ラウンド分の出玉（賞球）を遊技者に付与するものとなる。
【０２２５】
ここで、「６ラウンド確変図柄２」に該当した場合の６ラウンド目では、第２大入賞口がロング開放するため、遊技球は確変領域を通過する可能性がある。このため、「６ラウンド確変図柄２」に該当した場合であって、６ラウンド目に第２可変入賞装置３１の内部に配置された確変領域を遊技球が通過した場合、大当り遊技の終了後には「確率変動機能」が作動されて、「高確率状態」に移行する特典が遊技者に付与される。
【０２２６】
さらに、「６ラウンド確変図柄２」に該当した場合は、確変領域の通過の有無に関わらず、それまでの遊技で「時間短縮機能」が非作動の状態であったとしても、大当り遊技の終了後に「時間短縮機能」を作動させることで、「時間短縮状態」に移行する特典が遊技者に付与される。なお、「６ラウンド確変図柄１」と「６ラウンド確変図柄２」との相違点は付与される時短回数の違いである（詳細は後述する）。
【０２２７】
〔１２ラウンド確変図柄１〕
特別図柄停止表示中処理において、特別図柄が「１２ラウンド確変図柄１」の態様で停止表示されると、それまでの通常状態から大当り遊技状態に移行する契機が発生する（特別遊技実行手段）。この場合、１ラウンド目及び２ラウンド目では、第１可変入賞装置３０の第１大入賞口がショート開放する（例えば０．１秒開放）。このため、「１２ラウンド確変図柄１」に該当した場合の１ラウンド目及び２ラウンド目では、実質的な出玉（賞球）を遊技者に付与することなく終了する。また、３ラウンド目から５ラウンド目では、第１可変入賞装置３０の第１大入賞口がロング開放する（例えば２９．０秒開放）。また、６ラウンド目では、第２可変入賞装置３１の第２大入賞口がロング開放する（例えば２９．０秒開放）。さらに、７ラウンド目から１２ラウンド目では、第１可変入賞装置３０の第１大入賞口がショート開放する（例えば０．１秒開放）。このため、「１２ラウンド確変図柄１」に該当した場合の７ラウンド目から１２ラウンド目では、実質的な出玉（賞球）を遊技者に付与することなく終了する。このため、「１２ラウンド確変図柄１」の大当り遊技は、実質的に４ラウンド分の出玉（賞球）を遊技者に付与するものとなる。
【０２２８】
ここで、「１２ラウンド確変図柄１」に該当した場合の６ラウンド目では、第２大入賞口がロング開放するため、遊技球は確変領域を通過する可能性がある。このため、「１２ラウンド確変図柄１」に該当した場合であって、６ラウンド目に第２可変入賞装置３１の内部に配置された確変領域を遊技球が通過した場合、大当り遊技の終了後には「確率変動機能」が作動されて、「高確率状態」に移行する特典が遊技者に付与される。
【０２２９】
さらに、「１２ラウンド確変図柄１」に該当した場合は、確変領域の通過の有無に関わらず、それまでの遊技で「時間短縮機能」が非作動の状態であったとしても、大当り遊技の終了後に「時間短縮機能」を作動させることで、「時間短縮状態」に移行する特典が遊技者に付与される。
【０２３０】
〔１２ラウンド確変図柄２〕
特別図柄停止表示中処理において、特別図柄が「１２ラウンド確変図柄２」の態様で停止表示されると、それまでの通常状態から大当り遊技状態に移行する契機が発生する（特別遊技実行手段）。この場合、１ラウンド目から５ラウンド目では、第１可変入賞装置３０の第１大入賞口がロング開放する（例えば２９．０秒開放）。また、６ラウンド目では、第２可変入賞装置３１の第２大入賞口がロング開放する（例えば２９．０秒開放）。さらに、７ラウンド目から９ラウンド目では、第１可変入賞装置３０の第１大入賞口がロング開放する（例えば２９．０秒開放）。さらに、１０ラウンド目から１２ラウンド目では、第１可変入賞装置３０の第１大入賞口がショート開放する（例えば０．１秒開放）。このため、「１２ラウンド確変図柄２」に該当した場合の１０ラウンド目から１２ラウンド目では、実質的な出玉（賞球）を遊技者に付与することなく終了する。このため、「１２ラウンド確変図柄２」の大当り遊技は、実質的に９ラウンド分の出玉（賞球）を遊技者に付与するものとなる。
【０２３１】
ここで、「１２ラウンド確変図柄２」に該当した場合の６ラウンド目では、第２大入賞口がロング開放するため、遊技球は確変領域を通過する可能性がある。このため、「１２ラウンド確変図柄２」に該当した場合であって、６ラウンド目に第２可変入賞装置３１の内部に配置された確変領域を遊技球が通過した場合、大当り遊技の終了後には「確率変動機能」が作動されて、「高確率状態」に移行する特典が遊技者に付与される。
【０２３２】
さらに、「１２ラウンド確変図柄２」に該当した場合は、確変領域の通過の有無に関わらず、それまでの遊技で「時間短縮機能」が非作動の状態であったとしても、大当り遊技の終了後に「時間短縮機能」を作動させることで、「時間短縮状態」に移行する特典が遊技者に付与される。
【０２３３】
〔１２ラウンド通常図柄〕
特別図柄停止表示中処理において、特別図柄が「１２ラウンド通常図柄」の態様で停止表示されると、それまでの通常状態から大当り遊技状態に移行する契機が発生する（特別遊技実行手段）。この場合、１ラウンド目から５ラウンド目では、第１可変入賞装置３０の第１大入賞口がロング開放する（例えば２９．０秒開放）。また、６ラウンド目では、第２可変入賞装置３１の第２大入賞口がショート開放する（例えば０．１秒開放）。さらに、７ラウンド目から１０ラウンド目では、第１可変入賞装置３０の第１大入賞口がロング開放する（例えば２９．０秒開放）。さらに、１０ラウンド目及び１１ラウンド目では、第１可変入賞装置３０の第１大入賞口がショート開放する（例えば０．１秒開放）。このため、「１２ラウンド通常図柄」に該当した場合の１０ラウンド目及び１１ラウンド目では、実質的な出玉（賞球）を遊技者に付与することなく終了する。このため、「１２ラウンド通常図柄」の大当り遊技は、実質的に９ラウンド分の出玉（賞球）を遊技者に付与するものとなる。
【０２３４】
ここで、「１２ラウンド通常図柄」に該当した場合の６ラウンド目では、第２大入賞口がショート開放するため、遊技球が確変領域を通過することは困難（不可能）である。このため、大当り遊技の終了後には「確率変動機能」が作動されることはなく、「高確率状態」に移行する特典が遊技者に付与されることもない。
【０２３５】
また、「１２ラウンド通常図柄」に該当した場合は、それまでの遊技で「時間短縮機能」が非作動の状態であったとしても、大当り遊技の終了後に「時間短縮機能」を作動させることで、「時間短縮状態」に移行する特典が遊技者に付与される。
【０２３６】
〔１６ラウンド確変図柄〕
特別図柄停止表示中処理において、特別図柄が「１６ラウンド確変図柄」の態様で停止表示されると、それまでの通常状態から大当り遊技状態に移行する契機が発生する（特別遊技実行手段）。この場合、１ラウンド目から５ラウンド目では、第１可変入賞装置３０の第１大入賞口がロング開放する（例えば２９．０秒開放）。また、６ラウンド目では、第２可変入賞装置３１の第２大入賞口がロング開放する（例えば２９．０秒開放）。さらに、７ラウンド目から１６ラウンド目では、第１可変入賞装置３０の第１大入賞口がロング開放する（例えば２９．０秒開放）。このため、「１６ラウンド確変図柄」の大当り遊技は、実質的に１６ラウンド分の出玉（賞球）を遊技者に付与するものとなる。
【０２３７】
ここで、「１６ラウンド確変図柄」に該当した場合の６ラウンド目では、第２大入賞口がロング開放するため、遊技球は確変領域を通過する可能性がある。このため、「１６ラウンド確変図柄」に該当した場合であって、６ラウンド目に第２可変入賞装置３１の内部に配置された確変領域を遊技球が通過した場合、大当り遊技の終了後には「確率変動機能」が作動されて、「高確率状態」に移行する特典が遊技者に付与される。
【０２３８】
さらに、「１６ラウンド確変図柄」に該当した場合は、確変領域の通過の有無に関わらず、それまでの遊技で「時間短縮機能」が非作動の状態であったとしても、大当り遊技の終了後に「時間短縮機能」を作動させることで、「時間短縮状態」に移行する特典が遊技者に付与される。
【０２３９】
ここで、第１可変入賞装置３０の第１大入賞口は、１ラウンド内に規定回数（例えば１０回＝遊技球１０個）の入賞が発生すると、最長の開放時間の経過を待たずに閉鎖される。また、第２可変入賞装置３１の第２大入賞口も同様に、１ラウンド内に規定回数（例えば１０回＝遊技球１０個）の入賞が発生すると、最長の開放時間の経過を待たずに閉鎖される。
【０２４０】
いずれにしても、当選図柄が「１２ラウンド通常図柄以外のいずれかの確変図柄」に該当し、かつ、大当り遊技中に遊技球が確変領域を通過すると、大当り遊技終了後に内部状態を「高確率時間短縮状態」に移行させる特典が遊技者に付与される。一方、当選図柄が「１２ラウンド通常図柄」に該当すると、大当り遊技中に遊技球が確変領域を通過することは困難であるため、大当り遊技終了後に内部状態は「低確率時間短縮状態」に移行する。なお、当選図柄が「１２ラウンド通常図柄以外のいずれかの確変図柄」に該当しても、大当り遊技中に遊技球が確変領域を通過しなければ、大当り遊技終了後に内部状態は「低確率時間短縮状態」に移行する。
【０２４１】
また、本テーブルに示す動作パターンにおいては、ラウンド間インターバル時間は共通の「１．５秒」となっている。なお、ラウンド間インターバル時間とは、ラウンドとラウンドとの間に設定される待機時間のことである。
【０２４２】
〔小当り〕
また、本実施形態では、非当選以外の当選種類として小当りが設けられている。小当りに当選すると、大当り遊技とは別に小当り遊技が行われて第１可変入賞装置３０が開閉動作する（特例遊技実行手段）。すなわち、先の特別図柄停止表示中処理において、第１特別図柄が小当りの態様で停止表示されると、通常確率状態又は高確率状態の中で小当り遊技（第１可変入賞装置３０が作動する遊技）が実行される。このような小当り遊技では第１可変入賞装置３０が所定回数（例えば２回）だけ開閉動作するものの、第１大入賞口への入賞はほとんど発生しない。また、小当り遊技が終了しても、「確率変動機能」が作動することはなく、また、「時間短縮機能」が作動することもないので、「高確率状態」や「時間短縮状態」へ移行する特典は付与されない（そのための前提条件とはならない。）。また、「高確率状態」で小当りに当選しても、その小当り遊技終了後に「高確率状態」が終了することはないし、「時間短縮状態」で小当りに当選しても、その小当り遊技終了後に「時間短縮状態」が終了することもない（上限回数に達した場合を除く。）。なお、本実施形態では、小当りを設定する遊技仕様としているが、小当りを設定しない遊技仕様とすることもできる。
【０２４３】
〔特別図柄変動前処理〕
図１６は、特別図柄変動前処理の手順例を示すフローチャートである。以下、各手順に沿って説明する。
【０２４４】
ステップＳ２１００：先ず主制御ＣＰＵ７２は、第１特別図柄作動記憶数又は第２特別図柄作動記憶数が残存しているか（０より大であるか）否かを確認する。この確認は、ＲＡＭ７６に記憶されている作動記憶数カウンタの値を参照して行うことができる。第１特別図柄及び第２特別図柄の両方の作動記憶数が０であった場合（Ｎｏ）、主制御ＣＰＵ７２はステップＳ２５００のデモ設定処理を実行する。
【０２４５】
ステップＳ２５００：この処理では、主制御ＣＰＵ７２はデモ演出用コマンドを生成する。デモ演出用コマンドは、演出制御出力処理（図９中のステップＳ２１２）において演出制御装置１２４に出力される。デモ設定処理を実行すると、主制御ＣＰＵ７２は特別図柄遊技処理に復帰する。なお、復帰時は、上述したように末尾アドレスに復帰する（以降も同様）。
【０２４６】
これに対し、第１特別図柄又は第２特別図柄のいずれかの作動記憶数カウンタの値が０より大きければ（Ｙｅｓ）、主制御ＣＰＵ７２は次にステップＳ２１０２を実行する。
【０２４７】
ステップＳ２１０２：主制御ＣＰＵ７２は、変動回数カウンタをインクリメントする処理を実行する。変動回数カウンタはＲＡＭ７６に記憶されており、初期値は０である。この変動回数カウンタは大当り時にリセットされる。これにより、電源投入後又は大当り後の変動回数をカウントすることができる。
【０２４８】
ステップＳ２２００：主制御ＣＰＵ７２は、特別図柄記憶エリアシフト処理を実行する。この処理では、主制御ＣＰＵ７２はＲＡＭ７６の乱数記憶領域に記憶されている抽選用乱数（大当り決定乱数、大当り図柄乱数）のうち、第２特別図柄に対応する方を優先的に読み出す。このとき２つ以上のセクションに乱数が記憶されていれば、主制御ＣＰＵ７２は先頭のセクションから順に乱数を読み出して消去（消費）した後、残った乱数を１つずつ前のセクションに移動（シフト）させる。読み出した乱数は、例えば別の一時記憶領域に保存される。第２特別図柄に対応する乱数が記憶されていない場合、主制御ＣＰＵ７２は第１特別図柄に対応する乱数を読み出して一時記憶領域に保存する。一時記憶領域に保存された各乱数は、次の大当り判定処理で内部抽選に使用される。その結果、本実施形態では第１特別図柄よりも第２特別図柄の変動表示が優先的に行われることになる。なお、このような特別図柄別の優先順位を設けることなく、単純に記憶された順番で乱数が読み出されるプログラムであってもよい。また、この処理において、主制御ＣＰＵ７２はＲＡＭ７６に記憶されている作動記憶数カウンタ（第１特別図柄又は第２特別図柄のうち、乱数のシフトを行った方）の値を１つ減算し、減算後の値を「変動開始時作動記憶数」に設定する。これにより、表示出力管理処理（図９中のステップＳ２１０）の中で第１特別図柄作動記憶ランプ３４ａ又は第２特別図柄作動記憶ランプ３５ａによる記憶数の表示態様が変化（１減少）する。ここまでの手順を終えると、主制御ＣＰＵ７２は次にステップＳ２３００を実行する。
【０２４９】
ステップＳ２３００：主制御ＣＰＵ７２は、大当り判定処理（内部抽選）を実行する。この処理では、主制御ＣＰＵ７２は、先ず大当り値の範囲を設定し、この範囲内に読み出した乱数値が含まれるか否かを判断する（抽選実行手段）。このとき設定される大当り値の範囲は、通常確率状態と高確率状態（確率変動機能作動時）とで異なり、高確率状態では通常確率状態よりも大当り値の範囲が約１０倍程度に拡大される。そして、このとき読み出した乱数値が大当り値の範囲内に含まれていれば、主制御ＣＰＵ７２は大当りフラグ（０１Ｈ）をセットし、次にステップＳ２４００に進む。
【０２５０】
大当りフラグをセットしない場合、主制御ＣＰＵ７２は同じ大当り判定処理において、次に小当り値の範囲を設定し、この範囲内に読み出した乱数値が含まれるか否かを判断する（抽選実行手段）。ここでいう「小当り」は、非当選（はずれ）以外であるが、「大当り」とは異なる性質のものである。すなわち、「大当り」は「高確率状態」や「時間短縮状態」に移行させる契機（遊技の節目）を発生させるものであるが、「小当り」はそのような契機を発生しない。ただし「小当り」は、「大当り」と同様に第１可変入賞装置３０を作動させる条件を満たすものとして位置付けられている。なお、このとき設定される小当り値の範囲は、通常確率状態と高確率状態（確率変動機能作動時）とで異なっていてもよいし、同じでもよい。いずれにしても、読み出した乱数値が小当り値の範囲内に含まれていれば、主制御ＣＰＵ７２は小当りフラグをセットし、次にステップＳ２４００に進む。このように、本実施形態では非当選以外に該当する当り範囲として、大当り値と小当り値の範囲が予めプログラム上で規定されているが、予め状態別の大当り判定テーブル、小当り判定テーブルをそれぞれＲＯＭ７４に書き込んでおき、これを読み出して乱数値と対比しながら大当り判定を行ってもよい。
【０２５１】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０２を実行する。
【０２５２】
ステップＳ２４０２：主制御ＣＰＵ７２は、先の大当り判定処理で小当りフラグに値（０１Ｈ）がセットされたか否かを判断する。小当りフラグに値（０１Ｈ）がセットされていなければ（Ｎｏ）、主制御ＣＰＵ７２は次にステップＳ２４０４を実行する。なお、主制御ＣＰＵ７２は大当りフラグと小当りフラグとを別々に用意せずに、共通当りフラグの値によって大当り（例えば０１Ｈを設定）又は小当り（例えば０ＡＨを設定）を判別してもよい。
【０２５３】
ステップＳ２４０４：主制御ＣＰＵ７２は、はずれ時停止図柄決定処理を実行する。この処理では、主制御ＣＰＵ７２は、第１特別図柄表示装置３４又は第２特別図柄表示装置３５によるはずれ時の停止図柄番号データをセットする。また、主制御ＣＰＵ７２は、演出制御装置１２４に送信するための停止図柄コマンド及び抽選結果コマンド（はずれ時）を生成する。これらコマンドは、演出制御出力処理（図９中のステップＳ２１２）において演出制御装置１２４に送信される。
【０２５４】
なお、本実施形態では、第１特別図柄表示装置３４や第２特別図柄表示装置３５に７セグメントＬＥＤを用いているため、例えば、はずれ時の停止図柄の表示態様を常に１つのセグメント（中央のバー「−」）の点灯表示だけにしておき、停止図柄番号データを１つの値（例えば６４Ｈ）に固定することができる。この場合、プログラム上で使用する記憶容量を削減し、主制御ＣＰＵ７２の処理負荷を軽減して処理速度を向上することができる。
【０２５５】
ステップＳ２４０５：次に主制御ＣＰＵ７２は、はずれ時変動パターン決定処理を実行する。この処理では、主制御ＣＰＵ７２は、特別図柄について、はずれ時の変動パターン番号を決定する（変動パターン選択手段）。変動パターン番号は、特別図柄の変動表示の種類（パターン）を区別したり、変動表示にかかる変動時間に対応したりするものである。はずれ時の変動時間は、「時間短縮状態」であるか否かによって異なってくるため、この処理において主制御ＣＰＵ７２は、遊技状態フラグをロードし、現在の状態が「時間短縮状態」であるか否かを確認する。「時間短縮状態」であれば、基本的にリーチ変動を行う場合を除き、はずれ時の変動時間は短縮された時間（例えば、２．０秒程度）に設定される（短縮時変動時間決定手段）。また、「時間短縮状態」でなくとも、リーチ変動を行う場合を除き、はずれ時の変動時間は例えばステップＳ２２００で設定した「変動表示開始時作動記憶数（０個〜３個）」に基づいて短縮される場合がある（例えば、変動表示開始時作動記憶数０個→１２．５秒程度、変動表示開始時作動記憶数１個→８秒程度、変動表示開始時作動記憶数２個→５秒程度、変動表示開始時作動記憶数３個→２．５秒程度）。なお、はずれ時の図柄の停止表示時間は変動パターンに関わらず一定（例えば０．５秒程度）である。主制御ＣＰＵ７２は、決定した変動時間（はずれ時）の値を変動タイマにセットするとともに、はずれ時の停止表示時間の値を停止図柄表示タイマにセットする。
【０２５６】
本実施形態では、内部抽選の結果、非当選に該当した場合、演出上で例えば「リーチ演出」を発生させてはずれとしたり、「リーチ演出」を発生させずにはずれとしたりする制御を行うこととしている。そして、「はずれ時変動パターン選択テーブル」には、予め複数種類の演出、例えば「非リーチ演出」、「リーチ演出」に対応した変動パターンが規定されており、非当選に該当した場合は、その中からいずれかの変動パターンが選択されることになる。なお、リーチ演出には、ノーマルリーチ演出、ロングリーチ演出、スーパーリーチ演出等といった様々なリーチ演出が含まれる。
【０２５７】
〔はずれ時変動パターン選択テーブルの例〕
図１７は、はずれ時変動パターン選択テーブル（低確率非時間短縮状態）の一例を示す図である。
この選択テーブルは、低確率非時間短縮状態でのはずれ時（非当選に該当した場合）に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１」〜「８」が割り当てられている。
【０２５８】
変動パターン番号「１」〜「５」は、リーチ演出が行われずに、はずれとなる変動パターンに対応しており、変動パターン番号「６」〜「８」は、リーチ後にはずれとなる変動パターンに対応している。なお、変動パターン選択テーブルは、変動開始時作動記憶数に応じて異なるテーブル内容としてもよい（以下、同様）。
【０２５９】
ここで、非リーチ変動パターンとリーチ変動パターンでは、設定される変動時間の長さが大きく異なっている。すなわち、「非リーチ変動パターン」は基本的に短い変動時間（例えば作動記憶数に応じて３．０秒〜１２．０秒程度）に対応するものであるのに対し、「リーチ変動パターン」はその倍以上の長い変動時間（例えば３０秒〜１５０秒程度）に対応するものである。
【０２６０】
そして、主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２」を選択する。
【０２６１】
図１８は、はずれ時変動パターン選択テーブル（高確率時間短縮状態）の一例を示す図である。
この選択テーブルは、高確率時間短縮状態でのはずれ時（非当選に該当した場合）に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「２１」〜「２８」が割り当てられている。
【０２６２】
変動パターン番号「２１」〜「２５」は、リーチ演出が行われずに、はずれとなる変動パターンに対応しており、変動パターン番号「２６」〜「２８」は、リーチ後にはずれとなる変動パターンに対応している。ただし、変動パターン番号「２１」〜「２５」は、時間短縮変動での非リーチ変動となるため、通常状態の変動時間として短縮した変動時間（例えば、２．０秒程度）が設定されている。
【０２６３】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２２」を選択する。
【０２６４】
図１９は、はずれ時変動パターン選択テーブル（高確率時間短縮状態の特殊区間）の一例を示す図である。
この選択テーブルは、高確率時間短縮状態の特殊区間でのはずれ時（非当選に該当した場合）に参照されるテーブルである（変動パターン規定手段）。高確率時間短縮状態の特殊区間とは、高確率時間短縮状態に移行した場合であって大当り遊技後の変動回数が１００変動目の変動区間である。
【０２６５】
高確率時間短縮状態の特殊区間でのはずれ時の変動パターンは、変動回数の節目で行う演出尺（時間）を確保するため、すべて同一の変動パターン（変動時間は例えば１９秒程度）を設定しており、この選択テーブルでは、予め定められた１つの変動パターン（特殊変動パターン４１）を選択するテーブル構成としている。なお、高確率時間短縮状態に上記の特殊区間を設けない場合、図１９の変動パターン選択テーブルを設けなくてもよい。
【０２６６】
したがって、主制御ＣＰＵ７２は、取得した変動パターン決定乱数値がいずれの値であっても、変動パターン番号として「４１」を選択する。なお、特殊変動パターン４１は、変動時間が固定された特殊パターンであり、記憶数によって変動時間が短縮されることはない。
【０２６７】
図２０は、はずれ時変動パターン選択テーブル（高確率非時間短縮状態）の一例を示す図である。
この選択テーブルは、高確率非時間短縮状態でのはずれ時（非当選に該当した場合）に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「６１」〜「６８」が割り当てられている。
【０２６８】
変動パターン番号「６１」〜「６５」は、リーチ演出が行われずに、はずれとなる変動パターンに対応しており、変動パターン番号「６６」〜「６８」は、リーチ後にはずれとなる変動パターンに対応している。ただし、変動パターン番号「６１」〜「６５」は、非時間短縮変動での非リーチ変動となるため、通常状態（低確率非時間短縮状態）の変動時間と同程度の変動時間が設定されている。
【０２６９】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「６２」を選択する。
【０２７０】
図２１は、はずれ時変動パターン選択テーブル（高確率非時間短縮状態の特殊区間）の一例を示す図である。
この選択テーブルは、高確率非時間短縮状態の特殊区間でのはずれ時（非当選に該当した場合）に参照されるテーブルである（変動パターン規定手段）。高確率非時間短縮状態の特殊区間とは、高確率非時間短縮状態に移行した場合であって大当り遊技後の変動回数が１０１変動目、１２４変動目、１４７変動目の変動区間である。
【０２７１】
高確率非時間短縮状態の特殊区間でのはずれ時の変動パターンは、変動回数の節目で行う演出尺（時間）を確保するため、すべて同一の変動パターン（変動時間は例えば１３秒程度）を設定しており、この選択テーブルでは、予め定められた１つの変動パターン（特殊変動パターン８１）を選択するテーブル構成としている。したがって、主制御ＣＰＵ７２は、取得した変動パターン決定乱数値がいずれの値であっても、変動パターン番号として「８１」を選択する。なお、特殊変動パターン８１は、変動時間が固定された変動パターンであり、記憶数によって変動時間が短縮されることはない。なお、高確率非時間短縮状態に上記の特殊区間を設けない場合、図２１の変動パターン選択テーブルを設けなくてもよい。
【０２７２】
図２２は、はずれ時変動パターン選択テーブル（低確率時間短縮状態）の一例を示す図である。
この選択テーブルは、低確率時間短縮状態でのはずれ時（非当選に該当した場合）に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１０１」〜「１０８」が割り当てられている。
【０２７３】
変動パターン番号「１０１」〜「１０５」は、リーチ演出が行われずに、はずれとなる変動パターンに対応しており、変動パターン番号「１０６」〜「１０８」は、リーチ後にはずれとなる変動パターンに対応している。ただし、変動パターン番号「１０１」〜「１０５」は、時間短縮変動での非リーチ変動となるため、通常状態の変動時間として短縮した変動時間（例えば、３．０秒程度）が設定されている。
【０２７４】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「１０２」を選択する。
【０２７５】
〔図１６：特別図柄変動前処理を参照〕
以上のステップＳ２４０４，ステップＳ２４０５は、大当り判定結果がはずれ時（非当選以外の場合）の制御手順であるが、判定結果が大当り（ステップＳ２４００：Ｙｅｓ）又は小当り（ステップＳ２４０２：Ｙｅｓ）の場合、主制御ＣＰＵ７２は以下の手順を実行する。先ず、大当りの場合について説明する。
【０２７６】
ステップＳ２４１０：主制御ＣＰＵ７２は、大当り時停止図柄決定処理を実行する（当選種類決定手段）。この処理では、主制御ＣＰＵ７２は大当り図柄乱数に基づき、特別図柄別（第１特別図柄又は第２特別図柄）に今回の当選図柄の種類（大当り時停止図柄番号）を決定する。大当り図柄乱数値と当選図柄の種類との関係は、予め特別図柄判定データテーブルで規定されている（当選種類規定手段）。このため主制御ＣＰＵ７２は、大当り時停止図柄決定処理において大当り時停止図柄選択テーブルを参照し、その記憶内容から大当り図柄乱数に基づいて当選図柄の種類を決定することができる。
【０２７７】
〔大当り時の当選図柄〕
本実施形態では大当り時に選択的に決定される当選図柄として、大きく分けて６種類の当選図柄が用意されている。６種類の内訳は、「６ラウンド確変図柄１」、「６ラウンド確変図柄２」、「１２ラウンド確変図柄１」、「１２ラウンド確変図柄２」、「１２ラウンド通常図柄」、「１６ラウンド確変図柄」である。なお、各当選図柄は、さらに複数の当選図柄を含んでいてもよい。例えば「６ラウンド確変図柄１」であれば、「６ラウンド確変図柄１ａ」、「６ラウンド確変図柄１ｂ」、「６ラウンド確変図柄１ｃ」、・・・といった具合である。
【０２７８】
また、本実施形態では、第１特別図柄と第２特別図柄とでは、それぞれに対応する内部抽選の大当り時に選択される当選図柄の選択比率が異なっている。このため主制御ＣＰＵ７２は、今回の大当りの結果が第１特別図柄に対応するものであるか、第２特別図柄に対応するものであるかによって選択する当選図柄を区別している。
【０２７９】
〔第１特別図柄大当り時停止図柄選択テーブル〕
図２３は、第１特別図柄大当り時停止図柄選択テーブルの構成例を示す図である。主制御ＣＰＵ７２は、今回の大当りの結果が第１特別図柄に対応する場合、この第１特別図柄大当り時停止図柄選択テーブル（当選種類規定手段）を参照して当選図柄の種類を決定する。
【０２８０】
第１特別図柄大当り時停止図柄選択テーブル中、左カラムには当選図柄別の振分値が示されており、各振分値「４０」，「１０」，「５０」は分母を１００とした場合の割合に相当する。また、左から２番目のカラムには、各振分値に対応する「１２ラウンド確変図柄１（実質４ラウンド）」、「１２ラウンド確変図柄２（実質９ラウンド）」、「１２ラウンド通常図柄（実質９ラウンド）」が示されている。すなわち、第１特別図柄に対応する大当り時には、「１２ラウンド確変図柄１（実質４ラウンド）」が選択される割合は１００分の４０（＝４０％）であり、「１２ラウンド確変図柄２（実質９ラウンド）」が選択される割合は１００分の１０（＝１０％）であり、「１２ラウンド通常大当り（実質９ラウンド）」が選択される割合は１００分の５０（＝５０％）である。各振分値の大きさは、大当り図柄乱数を用いた当選図柄別の選択比率に相当する。
【０２８１】
いずれにしても、今回の大当りの結果が第１特別図柄に対応する場合、主制御ＣＰＵ７２は大当り図柄乱数に基づいて選択抽選を行い、第１特別図柄大当り時停止図柄選択テーブルに示される選択比率で当選図柄を選択的に決定する。また、第１特別図柄大当り時停止図柄選択テーブルには、左から３番目のカラムに示されるように当選時の停止図柄コマンドとして例えば２バイトのコマンドデータが規定されている。停止図柄コマンドは、例えばＭＯＤＥ値−ＥＶＥＮＴ値の組み合わせで記述されており、このうち上位バイトのＭＯＤＥ値「Ｂ１Ｈ」は、今回の当選図柄が第１特別図柄の大当り時に選択されたものであることを表している。また、下位バイトのＥＶＥＮＴ値「０１Ｈ」，「０２Ｈ」，「０３Ｈ」は、それぞれ選択テーブル中で対応する当選図柄の種類を表している。このため例えば、今回の大当りの結果が第１特別図柄に対応するものであり、当選図柄として「１２ラウンド確変図柄１」が選択された場合、当選時の停止図柄コマンドは「Ｂ１Ｈ０１Ｈ」で記述されることになる。
【０２８２】
以上のように、主制御ＣＰＵ７２は第１特別図柄大当り時停止図柄選択テーブルから当選図柄を選択すると、そのときの停止図柄コマンドを生成する。生成した停止図柄コマンドは、例えば演出制御出力処理において演出制御装置１２４に送信される。また、主制御ＣＰＵ７２は、選択した当選図柄に基づいて第１特別図柄についての大当り時停止図柄番号を決定する。
【０２８３】
〔確変回数〕
第１特別図柄大当り時停止図柄選択テーブルの右から２番目のカラムには、大当り遊技の終了後に付与される確変回数（ＳＴ回数）の値が示されている。
本実施形態では、「１２ラウンド確変図柄１」又は「１２ラウンド確変図柄２」に該当し、大当り遊技中に遊技球が確変領域を通過した場合、確変回数は１７０回付与される。
一方、「１２ラウンド通常図柄」に該当した場合、大当り遊技中に遊技球が確変領域を通過することは困難となっているため、確変回数は付与されない。なお、「１２ラウンド確変図柄１」又は「１２ラウンド確変図柄２」に該当したものの、大当り遊技中に遊技球が確変領域を通過しなかった場合、確変回数は付与されない。
【０２８４】
〔時短回数〕
第１特別図柄大当り時停止図柄選択テーブルの右カラムには、大当り遊技の終了後に付与される時短回数（限度回数）の値が示されている。
本実施形態では、「１２ラウンド確変図柄１」又は「１２ラウンド確変図柄２」に該当し、大当り遊技中に遊技球が確変領域を通過した場合、時短回数は１７０回付与される。
一方、「１２ラウンド通常図柄」に該当した場合、時短回数は１００回付与される。
なお、「１２ラウンド確変図柄１」又は「１２ラウンド確変図柄２」に該当したものの、大当り遊技中に遊技球が確変領域を通過しなかった場合、時短回数は１００回付与される。
【０２８５】
〔第２特別図柄大当り時停止図柄選択テーブル〕
図２４は、第２特別図柄大当り時停止図柄選択テーブルの構成例を示す図である。主制御ＣＰＵ７２は、今回の大当りの結果が第２特別図柄に対応する場合、この第２特別図柄大当り時停止図柄選択テーブル（当選種類規定手段）を参照して当選図柄の種類を決定する。
【０２８６】
第２特別図柄大当り時停止図柄選択テーブルにおいても、その左カラムには当選図柄別の振分値が示されており、各振分値「６０」，「２０」，「２０」は分母を１００とした場合の割合に相当する。同様に左から２番目のカラムには、振分値に対応する「１６ラウンド確変図柄」、「６ラウンド確変図柄１」、「６ラウンド確変図柄２」が示されている。すなわち、第２特別図柄に対応する大当り時においては、「１６ラウンド確変図柄」が選択される割合は１００分の６０（＝６０％）であり、「６ラウンド確変図柄１」が選択される割合は１００分の２０（＝２０％）であり、「６ラウンド確変図柄２」が選択される割合は１００分の２０（＝２０％）である。
【０２８７】
今回の大当りの結果が第２特別図柄に対応する場合、主制御ＣＰＵ７２は大当り図柄乱数に基づいて選択抽選を行い、第２特別図柄大当り時停止図柄選択テーブルに示される選択比率で当選図柄を選択的に決定する。同様に第２特別図柄大当り時停止図柄選択テーブルにも、その左から３番目のカラムに示されるように当選時の停止図柄コマンドとして例えば２バイトのコマンドデータが規定されている。ここでも停止図柄コマンドは、ＭＯＤＥ値−ＥＶＥＮＴ値の組み合わせで記述されており、このうち上位バイトのＭＯＤＥ値「Ｂ２Ｈ」は、今回の当選図柄が第２特別図柄の大当り時に選択されたものであることを表している。また、下位バイトのＥＶＥＮＴ値「０１Ｈ」，「０２Ｈ」，「０３Ｈ」は、それぞれ選択テーブル中で対応する当選図柄の種類を表している。このため例えば、今回の大当りの結果が第２特別図柄に対応するものであり、当選図柄として「１６ラウンド確変図柄」が選択された場合、停止図柄コマンドは「Ｂ２Ｈ０１Ｈ」で記述されることになる。
【０２８８】
以上のように、主制御ＣＰＵ７２は第２特別図柄大当り時停止図柄選択テーブルから当選図柄を選択すると、そのときの停止図柄コマンドを生成する。生成した停止図柄コマンドは、例えば演出制御出力処理において演出制御装置１２４に送信される。また、主制御ＣＰＵ７２は、選択した当選図柄に基づいて第２特別図柄についての大当り時停止図柄番号を決定する。
【０２８９】
〔確変回数〕
第２特別図柄大当り時停止図柄選択テーブルの右から２番目のカラムには、大当り遊技の終了後に付与される確変回数（ＳＴ回数）の値が示されている。
本実施形態では、「１６ラウンド確変図柄」、「６ラウンド確変図柄１」又は「６ラウンド確変図柄２」に該当し、大当り遊技中に遊技球が確変領域を通過した場合、確変回数は１７０回付与される。なお、「１６ラウンド確変図柄」、「６ラウンド確変図柄１」又は「６ラウンド確変図柄２」に該当したものの、大当り遊技中に遊技球が確変領域を通過しなかった場合、確変回数は付与されない。
【０２９０】
〔時短回数〕
第２特別図柄大当り時停止図柄選択テーブルの右カラムには、大当り遊技の終了後に付与される時短回数（限度回数）の値が示されている。
本実施形態では、「１６ラウンド確変図柄」又は「６ラウンド確変図柄１」に該当し、大当り遊技中に遊技球が確変領域を通過した場合、時短回数は１７０回付与される。
一方、「６ラウンド確変図柄２」に該当し、大当り遊技中に遊技球が確変領域を通過した場合、時短回数は１００回付与される。
なお、「１６ラウンド確変図柄」、「６ラウンド確変図柄１」又は「６ラウンド確変図柄２」に該当したものの、大当り遊技中に遊技球が確変領域を通過しなかった場合、時短回数は１００回付与される。
【０２９１】
〔図１６：特別図柄変動前処理を参照〕
ステップＳ２４１２：次に主制御ＣＰＵ７２は、大当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する。また、主制御ＣＰＵ７２は、決定した変動時間の値を変動タイマにセットするとともに、停止表示時間の値を停止図柄表示タイマにセットする。一般的に大当りリーチ変動の場合、はずれ時よりも長い変動時間が決定される。
【０２９２】
本実施形態では、内部抽選の結果、大当りに該当した場合、演出上で例えば「リーチ演出」を発生させて大当りとする制御を行っている。そして、「大当り時変動パターン選択テーブル」には、複数種類の「リーチ演出」に対応した変動パターンが規定されており、大当りに該当した場合は、その中からいずれかの変動パターンが選択されることになる。
ここで、リーチ演出には、ノーマルリーチ演出、ロングリーチ演出、スーパーリーチ演出等といった様々なリーチ演出が含まれる。また、時間短縮機能が作動している状態での当選時には、長い変動時間を有する変動パターンを選択せずに、短い変動時間を有する変動パターン（リーチ演出を行わない変動パターン）を選択してもよい。
【０２９３】
〔大当り時変動パターン選択テーブルの例〕
図２５は、大当り時変動パターン選択テーブル（低確率非時間短縮状態）の一例を示す図である。
この選択テーブルは、低確率非時間短縮状態で大当りに当選した場合に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１６１」〜「１６８」が割り当てられている。
【０２９４】
変動パターン番号「１６１」〜「１６８」は、いずれもリーチ演出が行われて当りとなる変動パターンに対応している。
【０２９５】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「１６２」を選択する。
【０２９６】
図２６は、大当り時変動パターン選択テーブル（高確率時間短縮状態）の一例を示す図である。
この選択テーブルは、高確率時間短縮状態で大当りに当選した場合に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１８１」〜「１８８」が割り当てられている。
【０２９７】
変動パターン番号「１８１」〜「１８８」は、いずれもリーチ演出が行われて当りとなる変動パターンに対応している。
【０２９８】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「１８２」を選択する。
【０２９９】
図２７は、大当り時変動パターン選択テーブル（高確率非時間短縮状態）の一例を示す図である。
この選択テーブルは、高確率非時間短縮状態で大当りに当選した場合に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「２０１」〜「２０８」が割り当てられている。
【０３００】
変動パターン番号「２０１」〜「２０８」は、いずれもリーチ演出が行われて当りとなる変動パターンに対応している。
【０３０１】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２０２」を選択する。
【０３０２】
図２８は、大当り時変動パターン選択テーブル（低確率時間短縮状態）の一例を示す図である。
この選択テーブルは、低確率時間短縮状態で大当りに当選した場合に参照されるテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「２２１」〜「２２８」が割り当てられている。
【０３０３】
変動パターン番号「２２１」〜「２２８」は、いずれもリーチ演出が行われて当りとなる変動パターンに対応している。
【０３０４】
主制御ＣＰＵ７２は、取得した変動パターン決定乱数値を、変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であった場合、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２２２」を選択する。
【０３０５】
〔図１６：特別図柄変動前処理を参照〕
ステップＳ２４１４：次に主制御ＣＰＵ７２は、大当り時その他設定処理を実行する。この処理では、主制御ＣＰＵ７２は、先のステップＳ２４１０で決定した当選図柄の種類（大当り時停止図柄番号）がいずれの当選図柄であっても、遊技状態フラグとして時間短縮機能作動フラグの値（０１Ｈ）をＲＡＭ７６のフラグ領域にセットする（時間短縮状態移行手段、時間短縮機能作動手段、有利遊技状態移行手段、特別状態移行手段）。
【０３０６】
また、ステップＳ２４１４の処理において、主制御ＣＰＵ７２は大当り時停止図柄番号に基づいて第１特別図柄表示装置３４又は第２特別図柄表示装置３５による停止図柄（大当り図柄）の表示態様を決定する。合わせて主制御ＣＰＵ７２は、停止図柄コマンド（大当り時）とともに抽選結果コマンド（大当り時）を生成する。これら停止図柄コマンド及び抽選結果コマンドもまた、演出制御出力処理において演出制御装置１２４に送信される。
【０３０７】
次に、小当り時の処理について説明する。
ステップＳ２４０７：主制御ＣＰＵ７２は、小当り時停止図柄決定処理を実行する。この処理では、主制御ＣＰＵ７２は大当り図柄乱数に基づき、小当り時の当選図柄の種類（小当り時停止図柄番号）を決定する。ここでも同様に、大当り図柄乱数値と小当り時の当選図柄の種類との関係が予め小当り時特別図柄選択テーブルで規定されている（当選種類規定手段）。なお、本実施形態では、主制御ＣＰＵ７２の負荷を軽減するために大当り図柄乱数を用いて小当り時の当選図柄を決定しているが、別途専用の乱数を用いてもよい。
【０３０８】
〔小当り時の当選図柄〕
本実施形態では、小当り時の当選図柄は「１回開放小当り図柄」の１種類だけである。ただし、これ以外に例えば「２回開放小当り図柄」や「３回開放小当り図柄」等の別の種類が用意されていてもよい。内部抽選の結果としての「小当り」は、その後の状態が「高確率状態」や「時間短縮状態」に変化する契機とはならないため、この種のパチンコ機で必須となる「２ラウンド（２回開放）以上」の規定にとらわれることなく、「１回開放小当り図柄」を設けることができる。
【０３０９】
ステップＳ２４０８：次に主制御ＣＰＵ７２は、小当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する（変動パターン選択手段）。また、主制御ＣＰＵ７２は、決定した変動時間の値を変動タイマにセットし、停止表示時間の値を停止図柄表示タイマにセットする。なお、本実施形態では小当りの場合にリーチ変動パターンを選択することもできるし、はずれ通常変動時と同等の変動パターンを選択することもできる。
【０３１０】
ステップＳ２４０９：次に主制御ＣＰＵ７２は、小当り時その他設定処理を実行する。この処理では、主制御ＣＰＵ７２は小当り時停止図柄番号に基づき、第１特別図柄表示装置３４又は第２特別図柄表示装置３５による停止図柄（小当り図柄）の表示態様を決定する。合わせて主制御ＣＰＵ７２は、演出制御装置１２４に送信する停止図柄コマンド及び抽選結果コマンド（小当り時）を生成する。これら停止図柄コマンド及び抽選結果コマンドもまた、演出制御出力処理において演出制御装置１２４に送信される。
【０３１１】
ステップＳ２４１５：次に主制御ＣＰＵ７２は、特別図柄変動開始処理を実行する。この処理では、主制御ＣＰＵ７２は変動パターン番号（はずれ時／当り時）に基づいて変動パターンデータを選択する。合わせて主制御ＣＰＵ７２は、ＲＡＭ７６のフラグ領域に特別図柄の変動開始フラグをセットする。そして、主制御ＣＰＵ７２は、演出制御装置１２４に送信する変動開始コマンドを生成する。この変動開始コマンドもまた、演出制御出力処理において演出制御装置１２４に送信される。以上の手順を終えると、主制御ＣＰＵ７２は特別図柄変動中処理（ステップＳ３０００）を次のジャンプ先に設定し、特別図柄遊技処理に復帰する。
【０３１２】
〔図１４：特別図柄変動中処理，特別図柄停止表示中処理〕
特別図柄変動中処理では、主制御ＣＰＵ７２は変動タイマの値をレジスタからタイマカウンタにロードし、その後、時間の経過（クロックパルスのカウント数又は割込カウンタの値）に応じてタイマカウンタの値をデクリメントする。そして、主制御ＣＰＵ７２は、タイマカウンタの値を参照しつつ、その値が０になるまで特別図柄の変動表示を制御する。そして、タイマカウンタの値が０になると、主制御ＣＰＵ７２は特別図柄停止表示中処理（ステップＳ４０００）を次のジャンプ先に設定する。
【０３１３】
また、特別図柄停止表示中処理では、主制御ＣＰＵ７２は停止図柄決定処理（図１６中のステップＳ２４０４，ステップＳ２４０７，ステップＳ２４１０）で決定した停止図柄に基づいて特別図柄の停止表示を制御する。また、主制御ＣＰＵ７２は、演出制御装置１２４に送信する図柄停止コマンドを生成する。図柄停止コマンドは、演出制御出力処理において演出制御装置１２４に送信される。特別図柄停止表示中処理の中で停止図柄を所定時間にわたり表示させると、主制御ＣＰＵ７２は図柄変動中フラグを消去する。
【０３１４】
〔はずれ時変動パターン決定処理〕
図２９は、はずれ時変動パターン決定処理の手順例を示すフローチャートである。以下、各手順に沿って説明する。
【０３１５】
ステップＳ２６００：主制御ＣＰＵ７２は、内部状態が高確率時間短縮状態であるか否かを確認する。内部状態は、確率変動機能作動フラグ及び時間短縮機能作動フラグにより確認することができる（以下、同様）。
【０３１６】
その結果、内部状態が高確率時間短縮状態であることを確認した場合（Ｙｅｓ）、主制御ＣＰＵ７２はステップＳ２６０２を実行する。これに対して、内部状態が高確率時間短縮状態であることを確認できない場合（Ｎｏ）、主制御ＣＰＵ７２はステップＳ２６０４を実行する。
【０３１７】
ステップＳ２６０２：主制御ＣＰＵ７２は、変動回数カウンタの値が「１００」であるか否か（大当り遊技の終了後の１００回目の変動であるか否か）を確認する。変動回数カウンタは、主制御ＣＰＵ７２が管理しているカウンタ値であり、１回の変動が実行されるたびにインクリメントされる変数である。
【０３１８】
その結果、変動回数カウンタの値が「１００」であることを確認した場合（Ｙｅｓ）、主制御ＣＰＵ７２はステップＳ２６１０を実行する。これに対して、変動回数カウンタの値が「１００」であることを確認できない場合（Ｎｏ）、主制御ＣＰＵ７２はステップＳ２６１２を実行する。
【０３１９】
ステップＳ２６０４：主制御ＣＰＵ７２は、内部状態が高確率非時間短縮状態であるか否かを確認する。
【０３２０】
その結果、内部状態が高確率非時間短縮状態であることを確認した場合（Ｙｅｓ）、主制御ＣＰＵ７２はステップＳ２６０６を実行する。これに対して、内部状態が高確率非時間短縮状態であることを確認できない場合（Ｎｏ）、主制御ＣＰＵ７２はステップＳ２６０８を実行する。
【０３２１】
ステップＳ２６０６：主制御ＣＰＵ７２は、変動回数カウンタの値が「１０１」、「１２４」又は「１４７」であるか否か（大当り遊技の終了後の１０１回目、１２４回目又は１４７回目の変動であるか否か）を確認する。なお、変動回数カウンタの値が「１０１」、「１２４」又は「１４７」であるということは、高確率非時間短縮状態に移行した際の１回目、２４回目又は４７回目の変動であるということを示している。
【０３２２】
その結果、変動回数カウンタの値が「１０１」、「１２４」又は「１４７」であることを確認した場合（Ｙｅｓ）、主制御ＣＰＵ７２はステップＳ２６１４を実行する。これに対して、変動回数カウンタの値が「１０１」、「１２４」又は「１４７」であることを確認できない場合（Ｎｏ）、主制御ＣＰＵ７２はステップＳ２６１６を実行する。
【０３２３】
ステップＳ２６０８：主制御ＣＰＵ７２は、内部状態が低確率時間短縮状態であるか否かを確認する。
【０３２４】
その結果、内部状態が低確率時間短縮状態であることを確認した場合（Ｙｅｓ）、主制御ＣＰＵ７２はステップＳ２６１８を実行する。これに対して、内部状態が低確率時間短縮状態であることを確認できない場合（Ｎｏ）、すなわち、内部状態が低確率非時間短縮状態であることを確認した場合、主制御ＣＰＵ７２はステップＳ２６２０を実行する。
【０３２５】
ステップＳ２６１０：主制御ＣＰＵ７２は、高確率時間短縮状態の特殊区間のはずれ時変動パターン選択テーブル（図１９）、すなわち、変動回数の節目で行われる演出用（例えば、高確率時間短縮状態を継続させるか否かにチャレンジする演出用）の特殊変動パターン選択テーブルを参照して、変動パターンを決定する処理を実行する。
【０３２６】
ステップＳ２６１２：主制御ＣＰＵ７２は、高確率時間短縮状態用のはずれ時変動パターン選択テーブル（図１８）を参照して、変動パターンを決定する処理を実行する。
【０３２７】
ステップＳ２６１４：主制御ＣＰＵ７２は、高確率非時間短縮状態の特殊区間のはずれ時変動パターン選択テーブル（図２１）、すなわち、変動回数の節目で行われる演出用（例えば、高確率非時間短縮状態でモードを選択する演出用）の特殊変動パターン選択テーブルを参照して、変動パターンを決定する処理を実行する（特殊変動実行手段）。
【０３２８】
ステップＳ２６１６：主制御ＣＰＵ７２は、高確率非時間短縮状態用のはずれ時変動パターン選択テーブル（図２０）を参照して、変動パターンを決定する処理を実行する。
【０３２９】
ステップＳ２６１８：主制御ＣＰＵ７２は、低確率時間短縮状態用のはずれ時変動パターン選択テーブル（図２２）を参照して、変動パターンを決定する処理を実行する。
ステップＳ２６２０：主制御ＣＰＵ７２は、低確率非時間短縮状態用のはずれ時変動パターン選択テーブル（図１７）を参照して、変動パターンを決定する処理を実行する。
【０３３０】
なお、ここでは高確率時間短縮状態及び高確率非時間短縮状態にそれぞれ特殊区間を設けた例を挙げているため、ステップＳ２６０２，Ｓ２６０６の判断分岐を経てステップＳ２６１０，Ｓ２６１４が選択される処理を用いているが、特殊区間を設けない場合はステップＳ２６０２，Ｓ２６０６，Ｓ２６１０，Ｓ２６１４を省略してもよい。
【０３３１】
以上の手順を終えると、主制御ＣＰＵ７２は特別図柄変動前処理（図１６）に復帰する。
【０３３２】
〔大当り時変動パターン決定処理〕
図３０は、大当り時変動パターン決定処理の手順例を示すフローチャートである。以下、各手順に沿って説明する。
【０３３３】
ステップＳ２７００：主制御ＣＰＵ７２は、内部状態が高確率時間短縮状態であるか否かを確認する。
【０３３４】
その結果、内部状態が高確率時間短縮状態であることを確認した場合（Ｙｅｓ）、主制御ＣＰＵ７２はステップＳ２７０６を実行する。これに対して、内部状態が高確率時間短縮状態であることを確認できない場合（Ｎｏ）、主制御ＣＰＵ７２はステップＳ２７０２を実行する。
【０３３５】
ステップＳ２７０２：主制御ＣＰＵ７２は、内部状態が高確率非時間短縮状態であるか否かを確認する。
【０３３６】
その結果、内部状態が高確率非時間短縮状態であることを確認した場合（Ｙｅｓ）、主制御ＣＰＵ７２はステップＳ２７０８を実行する。これに対して、内部状態が高確率非時間短縮状態であることを確認できない場合（Ｎｏ）、主制御ＣＰＵ７２はステップＳ２７０４を実行する。
【０３３７】
ステップＳ２７０４：主制御ＣＰＵ７２は、内部状態が低確率時間短縮状態であるか否かを確認する。
【０３３８】
その結果、内部状態が低確率時間短縮状態であることを確認した場合（Ｙｅｓ）、主制御ＣＰＵ７２はステップＳ２７１０を実行する。これに対して、内部状態が低確率時間短縮状態であることを確認できない場合（Ｎｏ）、すなわち、内部状態が低確率非時間短縮状態であることを確認した場合、主制御ＣＰＵ７２はステップＳ２７１２を実行する。
【０３３９】
ステップＳ２７０６：主制御ＣＰＵ７２は、高確率時間短縮状態用の大当り時変動パターン選択テーブル（図２６）を参照して、変動パターンを決定する処理を実行する。
【０３４０】
ステップＳ２７０８：主制御ＣＰＵ７２は、高確率非時間短縮状態用の大当り時変動パターン選択テーブル（図２７）を参照して、変動パターンを決定する処理を実行する。すなわち、主制御ＣＰＵ７２は、高確率非時間短縮状態に移行した場合であって大当り遊技後の変動回数が１０１変動目、１２４変動目、１４７変動目である場合、内部抽選で非当選の結果が得られた際には特殊変動を実行するが、内部抽選で当選の結果が得られた際には特殊変動とは異なる当選時変動を実行する（特殊変動実行手段）。
【０３４１】
ステップＳ２７１０：主制御ＣＰＵ７２は、低確率時間短縮状態用の大当り時変動パターン選択テーブル（図２８）を参照して、変動パターンを決定する処理を実行する。
ステップＳ２７１２：主制御ＣＰＵ７２は、低確率非時間短縮状態用の大当り時変動パターン選択テーブル（図２５）を参照して、変動パターンを決定する処理を実行する。
以上の手順を終えると、主制御ＣＰＵ７２は特別図柄変動前処理（図１６）に復帰する。
【０３４２】
〔特別図柄記憶エリアシフト処理〕
図３１は、特別図柄記憶エリアシフト処理の手順例を示すフローチャートである。先の特別図柄変動前処理において、第１特別図柄又は第２特別図柄に対応する作動記憶カウンタの値が「０」より大であった場合（図１６中のステップＳ２１００：Ｙｅｓ）、主制御ＣＰＵ７２はこの特別図柄記憶エリアシフト処理を実行する。以下、各手順に沿って説明する。
【０３４３】
ステップＳ２２１０：主制御ＣＰＵ７２は、現在ある作動記憶の中で最も古いものが第１特別図柄に対応するものであるか否かを確認する。すなわち、ＲＡＭ７６の記憶エリアにアクセスし、その中で最も古い作動記憶が第１特別図柄に対応するものでなく、第２特別図柄に対応するものであれば（Ｎｏ）、主制御ＣＰＵ７２は次にステップＳ２２１２に進む。
【０３４４】
ステップＳ２２１２：主制御ＣＰＵ７２は、記憶エリアをシフトする対象の特別図柄として第２特別図柄を指定する。この指定は、例えば対象図柄指定値として「０２Ｈ」をセットすることで行われる。
【０３４５】
ステップＳ２２１４：一方、最も古い作動記憶が第１特別図柄に対応するものであった場合（ステップＳ２２１０：Ｙｅｓ）、主制御ＣＰＵ７２は記憶エリアをシフトする対象の特別図柄として第１特別図柄を指定する。この場合の指定は、例えば対象図柄指定値として「０１Ｈ」をセットすることで行われる。
【０３４６】
ステップＳ２２１６：ステップＳ２２１２又はステップＳ２２１４のいずれかで指定した対象の特別図柄について、主制御ＣＰＵ７２はＲＡＭ７６の乱数記憶領域をシフトする。なお、具体的な処理の内容については、先の特別図柄変動前処理において既に述べたとおりである。
【０３４７】
ステップＳ２２１８：次いで主制御ＣＰＵ７２は、対象の特別図柄について作動記憶カウンタの値を減算する。例えば、今回の記憶エリアをシフトする対象が第２特別図柄であれば、主制御ＣＰＵ７２は第２特別図柄に対応する作動記憶カウンタの値を減算（−１）する。
【０３４８】
ステップＳ２２２０：そして、主制御ＣＰＵ７２は、減算後の作動記憶カウンタの値から「変動開始時作動記憶数」を設定する。なお、ここでは第１特別図柄と第２特別図柄の両方について、作動記憶カウンタの値を加算した上で「変動開始時作動記憶数」を設定してもよい。
【０３４９】
ステップＳ２２２２：また、主制御ＣＰＵ７２は、今回の記憶エリアをシフトする対象の特別図柄が第２特別図柄であるか否かを確認する。
ステップＳ２２２４：対象が第２特別図柄であった場合（ステップＳ２２２２：Ｙｅｓ）、主制御ＣＰＵ７２は第２特別図柄に関して作動記憶数減少時演出コマンドをセットする。ここでセットされる演出コマンドもまた、１ワード長のコマンドとして生成されるが、その構成は上述した「作動記憶数増加時演出コマンド」と対照的である。すなわち、作動記憶数減少時演出コマンドは、コマンド種別を表す上位バイトの先行値（例えば「ＢＣＨ」）に対して、減少後の作動記憶数を表す下位バイトの値（例えば「００Ｈ」〜「０３Ｈ」）を付加するとともに、下位バイトの値については、「消費に伴う作動記憶数の減少」を意味する加算値（例えば「１０Ｈ」）をさらに付加（論理和）したものである。したがって下位バイトについては、加算値「１０Ｈ」を論理和することでその第２の位が「１」となり、この値によって「作動記憶数の減少による結果（変化情報）」であることを表したものとなる。つまり、コマンドの下位バイトが「１３Ｈ」であれば、それは前回までの作動記憶数「４」（コマンド表記は「１４Ｈ」）が１つ減少した結果、今回の作動記憶数が「３」（コマンド表記は「１３Ｈ」）となったことを表している。同様に、下位バイトが「１２Ｈ」〜「１０Ｈ」であれば、それは前回までの作動記憶数「３」〜「１」（コマンド表記は「１３Ｈ」〜「１１Ｈ」）がそれぞれ１つ減少した結果、今回の作動記憶数が「２」〜「０」（コマンド表記は「１２Ｈ」〜「１０Ｈ」）となったことを表している。なお、先行値「ＢＣＨ」は、今回の演出コマンドが第２特別図柄についての作動記憶数コマンドであることを表す値である。
【０３５０】
ステップＳ２２２６：なお、今回の対象が第１特別図柄であった場合（ステップＳ２２２２：Ｎｏ）、主制御ＣＰＵ７２は第１特別図柄に関して作動記憶数減少時演出コマンドをセットする。この場合のコマンドは、先行値が第１特別図柄についての作動記憶数コマンドであることを表す値（例えば「ＢＢＨ」）となる以外は上記と同じである。
【０３５１】
ステップＳ２２２８：そして、主制御ＣＰＵ７２は、演出コマンド出力処理を実行する。この処理は、先のステップＳ２２２４又はステップＳ２２２６でセットした作動記憶数減少時演出コマンドを演出制御装置１２４に対して送信するためのものである（記憶数通知手段）。
以上の手順を終えると、主制御ＣＰＵ７２は特別図柄変動前処理（図１６）に復帰する。
【０３５２】
〔特別図柄停止表示中処理〕
次に図３２は、特別図柄停止表示中処理の手順例を示すフローチャートである。以下、各手順に沿って説明する。
【０３５３】
ステップＳ４１００：主制御ＣＰＵ７２は、停止図柄表示タイマの値を減算（割込周期分だけデクリメント）する。
【０３５４】
ステップＳ４２００：そして、主制御ＣＰＵ７２は、今回減算した停止図柄表示タイマの値に基づき、停止表示時間が終了したか否かを判断する。具体的には、停止図柄表示タイマの値が０以下でなければ、主制御ＣＰＵ７２は未だ停止表示時間が終了していないと判断する（Ｎｏ）。この場合、主制御ＣＰＵ７２は特別図柄遊技処理に復帰し、次の割込周期においても実行選択処理（図１４中のステップＳ１０００）からジャンプして特別図柄停止表示中処理を繰り返し実行する。
【０３５５】
これに対し、停止図柄表示タイマの値が０以下であれば、主制御ＣＰＵ７２は停止表示時間が終了したと判断する（Ｙｅｓ）。この場合、主制御ＣＰＵ７２は次にステップＳ４２５０を実行する。
【０３５６】
ステップＳ４２５０：主制御ＣＰＵ７２は、図柄停止コマンド及び停止表示時間終了コマンドを生成する。図柄停止コマンド及び停止表示時間終了コマンドは、演出制御出力処理において演出制御装置１２４に送信される。また、主制御ＣＰＵ７２は、ここで図柄変動中フラグを消去する。なお、「停止表示時間終了コマンド」とは、特別図柄の停止表示時間が終了（経過）したことを示すコマンドである。
【０３５７】
ステップＳ４３００：ここで主制御ＣＰＵ７２は、大当りフラグの値（０１Ｈ）がセットされているか否かを確認する。大当りフラグの値（０１Ｈ）がセットされている場合（Ｙｅｓ）、主制御ＣＰＵ７２は次にステップＳ４３５０を実行する。
【０３５８】
〔当選時〕
ステップＳ４３５０：主制御ＣＰＵ７２は、ジャンプテーブルのジャンプ先を「大当り時可変入賞装置管理処理」に設定する。なお、主制御ＣＰＵ７２は、本処理にて各種機能を非作動に設定する処理を実行する。具体的には、確率変動機能を非作動とし、時間短縮機能を非作動とする。これにより、特別遊技（大役）が開始される前には、低確率非時間短縮状態に移行されることになる。
【０３５９】
ステップＳ４４００：そして、主制御ＣＰＵ７２は、制御上の内部状態フラグとして「大役開始（大当り遊技中）」をセットする。また、主制御ＣＰＵ７２は、大当り図柄の種類に応じて連続作動回数ステータスの値をセットする。例えば、大当り図柄の種類が「１６ラウンド確変図柄」である場合、連続作動回数ステータスには「１６ラウンド」に対応する値がセットされる。また、大当り図柄の種類が「１２ラウンド確変図柄１，２」又は「１２ラウンド通常図柄」である場合、連続作動回数ステータスには「１２ラウンド」を表す値がセットされる。さらに、大当り図柄の種類が「６ラウンド確変図柄１，２」である場合、連続作動回数ステータスには「６ラウンド」を表す値がセットされる。そして、主制御ＣＰＵ７２は、大当り中を表す状態コマンドを生成する。大当り中を表す状態コマンドは、演出制御出力処理において演出制御装置１２４に送信される。
【０３６０】
ステップＳ４５００：そして、主制御ＣＰＵ７２は、連続作動回数コマンドを生成する。連続作動回数コマンドは、先の大当り時停止図柄決定処理（図１６中のステップＳ２４１０）で決定された大当り図柄の種類（停止図柄番号）に基づいて生成することができる。例えば、大当り図柄の種類が「１６ラウンド確変図柄」である場合、連続作動回数コマンドは「１６ラウンド」を表す値として生成される。また、大当り図柄の種類が「１２ラウンド確変図柄１，２」又は「１２ラウンド通常図柄」である場合、連続作動回数コマンドは「１２ラウンド」を表す値として生成される。さらに、大当り図柄の種類が「６ラウンド確変図柄１，２」である場合、連続作動回数コマンドは「６ラウンド」を表す値として生成される。生成された連続作動回数コマンドは、演出制御出力処理において演出制御装置１２４に送信される。
【０３６１】
大当り時に以上の手順を終えると、主制御ＣＰＵ７２は特別図柄遊技処理に復帰する。
【０３６２】
〔非当選時〕
これに対し、大当り時以外の場合は以下の手順が実行される。
すなわち主制御ＣＰＵ７２は、ステップＳ４３００において大当りフラグの値（０１Ｈ）がセットされていないと判断した場合（Ｎｏ）、次にステップＳ４６００を実行する。
【０３６３】
ステップＳ４６００：主制御ＣＰＵ７２は、次に小当りフラグの値（０１Ｈ）がセットされているか否かを確認する。そして、小当りフラグの値（０１Ｈ）もセットされておらず、単純にはずれである場合（Ｎｏ）、主制御ＣＰＵ７２は次にステップＳ４６０２を実行する。
【０３６４】
ステップＳ４６０２：主制御ＣＰＵ７２は、ジャンプテーブルのジャンプ先アドレスとして特別図柄変動前処理のアドレスをセットする。
【０３６５】
ステップＳ４６０５：これに対し、小当りフラグの値（０１Ｈ）がセットされていた場合（ステップＳ４６００：Ｙｅｓ）、主制御ＣＰＵ７２はジャンプテーブルのジャンプ先アドレスとして小当り時可変入賞装置管理処理のアドレスをセットする。
【０３６６】
ステップＳ４６０６：そして、主制御ＣＰＵ７２は、制御上の内部状態フラグとして「小当り開始（小当り中）」をセットする。また、主制御ＣＰＵ７２は、小当り中を表す状態コマンドを生成する。小当り中を表す状態コマンドは、演出制御出力処理において演出制御装置１２４に送信される。
【０３６７】
ステップＳ４６１０：次に主制御ＣＰＵ７２は、回数切りカウンタの値をロードする。「回数切りカウンタ」は、「高確率状態」や「時間短縮状態」においてそれぞれのカウンタ値がＲＡＭ７６の確変カウント領域、時短カウント領域にセットされている。本実施形態では、いわゆる回数切り確変の機能を採用しているため、「高確率時間短縮状態」に移行させる場合、高確率状態に関する回数切りカウンタは所定の数値（例えば１７０回）に設定され、時間短縮状態に関する回数切りカウンタは所定の数値（例えば１７０回又は１００回）に設定される。また、「低確率時間短縮状態」に移行させる場合、高確率状態に関する回数切りカウンタは設定されず、時間短縮状態に関する回数切りカウンタは所定の数値（例えば１００回）に設定される。
【０３６８】
ステップＳ４６２０：主制御ＣＰＵ７２は、ロードしたカウンタ値が０であるか否かを確認する。このとき、既に回数切りカウンタ値が０であれば（Ｙｅｓ）、主制御ＣＰＵ７２は特別図柄遊技処理に復帰する。一方、回数切りカウンタ値が０でなかった場合（Ｎｏ）、回数切りカウンタ値コマンドを生成してから、主制御ＣＰＵ７２は次にステップＳ４６３０を実行する。
【０３６９】
ステップＳ４６３０：主制御ＣＰＵ７２は、回数切りカウンタ値をデクリメント（１減算）する。
ステップＳ４６４０：そして、主制御ＣＰＵ７２は、その減算結果が０でないか否かを判断する。減算の結果、回数切りカウンタの値が０でなかった場合（Ｙｅｓ）、主制御ＣＰＵ７２は特別図柄遊技処理に復帰する。これに対し、回数切りカウンタの値が０になった場合（Ｎｏ）、主制御ＣＰＵ７２はステップＳ４６５０に進む。
【０３７０】
ステップＳ４６５０：ここで主制御ＣＰＵ７２は、回数切り機能作動時のフラグをリセットする。本実施形態では、「６ラウンド確変図柄２以外のいずれかの確変図柄」に該当して「高確率時間短縮状態」に移行させる場合、高確率状態及び時間短縮状態に関する回数切りカウンタは所定の数値（例えば１７０回）に設定されるため、リセットされるのは、確率変動機能作動フラグ及び時間短縮機能作動フラグである。
【０３７１】
また、６ラウンド確変図柄２に該当して「高確率時間短縮状態」に移行させる場合、高確率状態に関する回数切りカウンタは所定の数値（例えば１７０回）に設定され、時間短縮状態に関する回数切りカウンタは所定の数値（例えば１００回）に設定される。このため、１００変動目が終了した時点でリセットされるのは時間短縮機能作動フラグであり、１７０変動目が終了した時点でリセットされるのは確率変動機能作動フラグである（有利遊技状態移行手段、特別状態移行手段）。
【０３７２】
さらに、「低確率時間短縮状態」に移行される場合、時間短縮状態に関する回数切りカウンタは所定の数値（例えば１００回）に設定されるため、リセットされるのは、時間短縮機能作動フラグだけである。これにより、特別図柄の停止表示を経て時間短縮状態や高確率状態が終了する。以上の手順を終えると、特別図柄遊技処理に復帰する。
【０３７３】
〔表示出力管理処理〕
次に図３３は、割込管理処理の中で実行される表示出力管理処理（図９中のステップＳ２１０）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、作動記憶表示設定処理（ステップＳ１２３０）、連続作動回数表示設定処理（ステップＳ１２４０）のサブルーチン群を含む構成である。
【０３７４】
このうち特別図柄表示設定処理（ステップＳ１２００）と普通図柄表示設定処理（ステップＳ１２１０）、作動記憶表示設定処理（ステップＳ１２３０）、については、既に述べたように第１特別図柄表示装置３４、第２特別図柄表示装置３５、普通図柄表示装置３３、普通図柄作動記憶ランプ３３ａ、第１特別図柄作動記憶ランプ３４ａ及び第２特別図柄作動記憶数表示ランプ３５ａの各ＬＥＤに対して印加する駆動信号を生成及び出力する処理である。
【０３７５】
状態表示設定処理（ステップＳ１２２０）及び連続作動回数表示設定処理（ステップＳ１２４０）については、遊技状態表示装置３８の各ＬＥＤに対して印加する駆動信号を生成及び出力する処理である。先ず状態表示設定処理では、主制御ＣＰＵ７２は、確率変動機能作動フラグ又は時間短縮機能作動フラグの値に応じてそれぞれ確率変動状態表示ランプ３８ｄ、時短状態表示ランプ３８ｅの点灯を制御する。例えば、パチンコ機１の電源投入時において確率変動機能作動フラグに値（０１Ｈ）がセットされていれば、主制御ＣＰＵ７２は確率変動状態表示ランプ３８ｄに対応するＬＥＤに対して点灯信号を出力する。なお、確率変動状態表示ランプ３８ｄは、特別図柄に関する大当り遊技が開始されるまで、もしくは、特別図柄の変動表示が規定回数行われた後に確率変動機能がＯＦＦにされるまで点灯しつづけ、その後非表示に（消灯）切り替えられる。一方、時間短縮機能作動フラグに値（０１Ｈ）がセットされていれば、特に電源投入時であるか否かに関わらず、主制御ＣＰＵ７２は時短状態表示ランプ３８ｅに対応するＬＥＤに対して点灯信号を出力する。さらに、主制御ＣＰＵ７２は、特別遊技管理ステータスに応じて発射位置指定ランプ３８ｆの点灯を制御する。例えば、大当り遊技又は小当り遊技により第１可変入賞装置３０又は第２可変入賞装置３１が作動状態となる場合、主制御ＣＰＵ７２は発射位置指定ランプ３８ｆに対応するＬＥＤに対して点灯信号を出力する。また、時間短縮機能作動フラグに値（０１Ｈ）がセットされていれば、主制御ＣＰＵ７２は時短状態表示ランプ３８ｅに加えて、発射位置指定ランプ３８ｆに対応するＬＥＤに対しても点灯信号を出力する。なお、発射位置指定ランプ３８ｆは、大当り遊技を経て「時間短縮状態」に移行する場合、大当り遊技開始から「時間短縮状態」が終了するまで点灯し、「時間短縮状態」の終了により非点灯（ＯＦＦ）となる。
【０３７６】
また、主制御ＣＰＵ７２は、連続作動回数表示設定処理において大当り種別表示ランプ３８ａ，３８ｂ，３８ｃの点灯を制御する。具体的には、主制御ＣＰＵ７２は連続作動回数ステータスの値に基づき、大当り種別表示ランプ３８ａ，３８ｂ，３８ｃのいずれかに対する点灯信号を出力する。このとき点灯信号を出力する対象となるのは、連続作動回数ステータスの値で指定された大当り図柄に対応するいずれかの表示ランプ３８ａ，３８ｂ，３８ｃである。例えば、連続作動回数ステータスの値が「１６ラウンド」を指定するものであれば、主制御ＣＰＵ７２は「１６ラウンド（１６Ｒ）」を表すランプ３８ｃに対して点灯信号を出力する。また、連続作動回数ステータスの値が「１２ラウンド」を指定するものであれば、主制御ＣＰＵ７２は「１２ラウンド（１２Ｒ）」を表すランプ３８ｂに対して点灯信号を出力する。さらに、連続作動回数ステータスの値が「６ラウンド」を指定するものであれば、主制御ＣＰＵ７２は「６ラウンド（６Ｒ）」を表すランプ３８ａに対して点灯信号を出力する。
【０３７７】
〔大当り時可変入賞装置管理処理〕
次に、大当り時可変入賞装置管理処理の詳細について説明する。図３４は、大当り時可変入賞装置管理処理の構成例を示すフローチャートである。大当り時可変入賞装置管理処理は、大当り時遊技プロセス選択処理（ステップＳ５１００）、大当り時大入賞口開放パターン設定処理（ステップＳ５２００）、大当り時大入賞口開閉動作処理（ステップＳ５３００）、大当り時大入賞口閉鎖処理（ステップＳ５４００）、大当り時終了処理（ステップＳ５５００）のサブルーチン群を含む構成である。
【０３７８】
ステップＳ５１００：大当り時遊技プロセス選択処理において、主制御ＣＰＵ７２は次に実行するべき処理（ステップＳ５２００〜ステップＳ５５００のいずれか）のジャンプ先を選択する。すなわち主制御ＣＰＵ７２は、ジャンプテーブルから次に実行するべき処理のプログラムアドレスをジャンプ先のアドレスとして選択し、また、戻り先のアドレスとして大当り時可変入賞装置管理処理の末尾をスタックポインタにセットする。いずれの処理を次のジャンプ先として選択するかは、これまでに行われた処理の進行状況によって異なる。例えば、未だ第１可変入賞装置３０又は第２可変入賞装置３１の作動（開閉動作）を開始していない状況であれば、主制御ＣＰＵ７２は次のジャンプ先として大当り時大入賞口開放パターン設定処理（ステップＳ５２００）を選択する。一方、既に大当り時大入賞口開放パターン設定処理が完了していれば、主制御ＣＰＵ７２は次のジャンプ先として大当り時大入賞口開閉動作処理（ステップＳ５３００）を選択し、大当り時大入賞口開閉動作処理まで完了していれば、次のジャンプ先として大当り時大入賞口閉鎖処理（ステップＳ５４００）を選択する。また、設定された連続作動回数（ラウンド数）にわたって大当り時大入賞口開閉動作処理及び大当り時大入賞口閉鎖処理が繰り返し実行されると、主制御ＣＰＵ７２は次のジャンプ先として大当り時終了処理（ステップＳ５５００）を選択する。以下、それぞれの処理についてさらに詳しく説明する。
【０３７９】
〔大当り時大入賞口開放パターン設定処理〕
図３５は、大当り時大入賞口開放パターン設定処理の手順例を示すフローチャートである。この処理は、大当り時に第１可変入賞装置３０又は第２可変入賞装置３１を開閉動作する回数や各開放の時間等の条件を設定するためのものである。以下、各手順に沿って説明する。
【０３８０】
ステップＳ５２０４：主制御ＣＰＵ７２は、図柄別開放パターン選択処理を実行する。この処理では、主制御ＣＰＵ７２は今回の該当する当選図柄に応じて大入賞口の開放パターン（ラウンドごとの開放回数及び各開放の時間）やラウンド間のインターバル時間、１ラウンド中のカウント数（最大入賞回数）、確変領域用ソレノイド９９の作動パターンを選択する。当選図柄別の大入賞口の開放パターンや確変領域用ソレノイド９９の作動パターン、ラウンド間のインターバル時間については、図１５に示す大当り中の可変入賞装置の動作パターンで説明した通りである。なお、１ラウンド中のカウント数（最大入賞回数）は基本的には１０個程度であるが、極端な短時間（０．１秒程度）の開放中に入賞が発生することはほとんどない（不能ではないが極めて困難である）。
【０３８１】
ステップＳ５２０６：主制御ＣＰＵ７２は、先の大当り時停止図柄決定処理（図１６中のステップＳ２４１０）で選択した大当り時の当選図柄に基づき、今回の大当り遊技における実行ラウンド数を設定する。具体的には、当選図柄として「１６ラウンド確変図柄」を選択していれば、主制御ＣＰＵ７２は実行ラウンド数を１６回に設定する。また、当選図柄として「１２ラウンド確変図柄１，２」又は「１２ラウンド通常図柄」を選択していれば、主制御ＣＰＵ７２は実行ラウンド数を１２回に設定する。さらに、当選図柄として「６ラウンド確変図柄１，２」を選択していれば、主制御ＣＰＵ７２は実行ラウンド数を６回に設定する。ここで設定した実行ラウンド数は、プログラム上で対応する値を用いて例えばＲＡＭ７６のバッファ領域に格納される。
【０３８２】
ステップＳ５２０８：次に主制御ＣＰＵ７２は、先のステップＳ５２０４で設定した大入賞口開放パターン及び確変領域用ソレノイド９９の作動パターンに基づき、大当り時開放タイマ及び確変領域タイマ（確変領域の開放時間をカウントするタイマ）を設定する。ここで設定したタイマの値は、第１可変入賞装置３０又は第２可変入賞装置３１の開放時間や確変領域の開放時間となる。なお、大当り時開放タイマ及び確変領域タイマの値として２０．０〜２９．０秒程度の時間が設定されていれば、その開放時間は１回の開放中に大入賞口への入球や確変領域の通過が容易に発生する充分な時間（例えば発射制御基板セット１７４により遊技球が１０個以上発射される時間、好ましくは６秒以上）となる。一方、大当り時開放タイマ及び確変領域タイマの値として０．１秒が設定されていれば、その開放時間は１回の開放中に大入賞口への入球や確変領域の通過が不能ではなくとも、ほとんど発生しない（困難となる）短時間（例えば１秒より短い時間、好ましくは発射制御基板セット１７４による遊技球の発射間隔よりも短い時間）となる。
【０３８３】
ステップＳ５２１０：そして、主制御ＣＰＵ７２は、先のステップＳ５２０４で設定した大入賞口開放パターン及び確変領域用ソレノイド９９の作動パターンに基づき、大当り時インターバルタイマ及び確変領域インターバルタイマ（確変領域を一時的に閉鎖させるための待ち時間をカウントするタイマ）を設定する。ここで設定したタイマの値は、大当り中のラウンド間での待機時間又は確変領域の一時的な閉鎖時間となる。
【０３８４】
ステップＳ５２１２：以上の手順を終えると、主制御ＣＰＵ７２は次のジャンプ先を大当り時大入賞口開閉動作処理に設定し、大当り時可変入賞装置管理処理（図３４）に復帰する。
【０３８５】
〔大当り時大入賞口開閉動作処理〕
図３６は、大当り時大入賞口開閉動作処理の手順例を示すフローチャートである。この処理は、大当り時に第１可変入賞装置３０又は第２可変入賞装置３１の開閉動作を制御するためのものである。以下、手順に沿って説明する。
【０３８６】
ステップＳ５３０１：主制御ＣＰＵ７２は、大入賞口インターバルタイマがカウントダウン中であるか否かを確認する。具体的には、以下のステップＳ５３１４で設定する大入賞口インターバルタイマが既に動作中であるか否かを確認することにより、大入賞口インターバルタイマがカウントダウン中であるか否かを確認することができる。
【０３８７】
その結果、大入賞口インターバルタイマがカウントダウン中であることを確認した場合（Ｙｅｓ）、主制御ＣＰＵ７２はステップＳ５３１４を実行する。一方、大入賞口インターバルタイマがカウントダウン中であることを確認できない場合（Ｎｏ）、主制御ＣＰＵ７２はステップＳ５３０２を実行する。
【０３８８】
ステップＳ５３０２：主制御ＣＰＵ７２は、第１大入賞口又は第２大入賞口を開放させる。具体的には、図１５に示す大当り中の可変入賞装置の動作パターンに基づいて、第１大入賞口ソレノイド９０又は第２大入賞口ソレノイド９７に対して印加する駆動信号を出力する。これにより、第１可変入賞装置３０又は第２可変入賞装置３１が作動して閉鎖状態から開放状態に移行する。
【０３８９】
ステップＳ５３０３：次に主制御ＣＰＵ７２は、開放タイマカウントダウン処理を実行する。この処理では、先の大当り時大入賞口開放パターン設定処理（図３５中のステップＳ５２０８）で設定した開放タイマのカウントダウンを実行する。
【０３９０】
ステップＳ５３０３ａ：主制御ＣＰＵ７２は、確変領域インターバルタイマがカウントダウン中であるか否かを確認する。具体的には、以下のステップＳ５３１４で設定する確変領域インターバルタイマが既に動作中であるか否かを確認することにより、確変領域インターバルタイマがカウントダウン中であるか否かを確認することができる。
【０３９１】
その結果、確変領域インターバルタイマがカウントダウン中であることを確認した場合（Ｙｅｓ）、主制御ＣＰＵ７２はステップＳ５３１４を実行する。一方、確変領域インターバルタイマがカウントダウン中であることを確認できない場合（Ｎｏ）、主制御ＣＰＵ７２はステップＳ５３０４を実行する。
【０３９２】
ステップＳ５３０４：主制御ＣＰＵ７２は、確変領域開放処理を実行する。具体的には、図１５に示す大当り中の可変入賞装置の動作パターンに基づいて、確変領域用ソレノイド９９に対して印加する駆動信号を出力する。これにより、確変領域用羽根部材３１ｄが開放して、第２可変入賞装置３１の内部に配置された確変領域へ遊技球を案内することができる状態となる。
【０３９３】
ステップＳ５３０５：次に主制御ＣＰＵ７２は、確変領域タイマカウントダウン処理を実行する。この処理では、先の大当り時大入賞口開放パターン設定処理（図３５中のステップＳ５２０８）で設定した確変領域タイマのカウントダウンを実行する。
【０３９４】
ステップＳ５３０６：続いて主制御ＣＰＵ７２は、大入賞口開放時間が終了したか否かを確認する。具体的には、カウントダウン処理後の開放タイマの値が０以下であるか否かを確認し、未だ開放タイマの値が０以下になっていなければ（Ｎｏ）、主制御ＣＰＵ７２は次にステップＳ５３０７ａを実行する。
【０３９５】
ステップＳ５３０７ａ：続いて主制御ＣＰＵ７２は、確変領域開放時間が終了したか否かを確認する。具体的には、カウントダウン処理後の確変領域タイマの値が０以下であるか否かを確認し、未だ開放タイマの値が０以下になっていなければ（Ｎｏ）、主制御ＣＰＵ７２はステップＳ５３０８を実行する。
【０３９６】
一方、確変領域タイマの値が０以下になっている場合（Ｙｅｓ）、主制御ＣＰＵ７２はステップＳ５３０７ｂを実行する。
【０３９７】
ステップＳ５３０７ｂ：確変領域閉鎖処理を実行する。具体的には、確変領域用ソレノイド９９に対して印加している駆動信号の出力を停止する処理を実行する。これにより、確変領域用羽根部材３１ｄが閉鎖して、第２可変入賞装置３１の内部に配置された確変領域へ遊技球を案内することができない状態となる。
【０３９８】
ステップＳ５３０８：主制御ＣＰＵ７２は、入賞球数カウント処理を実行する。この処理では、開放時間内に第１可変入賞装置３０又は第２可変入賞装置３１（開放中の第１大入賞口又は第２大入賞口）に入賞した遊技球の個数をカウントする。具体的には、主制御ＣＰＵ７２は開放時間内に第１カウントスイッチ８４又は第２カウントスイッチ８５から入力された入賞検出信号に基づいて、カウント数の値をインクリメントする。
【０３９９】
ステップＳ５３１０：次に主制御ＣＰＵ７２は、現在のカウント数が所定数（１０個）未満であるか否かを確認する。この所定数は、開放１回（大当り中の１ラウンド）あたりに許容する入賞球数の上限（賞球数の上限）を定めたものである。未だカウント数が所定数に達していなければ（Ｙｅｓ）、主制御ＣＰＵ７２は大当り時可変入賞装置管理処理に復帰する。そして、次に大当り時可変入賞装置管理処理を実行すると、現段階ではジャンプ先が大当り時大入賞口開閉動作処理に設定されているので、主制御ＣＰＵ７２はステップＳ５３０１〜ステップＳ５３１０の手順を繰り返し実行する。
【０４００】
ステップＳ５３０６で大入賞口開放時間が終了したと判断するか（Ｙｅｓ）、もしくはステップＳ５３１０でカウント数が所定数に達したことを確認すると（Ｎｏ）、主制御ＣＰＵ７２は次にステップＳ５３１２を実行する。
【０４０１】
ステップＳ５３１２：主制御ＣＰＵ７２は、第１大入賞口又は第２大入賞口を閉鎖させる。具体的には、第１大入賞口ソレノイド９０又は第２大入賞口ソレノイド９７に印加していた駆動信号の出力を停止する。これにより、第１可変入賞装置３０又は第２可変入賞装置３１が開放状態から閉鎖状態に移行する。
【０４０２】
ステップＳ５３１３：主制御ＣＰＵ７２は、確変領域閉鎖処理を実行する。具体的には、確変領域用ソレノイド９９に対して印加している駆動信号の出力を停止する処理を実行する。これにより、確変領域用羽根部材３１ｄが閉鎖して、第２可変入賞装置３１の内部に配置された確変領域へ遊技球を案内することができない状態となる。
【０４０３】
ステップＳ５３１４：次に主制御ＣＰＵ７２は、インターバルタイマカウントダウン処理を実行する。この処理では、主制御ＣＰＵ７２は大当り時大入賞口開放パターン設定処理（図３５中のステップＳ５２１０）で設定した大入賞口インターバルタイマ及び確変領域インターバルタイマのカウントダウンを実行する。
【０４０４】
ステップＳ５３１５：主制御ＣＰＵ７２は、大入賞口インターバル時間が終了したか否かを確認する。具体的には、カウントダウン処理後の大入賞口インターバルタイマの値が０以下であるか否かを確認し、未だ大入賞口インターバルタイマの値が０以下になっていなければ（Ｎｏ）、主制御ＣＰＵ７２は大当り時可変入賞装置管理処理（図３４）の末尾アドレスに復帰する。そして、次回の呼び出しで大当り時大入賞口開閉動作処理が実行されると、先頭のステップＳ５３０１からジャンプして直にステップＳ５３１４を実行する。一方、カウントダウン処理後の大入賞口インターバルタイマの値が０以下になったことを確認した場合（Ｙｅｓ）、主制御ＣＰＵ７２はステップＳ５３１８を実行する。
【０４０５】
ステップＳ５３１８：主制御ＣＰＵ７２は、開放回数カウンタの値をインクリメントする。なお、開放回数カウンタの値は、例えば初期値を０としてＲＡＭ７６のカウント領域に記憶されている。
【０４０６】
ステップＳ５３２０：主制御ＣＰＵ７２は、インクリメント後の開放回数カウンタの値が現ラウンド内で設定した回数に達しているか否かを確認する。ここで、「現ラウンド内で設定した回数」を判断しているのは、例えば「大当り中の１ラウンド内で第１可変入賞装置３０又は第２可変入賞装置３１を複数回にわたり開放動作させる」という開放パターンに対応するためである。なお、本実施形態では、このような開放パターンを採用しておらず、「現ラウンド内で設定した回数」は、各ラウンドで１回ずつに設定されている。したがって、大当り遊技中の各ラウンドでは１回の開閉動作でカウンタ値が設定した回数に達するため（Ｙｅｓ）、主制御ＣＰＵ７２は次にステップＳ５３２２に進むことになる。
【０４０７】
一方、１ラウンド内で複数回の開閉動作を繰り返すパターンを採用している場合には、１回の開放終了時に未だカウンタ値が設定した回数に達していないことになる（Ｎｏ）。この場合、主制御ＣＰＵ７２は大当り時可変入賞装置管理処理に復帰すると、現段階ではジャンプ先が大当り時大入賞口開閉動作処理に設定されているので、ステップＳ５３０１〜ステップＳ５３２０までの手順を繰り返し実行する。その結果、ステップＳ５３１８で開放回数カウンタのインクリメントが進み、そして、カウンタ値が設定した回数に達すると（Ｙｅｓ）、主制御ＣＰＵ７２は次にステップＳ５３２２に進むことになる。
【０４０８】
ステップＳ５３２２：主制御ＣＰＵ７２は次のジャンプ先を大当り時大入賞口閉鎖処理に設定し、大当り時可変入賞装置管理処理に復帰する。そして、次に大当り時可変入賞装置管理処理を実行すると、主制御ＣＰＵ７２は次に大当り時大入賞口閉鎖処理を実行する。
【０４０９】
〔大当り時大入賞口閉鎖処理〕
図３７は、大当り時大入賞口閉鎖処理の手順例を示すフローチャートである。この大当り時大入賞口閉鎖処理は、第１可変入賞装置３０又は第２可変入賞装置３１の作動を継続したり、その作動を終了したりするためのものである。以下、手順に沿って説明する。
【０４１０】
ステップＳ５４０２：主制御ＣＰＵ７２は、ラウンド数カウンタをインクリメントする。これにより、例えば１ラウンド目が終了し、２ラウンド目に向かう段階でラウンド数カウンタの値は「１」となっている。
【０４１１】
ステップＳ５４０４：主制御ＣＰＵ７２は、インクリメント後のラウンド数カウンタの値が設定した実行ラウンド数に達しているか否かを確認する。具体的には、主制御ＣＰＵ７２はインクリメント後のラウンド数カウンタの値（１〜１５）を参照し、その値が設定した実行ラウンド数（１減算後の１〜１５）未満であれば（Ｎｏ）、次にステップＳ５４０５を実行する。
【０４１２】
ステップＳ５４０５：主制御ＣＰＵ７２は、現在のラウンド数カウンタの値からラウンド数コマンドを生成する。このコマンドは、演出制御出力処理において演出制御装置１２４に送信されるものである。演出制御装置１２４は、受信したラウンド数コマンドに基づいて現在のラウンド数を確認することができる。
【０４１３】
ステップＳ５４０６：主制御ＣＰＵ７２は、次のジャンプ先を大当り時大入賞口開閉動作処理に設定する。
【０４１４】
ステップＳ５４０８：そして、主制御ＣＰＵ７２は、入賞球数カウンタをリセットし、大当り時可変入賞装置管理処理に復帰する。
【０４１５】
主制御ＣＰＵ７２が次に大当り時可変入賞装置管理処理を実行すると、大当り時遊技プロセス選択処理（図３４中のステップＳ５１００）で主制御ＣＰＵ７２は次のジャンプ先である大当り時大入賞口開閉動作処理を実行する。そして、大当り時大入賞口開閉動作処理の実行後は大当り時大入賞口閉鎖処理の実行を経て、主制御ＣＰＵ７２は再び大当り時大入賞口閉鎖処理を実行し、ステップＳ５４０２〜ステップＳ５４０８を繰り返し実行する。これにより、実際のラウンド数が設定した実行ラウンド数（９回又は１６回）に達するまでの間、第１可変入賞装置３０又は第２可変入賞装置３１の開閉動作が連続して実行される。
【０４１６】
実際のラウンド数が設定した実行ラウンド数に達した場合（ステップＳ５４０４：Ｙｅｓ）、主制御ＣＰＵ７２は次にステップＳ５４１０を実行する。
【０４１７】
ステップＳ５４１０，ステップＳ５４１２：この場合、主制御ＣＰＵ７２はラウンド数カウンタをリセット（＝０）すると、次のジャンプ先を大当り時終了処理に設定する。
【０４１８】
ステップＳ５４０８：そして、主制御ＣＰＵ７２は、入賞球数カウンタをリセットし、大当り時可変入賞装置管理処理に復帰する。これにより、次に主制御ＣＰＵ７２が大当り時可変入賞装置管理処理を実行すると、今度は大当り時終了処理が選択されることになる。
【０４１９】
〔大当り時終了処理〕
図３８は、大当り時終了処理の手順例を示すフローチャートである。この大当り時終了処理は、大当り時の第１可変入賞装置３０又は第２可変入賞装置３１の作動を終了する際の条件を整えるためのものである。以下、手順例に沿って説明する。
【０４２０】
ステップＳ５５０１：主制御ＣＰＵ７２は、大当り時終了時間タイマカウントダウン処理を実行する。この処理では、主制御ＣＰＵ７２は大当り時終了時間タイマに初期値を設定し、その後、時間の経過に伴って（本モジュールの呼び出しごとに）タイマをカウントダウンする。
【０４２１】
ステップＳ５５０２：次に主制御ＣＰＵ７２は、大当り時終了時間が経過したか否かを確認する。具体的には、大当り時終了時間タイマの値が未だ０になっていなければ、主制御ＣＰＵ７２は大当り時終了時間が経過していないと判断する（Ｎｏ）。この場合、主制御ＣＰＵ７２は本モジュールを終了して大当り時可変入賞装置管理処理（図３４）に復帰する。
【０４２２】
この後、時間の経過に伴って大当り時終了時間タイマの値が０になると、主制御ＣＰＵ７２は大当り時終了時間が経過したと判断し（Ｙｅｓ）、ステップＳ５５０３以降を実行する。
【０４２３】
ステップＳ５５０３，ステップＳ５５０４：主制御ＣＰＵ７２は大当りフラグをリセット（００Ｈ）する。これにより、主制御ＣＰＵ７２の制御処理上で大当り遊技状態は終了する。また、主制御ＣＰＵ７２は、ここで内部状態フラグから「大当り中」を消去し、制御処理上で内部状態としての大役終了を宣言する。なお、主制御ＣＰＵ７２は連続作動回数ステータスの値をリセットする。
【０４２４】
ステップＳ５５０６：次に主制御ＣＰＵ７２は、確率変動機能作動フラグの値（０１Ｈ）がセットされているか否かを確認する。このフラグは、先のスイッチ入力イベント処理（図１０中のステップＳ２８）でセットされるものである。
【０４２５】
ステップＳ５５０８：確率変動機能作動フラグの値がセットされている場合（ステップＳ５５０６：Ｙｅｓ）、主制御ＣＰＵ７２は確率変動回数（例えば１７０回）を設定する。設定した確率変動回数の値は、例えばＲＡＭ７６の確変カウンタ領域に格納されて回数切りカウンタ値となる。ここで設定した確率変動回数は、これ以降の遊技で特別図柄の変動（内部抽選）を高確率状態で行う上限回数となる。本実施形態では、高確率状態に実質的な上限を設けているため、高確率状態で当選の結果が得られずに低確率状態に復帰する場合もある（いわゆる回数切り確変）。なお、確率変動機能作動フラグの値がセットされていなければ（ステップＳ５５０６：Ｎｏ）、主制御ＣＰＵ７２はステップＳ５５０８を実行しない。
【０４２６】
ステップＳ５５１０：次に主制御ＣＰＵ７２は、時間短縮機能作動フラグの値（０１Ｈ）がセットされているか否かを確認する。このフラグは、先の特別図柄変動前処理中の大当り時その他設定処理（図１６中のステップＳ２４１４）でセットされるものである。
【０４２７】
ステップＳ５５１２：そして、時間短縮機能作動フラグの値がセットされている場合（ステップＳ５５１０：Ｙｅｓ）、主制御ＣＰＵ７２は時短回数（例えば１００回又は１７０回）を設定する。ここで、いずれの時短回数を設定するかについては、確率変動機能作動フラグの値に左右される。すなわち、主制御ＣＰＵ７２は確率変動機能作動フラグの値がセットされていれば時短回数として１７０回を設定し（高確率時間短縮状態移行手段、有利遊技状態移行手段）、確率変動機能作動フラグの値がセットされてなければ時短回数として１００回を設定する（低確率時間短縮状態移行手段、有利遊技状態移行手段）。ただし、主制御ＣＰＵ７２は、確率変動機能作動フラグの値がセットされていたとしても、当選図柄が６ラウンド確変図柄２に該当している場合には、時短回数として１００回を設定する（有利遊技状態移行手段、特別状態移行手段）。設定した時短回数の値は、ＲＡＭ７６の時短カウント領域に格納される。ここで設定した時短回数は、これ以降の遊技で特別図柄の変動時間を短縮化する上限回数となる。なお、時間短縮機能作動フラグの値がセットされていなければ（ステップＳ５５１０：Ｎｏ）、主制御ＣＰＵ７２はステップＳ５５１２を実行しない。
【０４２８】
ステップＳ５５１４：そして、主制御ＣＰＵ７２は、各種のフラグに基づいて状態指定コマンドを生成する。具体的には、大当りフラグのリセット又は大役終了に伴い、遊技状態として「通常中」を表す状態指定コマンドを生成する。また、確率変動機能作動フラグがセットされていれば、内部状態として「高確率中」を表す状態指定コマンドを生成し、時間短縮機能作動フラグがセットされていれば、内部状態として「時間短縮中」を表す状態指定コマンドを生成する。これら状態指定コマンドは、演出制御出力処理において演出制御装置１２４に送信される。
【０４２９】
ステップＳ５５１５：主制御ＣＰＵ７２は、変動回数カウンタの値をリセットする（ゼロクリアする）処理を実行する。
【０４３０】
ステップＳ５５１６：以上の手順を経ると主制御ＣＰＵ７２は次のジャンプ先を大当り時大入賞口開放パターン設定処理に設定する。
【０４３１】
ステップＳ５５１８：そして、主制御ＣＰＵ７２は、特別図柄遊技処理の中の実行選択処理（図１４中のステップＳ１０００）でのジャンプ先を特別図柄変動前処理に設定する。以上の手順を終えると、主制御ＣＰＵ７２は大当り時可変入賞装置管理処理に復帰する。
【０４３２】
〔小当り時可変入賞装置管理処理〕
次に、小当り時可変入賞装置管理処理の詳細について説明する。図３９は、小当り時可変入賞装置管理処理の構成例を示すフローチャートである。小当り時可変入賞装置管理処理は、小当り時遊技プロセス選択処理（ステップＳ６１００）、小当り時大入賞口開放パターン設定処理（ステップＳ６２００）、小当り時大入賞口開閉動作処理（ステップＳ６３００）、小当り時大入賞口閉鎖処理（ステップＳ６４００）、小当り時終了処理（ステップＳ６５００）のサブルーチン群を含む構成である。
【０４３３】
ステップＳ６１００：小当り時遊技プロセス選択処理において、主制御ＣＰＵ７２は次に実行するべき処理（ステップＳ６２００〜ステップＳ６５００のいずれか）のジャンプ先を選択する。すなわち主制御ＣＰＵ７２は、ジャンプテーブルから次に実行するべき処理のプログラムアドレスをジャンプ先のアドレスとして選択し、また、戻り先のアドレスとして小当り時可変入賞装置管理処理の末尾をスタックポインタにセットする。いずれの処理を次のジャンプ先として選択するかは、これまでに行われた処理の進行状況によって異なる。例えば、未だ第１可変入賞装置３０の作動（開閉動作）を開始していない状況であれば、主制御ＣＰＵ７２は次のジャンプ先として小当り時大入賞口開放パターン設定処理（ステップＳ６２００）を選択する。一方、既に小当り時大入賞口開放パターン設定処理が完了していれば、主制御ＣＰＵ７２は次のジャンプ先として小当り時大入賞口開閉動作処理（ステップＳ６３００）を選択し、小当り時大入賞口開閉動作処理まで完了していれば、次のジャンプ先として小当り時大入賞口閉鎖処理（ステップＳ６４００）を選択する。また、設定された連続作動回数にわたって小当り時大入賞口開閉動作処理及び小当り時大入賞口閉鎖処理が繰り返し実行されると、主制御ＣＰＵ７２は次のジャンプ先として小当り時終了処理（ステップＳ６５００）を選択する。以下、それぞれの処理についてさらに詳しく説明する。
【０４３４】
〔小当り時大入賞口開放パターン設定処理〕
図４０は、小当り時大入賞口開放パターン設定処理の手順例を示すフローチャートである。この処理は、小当り時に第１可変入賞装置３０を開閉動作する回数や各開放の時間等の条件を設定するためのものである。以下、各手順に沿って説明する。
【０４３５】
ステップＳ６２１２：主制御ＣＰＵ７２は、「小当り時開放パターン」を設定する。本実施形態の場合、「小当り時開放パターン」については、例えば１回目と２回目とでそれぞれ「０．１秒開放」の開放パターンが設定される。なお、「小当り」については「ラウンド」という概念がないことから、「開放パターン」についても「１回目の開放」、「２回目の開放」といった表記となる。
【０４３６】
ステップＳ６２１４：主制御ＣＰＵ７２は、先のステップＳ６２１２で設定した大入賞口開放パターンに基づき、大入賞口の開放回数を例えば２回に設定する。ここで設定した開放回数は、例えばＲＡＭ７６のバッファ領域に格納される。
【０４３７】
ステップＳ６２１６：次に主制御ＣＰＵ７２は、小当り時開放タイマを設定する。ここで設定したタイマの値は、第１可変入賞装置３０を作動する際の１回あたりの開放時間となる。なお、本実施形態では、小当り時開放タイマの値として０．１秒が設定されており、このような開放時間は１回の開放中に大入賞口への入賞がほとんど発生しない（困難となる）短時間（例えば１秒より短い時間、好ましくは発射装置ユニットによる遊技球の発射間隔よりも短い時間）となる。
【０４３８】
ステップＳ６２１８：主制御ＣＰＵ７２は、小当り時インターバルタイマを設定する。ここで設定したタイマの値は、小当り時に第１可変入賞装置３０を複数回にわたり開閉動作させる際の１回ごとの待機時間となるが、このタイマ値は例えば２秒程度に設定される。
【０４３９】
ステップＳ６２２０：以上の手順を終えると、主制御ＣＰＵ７２は次のジャンプ先を小当り時大入賞口開閉動作処理に設定し、小当り時可変入賞装置管理処理（図３９）に復帰する。そして、主制御ＣＰＵ７２は、次に小当り時大入賞口開閉動作処理（ステップＳ６３００）を実行する。
【０４４０】
〔小当り時大入賞口開閉動作処理〕
図４１は、小当り時大入賞口開閉動作処理の手順例を示すフローチャートである。この処理は、小当り時に第１可変入賞装置３０の開閉動作を制御するためのものである。以下、手順に沿って説明する。
【０４４１】
ステップＳ６３０１：主制御ＣＰＵ７２は、インターバルタイマがカウントダウン中であるか否かを確認する。具体的には、以下のステップＳ６３１４で設定するインターバルタイマが既に動作中であるか否かを確認することにより、インターバルタイマがカウントダウン中であるか否かを確認することができる。
【０４４２】
その結果、インターバルタイマがカウントダウン中であることを確認した場合（Ｙｅｓ）、主制御ＣＰＵ７２はステップＳ６３１４を実行する。一方、インターバルタイマがカウントダウン中であることを確認できない場合（Ｎｏ）、主制御ＣＰＵ７２はステップＳ６３０２を実行する。
【０４４３】
ステップＳ６３０２：主制御ＣＰＵ７２は、第１大入賞口を開放させる。具体的には、第１大入賞口ソレノイド９０に対して印加する駆動信号を出力する。これにより、第１可変入賞装置３０が作動して閉鎖状態から開放状態に移行する。
【０４４４】
ステップＳ６３０４：次に主制御ＣＰＵ７２は、開放タイマカウントダウン処理を実行する。この処理では、先の小当り時大入賞口開放パターン設定処理（図４０中のステップＳ６２１６）で設定した開放タイマのカウントダウンを実行する。
【０４４５】
ステップＳ６３０６：続いて主制御ＣＰＵ７２は、開放時間が終了したか否かを確認する。具体的には、カウントダウン処理後の開放タイマの値が０以下であるか否かを確認し、未だ開放タイマの値が０以下になっていなければ（Ｎｏ）、主制御ＣＰＵ７２は次にステップＳ６３０８を実行する。
【０４４６】
ステップＳ６３０８：主制御ＣＰＵ７２は、入賞球数カウント処理を実行する。この処理では、開放時間内に第１可変入賞装置３０（開放中の第１大入賞口）に入賞した遊技球の個数をカウントする。具体的には、主制御ＣＰＵ７２は開放時間内に第１カウントスイッチ８４から入力された入賞検出信号に基づいて、カウント数の値をインクリメントする。
【０４４７】
ステップＳ６３１０：次に主制御ＣＰＵ７２は、現在のカウント数が所定数（１０個）未満であるか否かを確認する。この所定数は、開放１回（小当り時の開放１回）あたりに許容する入賞球数の上限（賞球数の上限）を定めたものである。未だカウント数が所定数に達していなければ（Ｙｅｓ）、主制御ＣＰＵ７２は小当り時可変入賞装置管理処理（図３９）に復帰する。そして、次に小当り時可変入賞装置管理処理を実行すると、現段階ではジャンプ先が小当り時大入賞口開閉動作処理に設定されているので、主制御ＣＰＵ７２はステップＳ６３０１〜ステップＳ６３１０の手順を繰り返し実行する。
【０４４８】
ステップＳ６３０６で開放時間が終了したと判断するか（Ｙｅｓ）、もしくはステップＳ６３１０でカウント数が所定数に達したことを確認すると（Ｎｏ）、主制御ＣＰＵ７２は次にステップＳ６３１２を実行する。ここで、小当り時の開放は、開放タイマの値が短時間に設定されているので、通常、主制御ＣＰＵ７２はステップＳ６３１０でカウント数が所定数に達したことを確認するより先に、ステップＳ６３０６で開放時間が終了したと判断する場合がほとんどである。
【０４４９】
ステップＳ６３１２：主制御ＣＰＵ７２は、第１大入賞口を閉鎖させる。具体的には、第１大入賞口ソレノイド９０に印加していた駆動信号の出力を停止する。これにより、第１可変入賞装置３０が開放状態から閉鎖状態に復帰する。
【０４５０】
ステップＳ６３１４：次に主制御ＣＰＵ７２は、インターバルタイマカウントダウン処理を実行する。この処理では、主制御ＣＰＵ７２は小当り時大入賞口開放パターン設定処理（図４０中のステップＳ６２１８）で設定したインターバルタイマのカウントダウンを実行する。
【０４５１】
ステップＳ６３１５：主制御ＣＰＵ７２は、インターバル時間が終了したか否かを確認する。具体的には、カウントダウン処理後のインターバルタイマの値が０以下であるか否かを確認し、未だインターバルタイマの値が０以下になっていなければ（Ｎｏ）、主制御ＣＰＵ７２は小当り時可変入賞装置管理処理（図３９）の末尾アドレスに復帰する。そして、次回の呼び出しで小当り時大入賞口開閉動作処理が実行されると、先頭のステップＳ６３０１からジャンプして直にステップＳ６３１４を実行する。一方、カウントダウン処理後のインターバルタイマの値が０以下になったことを確認した場合（Ｙｅｓ）、主制御ＣＰＵ７２はステップＳ６３１６を実行する。
【０４５２】
ステップＳ６３１６：主制御ＣＰＵ７２は次のジャンプ先を小当り時大入賞口閉鎖処理に設定し、小当り時可変入賞装置管理処理に復帰する。そして、次に小当り時可変入賞装置管理処理を実行すると、主制御ＣＰＵ７２は次に小当り時大入賞口閉鎖処理を実行する。
【０４５３】
〔小当り時大入賞口閉鎖処理〕
図４２は、小当り時大入賞口閉鎖処理の手順例を示すフローチャートである。この小当り時大入賞口閉鎖処理は、第１可変入賞装置３０の作動を継続したり、その作動を終了したりするためのものである。以下、手順に沿って説明する。
【０４５４】
ステップＳ６４１２：主制御ＣＰＵ７２は、開放回数カウンタの値をインクリメントする。
【０４５５】
ステップＳ６４１４：次に主制御ＣＰＵ７２は、インクリメント後の開放回数カウンタの値が設定した開放回数に達したか否かを確認する。開放回数は、先の大入賞口開放パターン設定処理（図４０中のステップＳ６２１４）で設定したものである。未だ開放回数カウンタの値が設定した開放回数に達していなければ（Ｎｏ）、主制御ＣＰＵ７２はステップＳ６４１６を実行する。
【０４５６】
ステップＳ６４１６：主制御ＣＰＵ７２は、次のジャンプ先を小当り時大入賞口開閉動作処理に設定する。
ステップＳ６４３０：そして、主制御ＣＰＵ７２は、入賞球数カウンタをリセットし、小当り時可変入賞装置管理処理（図３９）に復帰する。
【０４５７】
主制御ＣＰＵ７２が次に可変入賞装置管理処理を実行すると、小当り時遊技プロセス選択処理（図３９中のステップＳ６１００）で主制御ＣＰＵ７２は次のジャンプ先である小当り時大入賞口開閉動作処理を実行する。そして、小当り時大入賞口開閉動作処理の実行後に、主制御ＣＰＵ７２は再び小当り時大入賞口閉鎖処理を実行し、実際の開放回数が設定した開放回数（２回）に達するまでの間、第１可変入賞装置３０の開閉動作が繰り返し実行される。
【０４５８】
小当り時の実際の開放回数が設定した開放回数に達した場合（ステップＳ６４１４：Ｙｅｓ）、主制御ＣＰＵ７２は次にステップＳ６４１８を実行する。
【０４５９】
ステップＳ６４１８，ステップＳ６４２０：この場合、主制御ＣＰＵ７２は開放回数カウンタをリセット（＝０）すると、次のジャンプ先を小当り時終了処理に設定する。
【０４６０】
ステップＳ６４３０：そして、主制御ＣＰＵ７２は、入賞球数カウンタをリセットし、小当り時可変入賞装置管理処理（図３９）に復帰する。これにより、次に主制御ＣＰＵ７２が可変入賞装置管理処理を実行すると、今度は小当り時終了処理が選択されることになる。
【０４６１】
〔小当り時終了処理〕
図４３は、小当り時終了処理の手順例を示すフローチャートである。この小当り時終了処理は、小当り時の第１可変入賞装置３０の作動を終了する際の条件を整えるためのものである。以下、手順例に沿って説明する。
【０４６２】
ステップＳ６５０２：主制御ＣＰＵ７２は、小当り時終了時間タイマカウントダウン処理を実行する。この処理では、主制御ＣＰＵ７２は小当り時終了時間タイマに初期値を設定し、その後、時間の経過に伴って（本モジュールの呼び出しごとに）タイマをカウントダウンする。
【０４６３】
ステップＳ６５０４：次に主制御ＣＰＵ７２は、小当り時終了時間が経過したか否かを確認する。具体的には、小当り時終了時間タイマの値が未だ０になっていなければ、主制御ＣＰＵ７２は小当り時終了時間が経過していないと判断する（Ｎｏ）。この場合、主制御ＣＰＵ７２は本モジュールを終了して小当り時可変入賞装置管理処理（図３９）に復帰する。
【０４６４】
この後、時間の経過に伴って小当り時終了時間タイマの値が０になると、主制御ＣＰＵ７２は小当り時終了時間が経過したと判断し（Ｙｅｓ）、ステップＳ６５０６以降を実行する。
【０４６５】
ステップＳ６５０６，ステップＳ６５０８：主制御ＣＰＵ７２は小当りフラグの値をリセット（００Ｈ）し、また、内部状態フラグから「小当り中」を消去して小当り遊技を終了させる。なお、小当りの場合、特に内部的な条件装置は作動しないため、このような手順は単にフラグの消去を目的としたものである。
【０４６６】
ステップＳ６５１０：以上の手順を経ると主制御ＣＰＵ７２は次のジャンプ先を小当り時大入賞口開放パターン設定処理に設定する。
【０４６７】
ステップＳ６５１２：そして、主制御ＣＰＵ７２は、特別図柄遊技処理の中の実行選択処理（図１４中のステップＳ１０００）でのジャンプ先を特別図柄変動前処理に設定する。以上の手順を終えると、主制御ＣＰＵ７２は小当り時可変入賞装置管理処理に復帰する。
【０４６８】
〔演出画像及び操作情報の例〕
次に、パチンコ機１において実際にメイン液晶表示器４２に表示される演出画像について、いくつかの例を挙げて説明する。以上のように、パチンコ機１において大当りの内部抽選が行われると、主制御ＣＰＵ７２による制御の下で変動パターン（変動時間）を決定し、第１特別図柄や第２特別図柄による変動表示が行われる（図柄表示手段）。ただし、第１特別図柄や第２特別図柄そのものは７セグメントＬＥＤによる点灯・点滅表示であるため、見た目上の訴求力に乏しい。そこでパチンコ機１では、演出図柄を用いた変動表示演出が行われている。変動表示演出は、例えばメイン液晶表示器４２で行われる。
【０４６９】
演出図柄には、例えば左演出図柄、中演出図柄、右演出図柄の３つが含まれており、これらはメイン液晶表示器４２の画面上で左・中・右に並んで表示される（図１参照）。各演出図柄は、例えば数字の「１」〜「９」とともにキャラクターが付された絵札（矩形状とは限らない）をデザインしたものとなっている。ここで、左演出図柄、中演出図柄、及び右演出図柄は、いずれも数字が「９」〜「１」の降順に並んだ図柄列を構成している。このような図柄列は、画面上の左領域・中領域・右領域でそれぞれ縦方向に流れる（スクロールする）ようにして変動表示される。
【０４７０】
図４４は、特別図柄の変動表示及び停止表示に対応させた演出画像の例を示す連続図である。なお、ここでは非当選（はずれ）時の特別図柄の変動について、演出図柄を用いて行われる変動表示演出と停止表示演出（結果表示演出）の一例を表している。この変動表示演出は、特別図柄（ここでは第１特別図柄とするが、第２特別図柄でもよい。）が変動表示を開始してから、停止表示（確定停止を含む）するまでの間に行われる一連の演出に該当する。また、停止表示演出は、特別図柄が停止表示されたことと、そのときの内部抽選の結果を演出図柄の組み合わせとして表す演出である。ここでは先ず、制御処理の具体的な内容を説明する前に、本実施形態で採用されている変動１回ごとの変動表示演出と停止表示演出の基本的な流れについて説明する。
【０４７１】
〔変動表示前〕
図４４中（Ａ）：例えば、第１特別図柄が変動を開始する前の状態（デモ演出中でない状態）で、メイン液晶表示器４２の画面内には３本の演出図柄の列が大きく表示されている。このとき第１特別図柄又は第２特別図柄の停止表示に合わせて、演出図柄も停止表示された状態にある。
【０４７２】
また、メイン液晶表示器４２の画面下部には、第１特別図柄及び第２特別図柄それぞれの作動記憶数を表すマーカ（図中に参照符号Ｍ１，Ｍ２を付す）が表示されるものとなっている。これらマーカＭ１，Ｍ２は、それぞれの表示個数が対応する第１特別図柄、第２特別図柄の作動記憶数（第１特別図柄作動記憶ランプ３４ａ、第２特別図柄作動記憶ランプ３５ａの表示数）を表しており、遊技中の作動記憶数の変化に連動して表示個数も増減する。また、マーカＭ１，Ｍ２は、視覚的な判別を容易にするため第１特別図柄に対応するマーカＭ１が例えば円（○）の図形で表示され、第２特別図柄に対応するマーカＭ２が例えばハートの図形で表示されている。なお、図４４中（Ａ）の例では、マーカＭ１が４つとも点灯表示されることで第１特別図柄の作動記憶数が４個であることを表し、マーカＭ２が全て非表示（破線で示す）になることで第２特別図柄の作動記憶数が０個であることを表している。
【０４７３】
また、演出図柄の変動表示中、例えばメイン液晶表示器４２の画面右下には第４図柄（図中に参照符号Ｚ１，Ｚ２を付す）が表示されている。この第４図柄Ｚ１，Ｚ２は、上記の左・中・右演出図柄に続く「第４の演出図柄」であり、演出図柄の変動表示中はこれに同期して変動表示されている。なお、第４図柄Ｚ１，Ｚ２は、単純なマーク（例えば「□」の図形）に色彩を付しただけのものであり、例えばその表示色を変化させることで変動表示を表現することができる。第４図柄Ｚ１は、第１特別図柄に対応しており、第４図柄Ｚ２は、第２特別図柄に対応している。
【０４７４】
また、第４図柄Ｚ１，Ｚ２については、はずれに対応する態様（例えば白表示色）で停止表示されている。これは、停止表示演出が正しく行われており、パチンコ機１が正常に動作しているということを客観的に明らかにするためのものである。したがって、「はずれ」ではなく、実際に内部抽選の結果が「１２ラウンド大当り」や「１６ラウンド大当り」であれば、それらに対応する態様（例えば青表示色や赤表示色等）や当選時で共通した態様（例えば、緑表示色のみ）で第４図柄Ｚ１，Ｚ２は停止表示される。
【０４７５】
〔変動表示演出開始〕
図４４中（Ｂ）：例えば第１特別図柄の変動開始に同期して、メイン液晶表示器４２の表示画面上で３本の図柄列がスクロール変動することで変動表示演出が開始される（図柄演出実行手段、演出実行手段）。すなわち、第１特別図柄の変動開始に同期して、液晶表示器４２の表示画面内で左演出図柄、中演出図柄、右演出図柄の列が縦方向にスクロールする（流れる）ようにして変動表示演出が開始される。なお、図中、演出図柄の変動表示は単に下向きの矢印で示されている。また、変動表示中、個々の演出図柄が透けた状態で表示（透過表示）されることにより、このとき表示画面内には演出図柄の背景となる画像（背景画像）が視認しやすい状態で表示されている。
【０４７６】
この場合の背景画像は、例えば浴衣を着こなした女性キャラクターが長椅子に腰掛け、夕涼みでもするかのようにリラックスしている風景を表現したものである。このような背景画像は、演出上での滞在モードが例えば「通常モード」であることを表現している。本実施形態において「通常モード」は、上記の変動時間短縮機能が非作動であり、また、確率変動機能も非作動である通常状態に対応するものとする。この他にも演出上で各種のモードが設けられており、モードごとに風景や情景の異なる背景画像が用意されている（状態表示演出実行手段）。これらモードの違いは、内部的な「時間短縮状態」に対応するものであったり、「高確率状態」に対応するものであったりする。なお、内部状態別に対応するモードについてはさらに後述する。ここでは特に図示していないが、この後、例えば表示画面内にキャラクターやアイテム等の画像を表示させることで、予告演出が行われる態様であってもよい。
【０４７７】
また、演出図柄の変動表示中、メイン液晶表示器４２の画面右下では第４図柄Ｚ１が変動表示されており、第４図柄Ｚ１は、その表示色を変化させることで変動表示を表現している。
【０４７８】
〔左図柄停止〕
図４４中（Ｃ）：例えば、ある程度の時間（変動時間の半分程度）が経過すると、最初に左演出図柄が変動を停止する。この例では、画面の左側位置に数字の「８」を表す演出図柄が停止したことを表している。なお、ここでは背景画像の図示を省略している（これ以降も同様）。
【０４７９】
〔作動記憶数減少時の演出例〕
ここで、先の図４４中（Ｂ）に示されているように、変動開始に伴って第１特別図柄の作動記憶数が１個分減少するため、それに連動してマーカＭ１の表示個数が１個分減少されている。例えば、それまでに作動記憶数が４個あったとすると、マーカＭ１において最も以前（古い）の記憶数表示が１個だけ非表示となり、内部抽選によって消費される演出が合わせて行われる。これにより、第１特別図柄に関して作動記憶数が減少したことを演出上でも遊技者に教示することができる。
【０４８０】
そして、図４４中（Ｃ）の例においては、記憶順で先頭にあった作動記憶が消費されて残りが３個になったため、画面上に残った３つのマーカＭ１がそれぞれ１個分ずつ一方向（ここでは左方向）へずれていく演出が行われている。これにより、作動記憶数の変化の前後関係を正確に演出上で表現するとともに、遊技者に対して「作動記憶が消費されて１つ減った」ということを直感的に分かりやすく教示することができる。
【０４８１】
〔右演出図柄停止〕
図４４中（Ｄ）：左演出図柄に続いて、その後に右演出図柄が変動を停止する。この例では、画面の右側位置に数字の「３」を表す演出図柄が停止したことを表している。この時点で既にリーチ状態が発生しないことは確定しているので、今回の変動が非リーチ（通常）変動であるということが見た目上でほとんど明らかとなっている。なお、ここではすべりパターン等によるリーチ変動を除くものとする。「すべりパターン」とは、例えば一旦は数字の「７」を表す演出図柄が停止した後、図柄列が１図柄分すべって数字の「８」を表す演出図柄が停止し、それによってリーチに発展するというものである。あるいは、一旦は数字の「９」を表す演出図柄が停止した後、図柄列が逆向きに１図柄分すべって数字の「８」を表す演出図柄が停止し、それによってリーチに発展するパターンもある。また、その他にも例えば「５」等の全くかけ離れた数字を表す演出図柄が一旦停止した後、画面上にキャラクターが出現して右演出図柄列を再変動させると、数字の「８」を表す演出図柄が停止してリーチに発展するといったパターンもある。
【０４８２】
〔停止表示演出〕
図４４中（Ｅ）：第１特別図柄の停止表示に同期して、最後の中演出図柄が停止する。今回の内部抽選の結果が非当選であって、第１特別図柄が非当選（はずれ）の態様で停止表示される場合、演出図柄も同様に非当選（はずれ）の態様で停止表示演出が行われる（演出実行手段）。すなわち、図示の例では、画面の中段位置に数字の「１」を表す演出図柄が停止したことを表しており、この場合、演出図柄の組み合わせは「８」−「１」−「３」のはずれ目であるため、今回の変動は通常の「はずれ」に該当したことが演出上で表現されている。このとき、第４図柄Ｚ１は、はずれに対応する態様（例えば白表示色）で停止表示される。
【０４８３】
以上は、１回の変動ごとに演出図柄を用いて行われる変動表示演出と停止表示演出（非当選時）の一例である。このような演出を通じて、遊技者に当選に対する期待感を抱かせるとともに、最終的に内部抽選の結果を演出上で明確に教示することができる。
【０４８４】
また、上記の例は非当選時についてのものであるが、大当り（当選）時には変動表示演出中にリーチ演出が実行された後、停止表示演出において演出図柄が大当りの態様で停止表示される。このとき演出図柄の停止表示態様は、基本的には主制御ＣＰＵ７２によって内部的に選択された当選図柄（第１特別図柄表示装置３４又は第２特別図柄表示装置３５の停止表示態様）に対応させて選択される。
【０４８５】
〔大当り時の演出例〕
図４５〜図４７は、「１２ラウンド確変図柄２」に該当した場合の大当り（当選）時に実行されるスーパーリーチ演出の流れを示す連続図である。ここではリーチ演出の他に、変動表示演出や停止表示演出及び予告演出が含まれるものとする。その他にも、変動表示演出中に実行される予告演出（リーチ発生前予告演出、リーチ発生後予告演出）の一例を説明する。なお、ここでは図面の煩雑化を防止するため、第４図柄Ｚ１，Ｚ２及びマーカＭ１，Ｍ２についての図示を省略している。
【０４８６】
以下のリーチ演出は、例えば第１特別図柄表示装置３４において大当り時の変動パターンによる変動表示が行われた後、第１特別図柄が「１２ラウンド確変図柄２」の態様（例えば７セグメントＬＥＤの「己」，「ヨ」，「口」，「巳」，「Ｆ」，「Ｅ」，「Ｌ」，「Γ」等）で停止表示されるまでに実行される（リーチ演出実行手段）。なお、図４７中、各演出図柄を数字のみに簡略化して示している。また、上記のマーカＭ１，Ｍ２及び第４図柄Ｚ１，Ｚ２については、ここでの図示を省略している。以下、演出の流れに沿って説明する。
【０４８７】
〔変動表示演出〕
図４５中（Ａ）：例えば、第１特別図柄の変動開始に略同期して、メイン液晶表示器４２の画面上で左演出図柄、中演出図柄、右演出図柄の列が縦方向（例えば上から下）にスクロールするようにして変動表示演出が開始される。
【０４８８】
〔リーチ発生前予告演出（１段階目）〕
図４５中（Ｂ）：次に、変動表示演出の比較的初期において、キャラクターの絵柄画像（絵札）を用いた１段階目のリーチ発生前予告演出が行われる（変動中予告演出）。このリーチ発生前予告演出は、予め定められた順序にしたがって１段階から複数段階（例えば２〜５段階）まで、段階的に態様の変化が進行していく予告演出である。このリーチ発生前予告演出で用いられる絵柄画像は、画面上で変動表示されている演出図柄の手前に位置し、例えば画面の中央に小さく出現した後、段階を追って徐々にズームアップされた画像が表示される（その他の出現の態様でもよい。）。１段階目では絵柄画像のサイズが小さくまた描かれている絵柄が非常に単純なものであるため、何が描かれているのかを認識することは困難である。
【０４８９】
なお、ここでいう「リーチ発生前予告」とは、いずれかの演出図柄が停止表示される前にリーチの可能性や大当りの可能性を予告するという意味である。このような「リーチ発生前予告演出」を実行することで、遊技者に対して「リーチに発展するかも知れない＝大当りの可能性が高まる」という期待感を抱かせる効果が得られる。
【０４９０】
〔リーチ発生前予告演出（２段階目）〕
図４５中（Ｃ）：リーチ発生前予告演出の１段階目の態様が実行された後、続いてリーチ発生前予告演出の態様の変化が２段階目に進行する。ここでは２段階目のリーチ発生前予告演出として、先と同じキャラクターが右に９０°回転した状態の絵柄画像を用いた演出が行われている。具体的には、絵柄画像が画面の中央に出現し、先に表示されていた絵柄画像の手前側に重なって表示される。また、このとき表示される絵柄画像は、先に表示されていた絵柄画像よりもサイズが大きく、右側には目に相当する部位が描画されているため、絵柄画像に示されているのがキャラクターの頭であることを認識することができる。先に表示されていた絵柄画像は今回表示された絵柄画像の奥側に隠れて見えなくなり、あたかも先に表示されていた絵柄画像が拡大表示されつつ絵柄が変化したかのような表示態様となる。
【０４９１】
〔リーチ発生前予告演出（３段階目）〕
図４５中（Ｄ）：リーチ発生前予告演出の２段階目の態様に続いて、リーチ発生前予告演出の３段階目の態様が実行される。先の段階と同様に、３段階目の絵柄画像は先に表示されていた２段階目の絵柄画像よりも大きな表示サイズで手前側に出現する。３段階目の絵柄画像には、２段階目で表示されていた絵柄画像のキャラクターがさらに右に９０°回転した状態で描かれており、その全体像が収まっている。これにより、絵柄画像に示されているのがお化けのキャラクターであることが認識可能となる。
なお、ここで、絵柄画像に表現されたキャラクターが台詞（例えば「リーチになるよ」等）を発するという、音響出力による演出があわせて行われてもよい。
【０４９２】
このように複数の絵柄画像を用いて連続して実行されるリーチ発生前予告演出は、段階を追って表現が発展していくタイプの予告演出である。このような「リーチ発生前予告演出」の態様を称して、一般的に「ステップアップ予告」等と表現することがある。ここではリーチ発生前予告演出で最終的に４段階目までの絵柄画像が出現する例を挙げているが、５段階目以降にも絵柄画像が次々と出現して表示される演出態様であってもよい。なお、この段階でも演出図柄の変動表示は継続されている。いずれにしても、リーチ発生前予告演出の態様の変化をより多くの段階まで進行させることにより、今回の変動で大当りになる可能性（期待度）が高いことを遊技者に示唆することができる（例えば、５段階目まで進行すると最大の期待度を示唆する等。）。
【０４９３】
〔リーチ発生前予告演出の中断〕
リーチ発生前予告演出の３段階目の態様が実行された後で、この予告演出が中断される。リーチ発生前予告演出が中断されている間は、図４５中（Ｂ）から（Ｄ）まで段階を踏んで変化してきた絵柄画像は、絵柄の内容や表示サイズに変化が見られなくなる。このように表現することにより、あたかも絵柄画像が停止し固まっているかのような視覚効果を与えることができる。
リーチ発生前予告演出が中断されている間の演出の流れは、大きく２パターンに分かれる。一方のパターンでは、リーチ発生前予告演出が中断されてからその中断が解除されるまで、新たな演出は実行されず画面上には何も変化が生じない（第１実施形態）。他方のパターンでは、中断されて固まったような態様で表示されているリーチ発生前予告演出の絵柄画像の手前側で新たな予告演出が実行される（第２〜４実施形態）。なお、この連続図において図示を省略した第４図柄Ｚ１，Ｚ２については、リーチ発生前予告演出の中断の影響を受けない。したがって、リーチ発生前予告演出が中断されている間も演出図柄の状態に連動した変動表示が継続される。これにより、遊技者に対して特別図柄の変動表示が行われており、パチンコ機１が正常に動作していることを知らせることができる。また、マーカＭ１，Ｍ２についても、作動記憶数の増減に応じた個数が表示されている。
【０４９４】
〔リーチ発生前予告演出の中断（第１実施形態）〕
第１実施形態は、図４５中の「予告中断」から白抜きの矢印に沿って進む流れである。
図４５中（Ｅ）：リーチ発生前予告演出が中断されると、中断したタイミングで表示されていた絵柄画像がそのままの状態で引き続き表示される。この実施形態では、リーチ発生前予告演出の中断中に新たな演出等は実行されず、中断が解除されるまでの間、同一の絵柄画像が表示され続けることにより、あたかも画面が固まっているかのような視覚効果を生み出す。本来ならば画面が停止するはずのない場面でこのような態様の表示を行うことにより、遊技者に驚きや違和感とともに、何か起こるのだろうかとの期待感を与えることができる。
【０４９５】
〔リーチ発生前予告演出の中断（第２〜第４実施形態）〕
第２実施形態は、図４５中の「予告中断」からハッチングを付した矢印に沿って進む流れであり、第３実施形態は網掛けを付した矢印、第４実施形態は黒塗りの矢印に沿って進む流れである。以下、第２〜第４実施形態に共通の流れから説明する。
【０４９６】
図４５中（Ｆ１）：リーチ発生前予告演出が中断されると、中断したタイミングで表示されていた絵柄画像がそのままの状態で引き続き表示されるとともに、この実施形態では、新たに追加の予告演出の実行が開始される。追加の予告演出を構成する画像は、固まっているかのような状態で表示され続けている絵柄画像の手前側に表示される。
【０４９７】
リーチ発生前予告演出が中断されると、画面の最前面に「アタックチャンス」とのタイトル画像が表示され、追加で実行される予告演出の開始が知らされる。この実施例において実行される追加の予告演出は、その演出の過程で画面に表示される指示に従って遊技者が所定の操作を行うことによりボーナスアイテムを獲得できる機会が与えられるタイプのものである（以下、このような予告演出を「アイテムゲット演出」と称する）。獲得したアイテムは、リーチ発生前予告演出が再開された後の場面に連動させて利用可能となる。
【０４９８】
図４５中（Ｆ２）：アイテムゲット演出が開始され、先の画面で大きく表示されていたタイトルが画面上部のバナーに移動している。画面中央部には、中断されたリーチ発生前予告演出の絵柄画像の手前側に演出切替ボタン４５を表す操作ボタン画像が表示されている。画面下部に表示された掲示枠には遊技者への指示が表示され、この場面ではボタン操作を促す「ＰＵＳＨ」との文字が示されている（操作入力要求演出）。
【０４９９】
図４５中（Ｆ３）：演出切替ボタン４５の押下（又は有効時間の経過）に伴い、画面中央部に大きく「大チャンス」という文字が表示されるとともに、キラキラした装飾が施されている。これは、先に表示されていた操作ボタン画像に対し遊技者が実際に行った演出切替ボタン４５の押し込み操作に対応した画面変化であり、これによって大きなチャンスを得たこと、すなわちアイテムを獲得できる期待度が非常に高いように見せかけることができる。
【０５００】
図４６中（Ｆ４）：画面中央部に再び操作ボタン画像が表示されるとともに、掲示枠にボタン操作を促す「ＰＵＳＨ」との文字が示されている。この場面ではさらに、操作ボタン画像の上に「大チャンス」との文字が併せて表示されている。この表記は、直前のボタン操作によって遊技者が獲得したアイテムを示すものであり、先の画面で大きく表示された「大チャンス」がここに反映されている。
【０５０１】
図４６中（Ｆ５）：画面中央部に「ｅ」のロゴが描かれた缶ドリンクが２本表示されるとともに、掲示枠には「エネルギー×２  ＧＥＴ」との文字が表示されている。これは、先の画面で表示されていた操作ボタン画像に対して遊技者が行った演出切替ボタン４５の押し込み操作により、２本の缶ドリンクが獲得されたことを示している（アイテムの出現）。
【０５０２】
図４６中（Ｆ６）：先に表示されていた２本の缶ドリンクが消え、その代わりに掲示板の下方に位置する獲得アイテム表示エリアに２つの「ｅ」マークが表示されている。これら２つの「ｅ」マークは、アイテムゲット演出中に２本の缶ドリンクを獲得したことを表している。
【０５０３】
このように、アイテムゲット演出においては、予め設定されている回数に亘って遊技者にボタン操作の機会を与え、獲得したアイテムを表すマークが画面下部の獲得アイテム表示エリアに表示される。なお、ここでは特に表示していないが、アイテムゲット演出中に獲得できるアイテム数に限度が決まっている場合、例えば画面下部位置にアイテムの表示枠（４個分）が予め表示されている態様であってもよい。そして、実際に獲得したアイテムは表示枠内に縮小表示し、残りの表示枠を空白で表示する。これにより、遊技者に対して「最大で４個までアイテムを獲得できる可能性がある」ことを教示し、演出切替ボタン４５の操作に対する動機付けを与えることができる。
【０５０４】
〔リーチ発生前予告演出の再開〕
時間が経過し、或いはアイテムゲット演出が終了すると、中断されていたリーチ発生前予告演出の実行が再開される。再開後は、固まっているかのように表示されていた絵柄画像が例えば中断前の状態、すなわち図４５中（Ｄ）に示されたリーチ発生前予告演出の３段階目の態様の表示に戻って再び動き出す。リーチ発生前予告演出は、このようにして中断されたタイミングで実行していた場面から再び開始される（中断解除手段）。
【０５０５】
〔リーチ発生前予告演出の再開（第１実施形態）〕
図４６中（Ｇ）：白抜き矢印に沿って進む流れに示されているように、リーチ発生前予告演出が再開されると、第１実施形態においては画面上に中断が解除された３段階目のリーチ発生前予告演出の絵柄画像が表示され、再びじわじわと動き出す。その背面側には、縦方向にスクロールするようにして左・中・右の３つの演出図柄が変動表示されている。
【０５０６】
〔リーチ発生前予告演出の再開（第２，第３実施形態）〕
図４６中（Ｈ）：一方、第２，第３実施形態（ハッチングを付した矢印及び網掛けを付した矢印の流れ）においては、第１実施形態の画面構成に加えて２つの「ｅ」マークが画面下部に表示されている。この表示は、リーチ発生前予告演出が中断されている間に実行されたアイテムゲット演出の過程で獲得したアイテムが、その終了後にリーチ発生前予告演出に引き継がれたことを意味している。通常、再開後のリーチ発生前予告演出における何れかの場面でこれらのアイテムを消費する機会が与えられるが（第２実施形態）、変動時間等との兼ね合いでアイテムを消費することなくリーチ発生前予告演出が終了するケースも有り得る（第３実施形態）。
【０５０７】
〔リーチ発生前予告演出の再開（第４実施形態）〕
図４６中（Ｉ）：黒塗りの矢印に沿って進む流れでは、中断時点で進行していた段階より次に進んだ段階（ステップアップ３→４）からリーチ発生前予告演出が再開される。また、アイテムゲット演出中に獲得したアイテムは、リーチ発生前予告演出の再開場面の調整に反映されるケースもある（第４実施形態）。例えば、リーチ発生前予告演出が図４５中（Ｄ）に示された３段階目の実行中に中断され、その後再開される際に、通常であれば中断された場面（３段階目）から再開されるところを、獲得したアイテムが存在する場合には、このアイテムを消費する代わりに段階を１段階進めて４段階目から再開させる、といった調整が行われる。この場合、中断されたタイミングで実行されていた３段階目はリーチ発生前予告演出の再開後にはスキップされて実行されず、次の４段階目から実行される。なお、特にアイテムゲット演出中にアイテムを獲得していなくても、第４実施形態では中断時の段階から１段階進めた次段階からリーチ発生前予告演出が再開されることとしてよい。
【０５０８】
〔リーチ発生前予告演出（４段階目）〕
図４６中（Ｊ）：第１，第２実施形態では、リーチ発生前予告演出の再開により実行された３段階目の態様に続き、４段階目の態様が実行される。この態様では、先に表示されていた絵柄画像に比べて表示サイズがさらに一回り拡大している。また、キャラクターの体勢は右向きから左向きに転じ、その表情も舌を出して微笑むいたずらな表情に変化している。
また、第２実施形態においては、アイテムゲット演出で獲得したアイテムを消費する機会が与えられることなくリーチ発生前予告演出が終了する流れで構成されており、直前まで表示されていた「ｅ」マークがこの段階では消えている。これにより、獲得アイテムが消費されることなく消失したことが分かる。なお、獲得したアイテムを消失させることが遊技の消極化に通じる場合、このような第２実施形態を敢えて採用しなくてもよい。
【０５０９】
図４６中（Ｑ）：これに対し、第３，第４実施形態においては、リーチ発生前予告演出の再開により実行された３段階目の態様に続き、４段階目の態様が実行されるが、このとき引き続き２つの「ｅ」マークが獲得アイテム表示エリアに表示されている。
図４６中（Ｒ）：引き継がれた２つの獲得アイテムのうち、１つが消費されて一方の「ｅ」マークが消えている。このアイテム消費と引き換えに、リーチ発生前予告演出の４段階目として直前の画面に表示されていた絵柄画像の手前側には「エネルギー  ＲＥＤ」と書かれたカードが表示されている。
【０５１０】
〔リーチ発生前予告演出（４段階目〜終了）〕
図４７中（Ｋ）：これまで段階的に変化を続けてきた絵柄画像が停止して変化が見られなくなり、更に絵柄画像の縁が枠取りされる。この表示は、リーチ発生前予告演出が４段階目の態様で確定したことを表しており、リーチ発生前予告演出がこの場面をもって終了し、リーチ発生の有無が明らかになるタイミングが近づいていることを遊技者に認識させることができる。なお、第１，第２実施形態においては、絵柄画像に白い枠が付加されている。
【０５１１】
図４７中（Ｓ）：これに対し、第３，第４実施形態においては、絵柄画像に赤い枠が付加されている。これは直前の画面（図４７中（Ｒ））で消費した「エネルギー  ＲＥＤ」と引き換えになされたものである。赤はチャンスアップカラーとして設定されているため、赤枠が付加されることにより、リーチ状態が発生する可能性が高いことが暗示され、遊技者に対してより高い期待感を抱かせることができる。
【０５１２】
リーチ発生前予告演出が終了すると、変動表示されてきた演出図柄が一つずつ停止され始める。以下に説明する変動図柄の停止に関する流れのうち、第１，第２実施形態に対応する図４７中（Ｌ）〜（Ｏ）と第３，第４実施形態に対応する図４７中（Ｔ）〜（Ｗ）とでは、いずれも画面構成がほぼ同一であり、図４７中（Ｔ）〜（Ｗ）には獲得アイテムが引き継がれて獲得アイテム表示エリアに「ｅ」マークが表示されている点のみが異なっている。
【０５１３】
〔左演出図柄の停止〕
図４７中（Ｌ），（Ｔ）：変動表示演出の中期にさしかかり、やがて左演出図柄の変動表示が停止される。なお、この時点で画面の左側位置に数字の「５」を表す演出図柄が停止している。
【０５１４】
〔リーチ状態の発生〕
図４７中（Ｍ），（Ｕ）：そして左演出図柄に続き、例えば右演出図柄の変動表示が停止される。この時点で、画面の右側位置に数字の「５」を表す演出図柄が停止していることから、「５」−「変動中」−「５」のリーチ状態が発生している。そして画面上には、リーチ状態となる１本のラインを強調する画像が合わせて表示される。また、合わせて「リーチ！」等の音声を出力する演出が行われる。さらに、この場合は数字の「５」が揃えば確率変動大当りの期待度が高くなる（確変確定ではない）ことから、単なる抽選の当否だけでなく、「確変期待度が高いか、単なるはずれか」という多様な緊張感を遊技者に抱かせることができる。
【０５１５】
リーチ状態の発生後、当選時のリーチ演出が実行される（ただし、この時点では未だ当選の結果は表出されていない。）。リーチ演出では、テンパイした数字（ここでは「５」）に対応する演出図柄だけが画面上に表示され、それ以外は表示されなくなる。なお、このとき演出図柄が画面の隅にそれぞれ縮小された状態で表示される場合もある。
【０５１６】
〔リーチ発生後予告演出（１回目）〕
図４７中（Ｎ），（Ｖ）：リーチ状態が発生して暫くすると、例えば「ハート」の図形を表す画像が群をなして画面上を斜めに過ぎっていくリーチ発生後予告演出（１回目）が行われる。この場合、突然、画面上に「ハート群」の画像が流れていくように表示されるため、これによって遊技者に対する視覚的な訴求力を高めることができる。このような視覚的に賑やかなリーチ予告発生後予告演出を実行することで、遊技者に対してさらに大きな期待感を抱かせる効果が得られる。
【０５１７】
〔スーパーリーチ演出の進行〕
図４７中（Ｏ），（Ｗ）：１回目のリーチ発生後予告演出に続いて、例えば数字の「２」〜「６」を表す画像が画面上で立体的な列を構成した状態で表示され、列の先頭（手前）から「２」、「３」、「４」・・・という順番に画面から数字の画像が消去されていく演出が行われる。このような演出もまた、数字の「５」が最後まで消去されずに残ると「大当り」であることを遊技者に示唆（暗示）したり、想起させたりする目的で行われる。また、数字の「４」まで消去されて「５」が画面手前に残ると「大当り」であるが、数字の「４」が消去されないまま踏ん張るか、もしくは数字の「４」が消去されても数字の「５」までも消去されてしまうと「はずれ」であることを意味する。なお、はずれの場合、数字の「４」が残るか、数字の「５」も消去された後の画面上に例えば数字の「６」が表示される。したがって、この間、数字の「２」、「３」、「４」と順番に画像が消去されていくに連れて、遊技者の緊張感や期待感も高まっていくことになる。そして、実際に画面上で数字の「３」まで消去され、数字の「４」が画面上に残った状態で演出が進行すると、「大当り」の可能性が高まるため、そこで遊技者の緊張感も一気に高まる。
【０５１８】
〔リーチ発生後予告演出（２回目）〕
図４７中（Ｓ）：スーパーリーチ演出が終盤に近付いたところで、突然、画面上にキャラクターの画像が大写しに割って入るようにして表示され、そのキャラクターが何らかの台詞を発するという内容（又は、無言で微笑むという内容でもよい）のリーチ発生後予告演出（２回目）が行われる。この時点で例えばリーチ演出の内容は、「数字の「５」が消去されずに残れば、そのまま「５」−「５」−「５」の大当りの可能性が高まる」という展開である。
【０５１９】
図４７中（Ｘ）：このとき、第３，第４実施形態においては、獲得アイテム表示エリアに表示されていた「ｅ」マークが消えてなくなり、これと引き換えに消費したアイテム（エネルギー）によって画面全体に赤いしゃぼん玉が浮遊したような装飾表示が併せてなされる。したがって、このタイミングで大きくキャラクターの画像を出現させ、第３，第４実施形態では更に画面全体にチャンスアップカラーによる装飾を施すことにより、遊技者に対して「大当りになるかもしれない」という期待感を抱かせることができる。なお、ここでは「赤いしゃぼん玉」としているが、例えば「赤い色調のカットイン画像」や「赤く画面を縁取りするエフェクト画像」等を表示してもよい。
【０５２０】
図４７中（Ｙ）：そして、最後の中演出図柄が停止する。この例では、確変確定を知らせる演出図柄を数字の「３」又は「７」だけとすると、内部的には当選図柄が「１２ラウンド確変図柄２」に該当しているが、当選図柄の種類を非開示としつつ、演出上で例えば「５」を表す演出図柄を画面の中央に停止表示させることにより、今回は「通常大当り又は確変大当りのどちらか」に該当したことを遊技者に教示する演出が行われている。
【０５２１】
〔停止表示演出〕
図４７中（Ｚ）：そして、例えば第１特別図柄の停止表示に略同期して、演出図柄としての停止表示演出が行われる。演出図柄の停止表示演出は、例えば左・中・右演出図柄をそれぞれ初期の大きさに復元した状態で行われる。このような停止表示演出を行うことで、最終的な当選種類が演出上で確定したことを遊技者に対して教示することができる。逆に言えば、演出上で不明確な停止表示演出を行うことにより、「確変大当りであるか、それとも通常（非確変）大当りであるか」を遊技者に対して非開示としておくことができる。
【０５２２】
なお、内部抽選の結果が非当選であれば、今回の変動対象である第１特別図柄がはずれ図柄で停止表示されるため、演出図柄も同様にはずれの態様で停止表示演出が行われる。この場合、画面の中央には「５」以外の数字「４」や「６」を表示することで、残念ながら今回の変動では大当りにならなかったことを知らせる演出が行われる。なお、このような演出は「はずれリーチ演出」として実行されるものである。
【０５２３】
以上は演出図柄を用いた変動表示演出及び停止表示演出の例と、変動表示演出の中で実行される変動中予告演出及び追加予告演出の例を概略的に説明したものであるが、以下に、より詳細な例を挙げて各演出を説明する。
【０５２４】
〔ストーリーバトルリーチ演出〕
図４８〜図５９は、特別図柄の変動表示中に実行されるストーリーバトルリーチ演出の演出例を部分的に示す連続図である。
ここで、「ストーリーバトルリーチ演出（特定リーチ演出）」とは、ストーリーバトルリーチに対応した変動パターンが選択された際に実行されるリーチ演出であり、味方キャラクターと敵キャラクターとが対戦し、味方キャラクターが勝利すれば大当りとなり、敗北すればはずれとなる。また、この「ストーリーバトルリーチ演出」は、時間短縮状態にて実行される「バトルリーチ演出」よりも長い時間にわたって実行される物語仕立てのリーチ演出となっている。以下、ストーリーバトルリーチ演出の流れについて説明する。なお、図４８〜図５９においてはマーカＭ１，Ｍ２の図示を省略するが、実際にはこれらがメイン液晶表示器４２の下部に表示される。
【０５２５】
〔変動表示演出〕
図４８中（Ａ）：第１特別図柄の変動開始に略同期して、メイン液晶表示器４２の画面上で左演出図柄、中演出図柄、右演出図柄の列が縦方向にスクロールするようにして変動表示演出が開始される。また、演出図柄の変動表示中、メイン液晶表示器４２の画面右上では第４図柄Ｚ１が変動表示されており、第４図柄Ｚ１は、その表示色を変化させることで変動表示を表現している。背景画像は、女性キャラクターが長椅子に腰掛けている「通常モード」の背景画像となっている。
また、演出図柄の変動表示中、メイン液晶表示器４２の画面右上では第４図柄Ｚ１が変動表示されており、第４図柄Ｚ１は、その表示色を変化させることで変動表示を表現している。
【０５２６】
〔段階進行予告演出（１段階目）〕
図４８中（Ｂ）：次に、変動表示演出の実行中において、お化けのキャラクターの絵柄画像（参照符号ＳＵ１）を用いた１段階目の段階進行予告演出（リーチ発生前予告演出）が行われる。この段階進行予告演出は、予め定められた順序にしたがって１段階から複数段階（例えば２〜５段階）まで、段階的に態様の変化が進行していく予告演出である。この実施形態において、段階進行予告演出で用いられる絵柄画像は、液晶画面の中央位置に突然出現した後、絵柄画像のサイズが段階的に拡大していく態様により表示される。図示の例では、１段階目の段階進行予告演出が実行されており、キャラクターの後頭部が描かれた小さな絵柄画像ＳＵ１が画面中央に表示されている。
なお、ここでいう「段階進行予告演出」は、演出の進行具合に応じて、演出図柄が当選の態様で停止表示される可能性があることを示唆する内容の予告演出である。
【０５２７】
〔段階進行予告演出（２段階目）〕
図４８中（Ｃ）：１段階目の段階進行予告演出に続けて、２段階目の段階進行予告演出が実行される。図示の例では、先の段階で表示されていた絵柄画像ＳＵ１よりも一回りサイズの大きい絵柄画像ＳＵ２が、その手前側に被さるようにして画面の中央位置に出現している。絵柄画像ＳＵ２には、絵柄画像ＳＵ１に描かれていた状態から９０°回転して右を向いたキャラクターの顔半分程度が描かれている。
【０５２８】
なお、段階進行予告演出においては、１段階目の絵柄画像ＳＵ１から２段階目の絵柄画像ＳＵ２への変化に示されるように、その表示サイズが概ね一回りずつ拡大していくが、段階進行予告演出の各段階を実行する最中においても絵柄画像は小さな変化を見せ続け、あたかも絵柄画像が連続的に進化しているように表現される。例えば、２段階目の絵柄画像ＳＵ２は、まず１段階目の絵柄画像ＳＵ１よりも一回り大きいサイズで表示されると、その絵柄画像ＳＵ２が固定されずに、サイズや色合い、透明度等がじわじわと微妙に変化し続ける。その上で、これよりも一回り拡大したサイズの絵柄画像ＳＵ３が表示されて予告演出が次の３段階目に突入することとなる。
【０５２９】
〔段階進行予告演出（３段階目）〕
図４９中（Ｄ）：２段階目の段階進行予告演出に続けて、３段階目の段階進行予告演出が実行される。図示の例では、先の段階で表示されていた絵柄画像ＳＵ２よりも一回りサイズの大きい絵柄画像ＳＵ３が、その手前側に被さるようにして画面の中央位置に出現している。絵柄画像ＳＵ３には、絵柄画像ＳＵ２に描かれていた状態からさらに９０°回転して正面を向いたキャラクターの全体像が描かれている。
【０５３０】
〔段階進行予告演出の中断（追加予告演出の開始）〕
図４９中（Ｅ１）：段階進行予告演出の進行が途中で停止し、画面の最も手前側に「アタックチャンス！！」という大きなタイトル文字が割り込むようにして表示されている。この文字は、新たな予告演出（以下、「追加予告演出」と称する）がこれから開始されることを遊技者に知らせている。また、追加予告演出の奥側に隠れるようにして、先の画面で画面中央に表示されていた段階進行予告演出における３段階目の絵柄画像ＳＵ３が、動きが停止してあたかも固まっているかのように表示されている（予告演出中断手段）。
【０５３１】
追加予告演出は、これまで段階を踏んで３段階目まで実行されてきた段階進行予告演出に割り込む形で実行される。追加予告演出の開始から終了までの間は、段階進行予告演出が中断される。そして、中断されたタイミングで表示されていた段階の絵柄画像（図示の例では、第３段階の絵柄画像ＳＵ３）は、追加予告演出が終わるまでの間、絵柄の内容や表示サイズが全く変化することなく、同一の画像が灰色に染色された背景部分の奥側（背面側）に隠れるようにしてうっすらと視認されにくい状態となり、あたかも絵柄画像が固まっているかのような態様で表示され続ける（以下、この表示態様を「中断態様」と称する）。段階進行予告演出を構成する絵柄画像がこのような態様で表示されることにより、段階進行予告演出の進行が停止されていること、そして新たに開始された追加予告演出の終了後にその続きが恐らく実行されるであろうことを遊技者に推測させることができる。
【０５３２】
なお、画面右下に表示されている第４図柄Ｚ１，Ｚ２は、絵柄画像が中断態様で表示されている間もその動きが中断されることはなく、引き続き演出図柄の変動状態に連動した表示がなされる。これにより、遊技者に対して特別図柄が変動表示中であることを確実に知らせることができる。
【０５３３】
追加予告演出は、その過程で画面に表示される指示に従って遊技者に所定の操作を行う機会を与えてボーナスアイテムを獲得させるものであってもよい。追加予告演出の過程で獲得したアイテムを中断が解除された後の段階進行予告演出の場面で利用することができれば、比較的期待度の高い内容のリーチ演出に発展するのではないか、との期待感をより高めることができる。
【０５３４】
図４９中（Ｅ２）：先の画面で大きく表示されていた「アタックチャンス！！」とのタイトル文字は画面上部のバナーに移動している。画面中央には、演出切替ボタン４５を模した大きな操作ボタン画像が表示されており、操作ボタンの表面には「ＰＵＳＨ」との文字が記されている。この操作ボタンはカウントダウン機能を有しており、遊技者によるボタン操作を許容する時間をカウントすることができる。カウントダウンの開始時にはカウントを示すランプが全て点灯しているが、時間が経過するにつれてランプが徐々に消灯してゆき、カウントダウンが終了すると全てのランプが消灯する。
【０５３５】
また、操作ボタン画像の下には横長の掲示枠が設けられており、掲示枠内には遊技者に対するお知らせや指示等が随時表示される。この場面では、「ボタンを押してね」との文字が記されている。操作ボタン画像や掲示枠を用いたこのような画面表示により、遊技者に対し演出切替ボタン４５の押し込み操作を促している（１回目の操作チャンス）。
【０５３６】
図５０中（Ｅ３）：先の画面で表示されていた操作ボタン画像に代わり、画面中央には１本の缶ドリンクの画像が表示されており、掲示板には「エネルギーＧＥＴ！」との文字が記されている。このような表示により、演出切替ボタン４５の押し込み操作により「エネルギー」という１つのボーナスアイテムを獲得したことを遊技者に知らせている。
【０５３７】
図５０中（Ｅ４）：先の画面で表示されていた缶ドリンクの画像が消え、画面中央には再び操作ボタン画像とその操作を促す文字が表示されている（２回目の操作チャンス）。これに加えて、この画面にはアルファベットの「ｅ」の文字を模した形状からなるマーカＧＴが画面下部の獲得アイテム表示エリアに出現している。この画面に示されたマーカＧＴは、先の画面に表示された缶ドリンクに描かれていた「ｅ」のロゴと同形状の文字で形成されており、先の画面で獲得した「エネルギー」を表している。マーカＧＴは、追加予告演出の過程で獲得した個々のアイテムを示し、獲得したアイテムに応じて異なる形状のマークが、獲得した個数分だけ獲得アイテム表示エリアに表示される。
【０５３８】
図５０中（Ｅ５）：先の画面で表示されていた操作ボタン画像に代わり、画面中央には「大チャンス」との文字が大きく表示されるとともに、画面全体にキラキラと輝いたような装飾がなされている。この表示は、遊技者によりなされた２回目のボタン押し込み操作により「大チャンス」を引き立てたことを示しており、新たなアイテムを獲得する可能性が高いように見せて遊技者の期待感を高めている。
【０５３９】
図５１中（Ｅ６）：画面中央には再び操作ボタン画像が表示されている（３回目の操作チャンス）。先の画面で引き当てた「大チャンス」を受けて、ここでは操作ボタンの表面に「大チャンス」との文字が付されている。なお、「大チャンス」は、追加予告演出中に遊技者の期待感を高めるためになされる表示効果の一種であって消費可能な獲得アイテムではないため、獲得アイテム表示エリアには表示されずマーカＧＴの数は変化しない。
【０５４０】
図５１中（Ｅ７）：先の画面で表示されていた操作ボタン画像に代わり、画面中央には大きく燃え上がる炎の手前側に「激アツ」とのロゴ文字が表されている。この表示は、遊技者によりなされた３回目のボタン押し込み操作により「大チャンス」を引き立てたことを示しており、図５０中（Ｅ５）に示された「大チャンス」表示の時点よりも更にアイテム獲得（又は演出上の意義が高いアイテム獲得）への期待度が高まっていると感じさせる効果を生み出す。
【０５４１】
図５１中（Ｅ８）：画面中央には、直前の画面で引いた「激アツ」を受けこの文字が付された操作ボタン画像が表示されている（４回目の操作チャンス）。激アツ（比較的期待度が高いリーチが発生する可能性大）の状態が持続していることを示しつつ更なるボタン操作を促すことにより、次にどのようなアイテムが獲得できるのか、或いは画面表示がこの後どのように変化するのかという期待感を抱かせることができる。なお、「激アツ」についても、先の「大チャンス」と同様に消費し得る獲得アイテムではないため、獲得アイテム表示エリアには表示されずマーカＧＴの数は依然として１つに留まる。
【０５４２】
図５２中（Ｅ９）：画面中央に先の画面で表示されていた操作ボタン画像に代わって１本の缶ドリンクの画像が表示されるとともに、掲示枠内には「エネルギーＧＥＴ！」との文字が記されている。図５０中（Ｅ３）に示された画面と同様に再びエネルギーを獲得したことを示している。
【０５４３】
図５２中（Ｅ１０）：先の画面で画面中央に表示されていた缶ドリンクの画像が消え、これと引き換えに画面下部の獲得アイテム表示エリアにはマーカＧＴが１つ追加されて合計２個表示されている。また、画面中央には、追加予告演出の背景の奥側に隠れるようにして、中断態様で表示された段階進行予告演出の３段階目の絵柄画像ＳＵ３がうっすらと見えているが、その手前側には新たな表示がなされない。このような表示により、場面に変化が生じつつあること、追加予告演出（アイテムゲット演出）がこれをもって終了することを遊技者に予感させることができる。
【０５４４】
このように、遊技者のボタン操作によりアイテムの獲得を試みる機会が与えられるアイテムゲット演出においては、ボタンを操作する一定の回数が予め設定されており（上述の例では４回）、所定時間内にその回数分の操作を許容し受け付ける。なお、所定時間内に遊技者による操作がなされないか、もしくは操作回数が一定数に満たない場合、不足した回数については遊技者が操作したものとみなして内部処理し、自動的に何らかのアイテムを取得したものとみなしてもよい。
【０５４５】
〔段階進行予告演出の再開（追加予告演出の終了）〕
図５２中（Ｆ）：図４９中（Ｅ１）から図５２中（Ｅ１０）に至るまでの間、中断態様で表示されていた段階進行予告演出の３段階目の絵柄画像ＳＵ３が、中断前の状態、すなわち図４９中（Ｄ）に示される態様の表示に戻り、再びじわじわとした小さな変化を開始する（中断解除手段）。このような表示により、これまで実行されていた追加予告演出が先の画面で終了し、その間中断されていた段階進行予告演出が再開された（中断が解除された）ことを遊技者に知らしめることができる。図示の例（上述した第２，３実施形態に該当）では、段階進行予告演出の３段階目から再開されているため、画面中央には絵柄画像ＳＵ３が表示されている。
【０５４６】
このとき、獲得アイテム表示エリアには先の画面から引き続き２個のマーカが表示されており、追加予告演出の過程で獲得したアイテムが再開後の段階進行予告演出に引き継がれたこと、ひいては、獲得アイテムを今後いずれかの場面で消費できる機会が得られるであろうことが分かる。
【０５４７】
〔段階進行予告演出（４段階目）〕
図５３中（Ｇ）：３段階目の段階進行予告演出に続けて、４段階目の段階進行予告演出が実行される。図示の例では、先の段階で表示されていた絵柄画像ＳＵ３よりも一回りサイズの大きい絵柄画像ＳＵ４が、その手前側に被さるようにして画面の中央位置に表示されている。絵柄画像ＳＵ３では右向きの全体像が示されていたお化けのキャラクターが絵柄画像ＳＵ４では左向きとなり表情も舌を出して変化しており、キャラクターに対して段階的に動きがつけられているのが分かる。
【０５４８】
図５３中（Ｈ）：獲得アイテム表示エリアに表示されていた２つのマーカＧＴのうち１つが消え、これと引き換えに画面中央にアイテムカードが表示される。アイテムカードには、これから消費されるアイテムの内容及びそのアイテムを模した画像が表示されている。ここでは、缶ドリンクの画像とともに「エネルギー  ＴＹＰＥ：ＲＥＤ」との表記がなされており、１つの獲得アイテムがＲＥＤ型のエネルギーとして消費されつつあることが示されている。
【０５４９】
図５３中（Ｉ）：先の画面に表示されていたアイテムカードが消え、画面中央に表示されている絵柄画像ＳＵ４に枠が付加されている。この枠が赤色で染色されており、消費したＲＥＤ型のエネルギーがここに反映されたことが示されている（連動演出実行手段）。またこの段階に進むと、絵柄画像ＳＵ４が微妙な変化を見せなくなりその動きが完全に停止する。こうした表示により、段階進行予告演出がこの段階（４段階目）で終了（ステップアップ４が確定）しつつあることを遊技者に認識させることができる。
【０５５０】
〔演出図柄の停止〕
図５４中（Ｊ）：４段階目を経て段階進行予告演出が終了し、画面の中央位置に表示されていた絵柄画像ＳＵ４が消えてなくなっている。また、画面を左、中、右の３列で縦方向にスクロールするようにして表示されていた演出図柄のうち、左側の列が停止して、画面の中断位置に数字の「１」を表す左演出図柄が停止表示されている。
【０５５１】
〔リーチ状態の発生〕
図５４中（Ｋ）：左演出図柄に続いて、その後に右演出図柄が停止表示される。この時点では、画面の右位置に数字の「１」を表す右演出図柄が停止表示されている。右演出図柄が停止表示されることにより、画面上に横一線状（１本のライン上）に数字の「１」−「変動中」−「１」のリーチ状態が発生している。そして画面上には、リーチ状態となる１本のラインを強調する画像が合わせて表示される。
【０５５２】
〔リーチ発生後予告演出〕
図５４中（Ｌ）：リーチ状態が発生して暫くすると、動物のキャラクター（例えば白熊）を表す画像が群をなして画面上を右から左に通過していくリーチ発生後予告演出（群予告演出）が行われる。この群予告演出は、先に説明したハートの画像を用いた群予告演出よりも、大当りに対する期待度が高い演出である。
【０５５３】
〔ストーリーバトルリーチ演出の開始〕
図５５中（Ｍ１）：リーチ発生後予告演出に続いてリーチ演出が進行する。すなわち、リーチ発生後予告演出が実行された後もリーチ状態は継続しており、これ以降はストーリーバトルリーチ演出に発展していく。図示の例では、女性キャラクターが車に乗って登場する発展演出が実行されている。なお、画面の左上隅位置では、演出図柄を縮小した状態で変動表示演出が実行されている（「１」−「変動中」−「１」）。
【０５５４】
図５５中（Ｍ２）：そして、車が停止する演出が実行され、その車の中から女性キャラクターが登場し、「私が相手よ！！」という台詞を発する演出が実行される。
【０５５５】
図５５中（Ｍ３）：これに続けて画面の左側に敵キャラクターとしての「かぼちゃのお化け」の画像が出現し、画面の右側に味方キャラクターとしての「女性キャラクター」の画像が出現し、画面の中央に「ＶＳ」の文字の画像が出現する演出が行われる。これにより、遊技者に対してこれからストーリーバトルリーチ演出が始まるということを教示することができる。
【０５５６】
図５６中（Ｍ４）：例えば「かぼちゃのお化け」が両腕を上方に持ち上げて女性キャラクターを追いかける演出が実行される。そして、女性キャラクターが驚いて逃げ出し、画面の右側へ消え去っていく演出が実行される。
【０５５７】
〔チャンスアップ演出〕
ストーリーバトルリーチ演出の最中には、チャンスアップ演出が実行される場合がある。チャンスアップ演出は、大当りの期待度を向上させる演出である。具体的には、仙人のキャラクターが画面左下に登場する演出が実行される。
【０５５８】
〔獲得アイテムの消費〕
図５６中（Ｍ５）：獲得アイテム表示エリアに表示されていたマーカＧＴが消え、画面の中央位置には缶ドリンクの画像とともに「エネルギー  ＴＹＰＥ：ＦＩＲＥ」と記されたアイテムカードが表示される。この表示により、ＦＩＲＥ型のエネルギーが消費されつつあることを遊技者に知らしめることができる。
【０５５９】
図５６中（Ｍ６）：今度は女性キャラクターが必殺の構えを実行し、女性キャラクターの体から炎（オーラ）が出現する演出が行われている。ここに表された炎（オーラ）は、ＦＩＲＥ型のエネルギーが転じてなされたものであり、これに続く演出に備えて強力なパワーが注入されたことを表している（連動演出実行手段）。
【０５６０】
〔チャンスアップ演出の継続〕
ここでは、チャンスアップ演出が継続して実行されている。具体的には、仙人のキャラクターが「この変動はチャンスじゃ！」という台詞を発する演出が実行されている。
【０５６１】
図５７中（Ｍ７）：リーチ演出の続きに移行する。すなわち、ここでは「かぼちゃのお化け」が無数のパンチを繰り出し、「女性キャラクター」がチョップで応戦する演出が行われている。また、このとき闘っている２人の間に変動中である中演出図柄を表示し、数字の「１」と「２」を表す中演出図柄が入れ替わりつつ表示される態様であってもよい。この状態で「女性キャラクター」が勝利すれば数字の「１」を表す中演出図柄が停止して当りとなる展開である。したがって、この局面はストーリーバトルリーチ演出の最終段階であり、遊技としても最も盛り上がる部分である。そのため、適宜カットイン予告や別の「女性キャラクター」が助けに入る助っ人登場予告等をこの場面で同時に行ってもよい。また、ここまでに最終段階の手前で「シェイク演出（画面を立体的に揺らすようにして視覚的効果を得る演出）」を発生させることにより、今回のバトルリーチ演出の成り行きに対する興味を強く惹きつけることもできる。
【０５６２】
〔当選時演出〕
図５７中（Ｍ８）：「勝利！！」の文字とともに、「女性キャラクター」が大きく表示され、「提灯お化け」が小さく表示されると、当り（当選）であることを意味している。画面の左上隅位置では、演出図柄を縮小した状態で停止表示演出が実行されている（「１」−「１」−「１」）。ただし、三つ揃いしたすべての演出図柄は、左右に揺れて表示されており、演出図柄の変動は完全には停止していない。このとき、第１特別図柄は変動中の状態であり、第４図柄Ｚ１も変動表示されている。
【０５６３】
なお、非当選時（はずれ時）は、「敗北・・」の文字とともに、「提灯お化け」が大きく表示され、「女性キャラクター」が小さく表示され、画面の左上隅位置では、演出図柄を縮小した状態で停止表示演出が実行される（例えば「１」−「２」−「１」）。
【０５６４】
図５７中（Ｎ）：そして、「女性キャラクター」が一方の腕を上方に突き上げ、「一丁あがり！！」という台詞を発する演出が実行される。これにより、遊技者に対して「かぼちゃのお化けに勝利した」という余韻を感じさせることができ、遊技者の満足感を向上させることができる。なお、この時点でも、三つ揃いしたすべての演出図柄は、左右に揺れて表示されており、演出図柄の変動は完全には停止していない。このとき、第１特別図柄は変動中の状態であり、第４図柄Ｚ１も変動表示されている。
【０５６５】
図５８中（Ｏ）：画面上では、女性キャラクターが乗ってきた車に再度乗り込む演出が実行される。ここでも、演出図柄の変動は完全には停止しておらず、第１特別図柄は変動中の状態であり、第４図柄Ｚ１も変動表示されている。
【０５６６】
図５８中（Ｐ）：図示の例では、女性キャラクターが車に乗り込み、その車が勢いよく発車して画面の左側に消え去っていく演出が実行される。この際、車の後方から煙が出現し、その煙の中に「再抽選」の文字が表示されている。これにより、遊技者に対してこれから再抽選演出が実行されるということを伝達することができる。ここでも、演出図柄の変動は完全には停止しておらず、第１特別図柄は変動中の状態であり、第４図柄Ｚ１も変動表示されている。
【０５６７】
〔再抽選演出〕
図５８中（Ｑ）：演出図柄が三つ揃いした場合、そこで大当りということは確定しているが、大当りの種類を最終的に伝達する再抽選演出が実行される。図示の例では、画面に上部に「再抽選」の文字情報が表示されている。これにより、遊技者に対しては、これから再抽選演出が開始され、「１の演出図柄」から「７の演出図柄」に変化するかもしれないといった期待感を与えることができる。
【０５６８】
図５９中（Ｒ）：三つ揃いした演出図柄が徐々に小さく表示されるとともに、三つ揃いした演出図柄が回転しながら画面上奥側に吸い込まれていく演出が実行される。
【０５６９】
図５９中（Ｓ）：そして、３つの演出図柄がほとんど視認できなくなるほど小さくなり、その時点で、表示画面の下部に演出切替ボタン４５の画像が表示され、演出切替ボタン４５の押下を遊技者に対して促す演出が行われる。
【０５７０】
〔再抽選失敗演出〕
図５９中（Ｔ）：再抽選演出に失敗する場合、すなわち、１４ラウンド大当りに該当している場合には、再抽選失敗演出が実行される。この場合、演出切替ボタン４５の押下を契機として演出図柄が奥側から手前側に飛び出してくる演出が実行され、３つの演出図柄のすべてを表示しきれない程に演出図柄が拡大して表示されるが、この場合は演出図柄の数字は変更されない（「１」のまま）。
【０５７１】
図５９中（Ｕ）：第１特別図柄の停止表示に略同期して、演出図柄についても停止表示演出が行われる。演出図柄の停止表示演出は、揺れを伴わないで演出図柄を完全に停止させた状態で行われる。また、第４図柄Ｚ１については、実際に１４ラウンド大当りに対応する態様（例えば青表示色等）で停止表示される。そして、この後は１４ラウンド大当りに対応したチャレンジボーナス演出が実行される。
【０５７２】
〔再抽選成功演出〕
図５９中（Ｖ）：一方、再抽選演出に成功する場合、すなわち、１６ラウンド大当りに該当している場合には、再抽選成功演出が実行される。この場合、演出切替ボタン４５の押下を契機として可動体４０ｆが落下する演出が実行される。
【０５７３】
図５９中（Ｗ）：そして、第１特別図柄の停止表示に略同期して、演出図柄についても停止表示演出が行われる（「７」−「７」−「７」）。演出図柄の停止表示演出は、揺れを伴わないで演出図柄を完全に停止させた状態で行われる。また、第４図柄Ｚ１については、実際に１６ラウンド大当りに対応する態様（例えば赤表示色等）で停止表示される。そして、この後は１６ラウンド大当りに対応したスペシャルボーナス演出が実行される。
【０５７４】
次に、以上の演出を具体的に実現するための制御手法の例について説明する。上述した変動表示演出やアイテムゲット演出、リーチ演出、リーチ発生前予告演出、獲得アイテムを予告演出やリーチ演出と連動させる演出等は、いずれも以下の制御処理を通じて制御されている。
【０５７５】
〔演出制御処理〕
図６０は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば数十μｓ〜数ｍｓ周期）でタイマ割込を発生させ、タイマ割込処理を実行する。
【０５７６】
演出制御処理は、コマンド受信処理（ステップＳ４００）、作動記憶演出管理処理（ステップＳ４０１）、演出図柄管理処理（ステップＳ４０３）、表示出力処理（ステップＳ４０４）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０５７７】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば特図先判定演出コマンド、（特別図柄）作動記憶数増加時演出コマンド、（特別図柄）作動記憶数減少時演出コマンド、始動口入賞音制御コマンド、デモ演出用コマンド、抽選結果コマンド、変動パターンコマンド、変動開始コマンド、停止図柄コマンド、図柄停止時コマンド、状態指定コマンド、ラウンド数コマンド、エラー通知コマンド、大当り終了演出コマンド、回数切りカウンタ値コマンド、変動パターン先判定コマンド、停止表示時間終了コマンド、確変領域通過コマンド、賞球内容コマンド等がある。
【０５７８】
ステップＳ４０１：作動記憶演出管理処理では、演出制御ＣＰＵ１２６は記憶画像表示演出や、マーカＭ１，Ｍ２を用いた先読み予告演出の実行を制御する（記憶画像表示演出実行手段）。なお、作動記憶演出管理処理の内容については、別の図面を参照しながらさらに後述する。
【０５７９】
ステップＳ４０３：演出図柄管理処理では、演出制御ＣＰＵ１２６は演出図柄を用いた変動表示演出や停止表示演出の内容を制御したり、第１可変入賞装置３０又は第２可変入賞装置３１の開閉動作時の演出内容を制御したりする（演出実行手段）。また、この処理において、演出制御ＣＰＵ１２６は各種予告演出（リーチ発生前予告演出、リーチ発生後予告演出等）の演出パターンを選択する。なお、演出図柄管理処理の内容については、別の図面を参照しながらさらに後述する。
【０５８０】
ステップＳ４０４：表示出力処理では、演出制御ＣＰＵ１２６は演出表示制御装置１４４（表示制御ＣＰＵ１４６）に対して演出内容の基本的な制御情報（例えば、第１特別図柄及び第２特別図柄それぞれの作動記憶数、作動記憶演出パターン番号、先読み予告演出パターン番号、変動演出パターン番号、変動時予告演出番号、背景パターン番号等）を指示する。これにより、演出表示制御装置１４４（表示制御ＣＰＵ１４６及びＶＤＰ１５２）は指示された演出内容に基づいてメイン液晶表示器４２による表示動作を制御する（演出実行手段）。
【０５８１】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６〜５２や盤面ランプ５３等を駆動（点灯又は消灯、点滅、輝度階調変化等）する。
【０５８２】
ステップＳ４０８：次の音響駆動処理では、演出制御ＣＰＵ１２６は音響駆動回路１３４に対して演出内容（例えば変動表示演出中やリーチ演出中、モード移行演出中、大当り演出中のＢＧＭ、音声データ等）を指示する。これにより、スピーカ５４，５５，５６から演出内容に応じた音が出力される。
【０５８３】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数や通常の背景チェンジ抽選（演出抽選）に用いられる乱数等がある。
【０５８４】
ステップＳ４１２：その他の処理では、例えば演出制御ＣＰＵ１２６は可動体４０ｆの駆動用ＩＣに対して制御信号を出力する。可動体４０ｆは可動体モータ５７を駆動源として動作し、メイン液晶表示器４２による画像の表示と同期して、又は単独で演出を行う。
【０５８５】
以上の演出制御処理を通じて、演出制御ＣＰＵ１２６はパチンコ機１における演出内容を統括的に制御し、また節電モードへの移行を制御することができる。
【０５８６】
〔演出図柄管理処理〕
図６１は、演出図柄管理処理の手順例を示すフローチャートである。演出図柄管理処理は、実行選択処理（ステップＳ５００）、演出図柄変動前処理（ステップＳ５０２）、演出図柄変動中処理（ステップＳ５０４）、演出図柄停止表示中処理（ステップＳ５０６）及び可変入賞装置作動時処理（ステップＳ５０８）のサブルーチン群を含む構成である。以下、各処理に沿って演出図柄管理処理の基本的な流れを説明する。
【０５８７】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また、戻り先のアドレスとして演出図柄管理処理の末尾を「ジャンプテーブル」にセットする。いずれの処理を次のジャンプ先として選択するかは、これまでに行われた処理の進行状況によって異なる。例えば、未だ変動表示演出を開始していない状況であれば、演出制御ＣＰＵ１２６は次のジャンプ先として演出図柄変動前処理（ステップＳ５０２）を選択する。一方、既に演出図柄変動前処理が完了していれば、演出制御ＣＰＵ１２６は次のジャンプ先として演出図柄変動中処理（ステップＳ５０４）を選択し、演出図柄変動中処理まで完了していれば、次のジャンプ先として演出図柄停止表示中処理（ステップＳ５０６）を選択する。また、可変入賞装置作動時処理（ステップＳ５０８）は、主制御ＣＰＵ７２において大当り時可変入賞装置管理処理（図１４中のステップＳ５０００）が選択された場合や小当り時可変入賞装置管理処理（図１４中のステップＳ６０００）が選択された場合にジャンプ先として選択される。この場合、ステップＳ５０２〜ステップＳ５０６は実行されない。
【０５８８】
ステップＳ５０２：演出図柄変動前処理では、演出制御ＣＰＵ１２６は演出図柄を用いた変動表示演出を開始するための条件を整える作業を行う。また、この処理において、演出制御ＣＰＵ１２６は各種の条件（抽選結果、当選種類、変動パターン等）に応じてリーチ演出の内容を選択したり、予告演出についての演出パターン（先読み予告演出パターン以外のリーチ発生前予告パターン、リーチ発生後予告パターン等）を選択したりする。その他にも演出制御ＣＰＵ１２６は、パチンコ機１がいわゆる客待ち状態である場合のデモ演出の制御も行う。なお、具体的な処理の内容は、別のフローチャートを用いて後述する。
【０５８９】
ステップＳ５０４：演出図柄変動中処理では、演出制御ＣＰＵ１２６は必要に応じて演出表示制御装置１４４（表示制御ＣＰＵ１４６）に指示する制御情報を生成する。例えば、演出図柄を用いた変動表示演出を実行中に演出切替ボタン４５を用いた演出（予告演出、お宝チャレンジ演出、バトル演出等）を行う場合、遊技者による演出ボタンの操作の有無を演出制御ＣＰＵ１２６が監視するとともに、その結果に応じた演出内容（ボタン演出）の制御情報を表示制御ＣＰＵ１４６に対して指示する。なお、具体的な処理の内容は、別のフローチャートを用いて後述する。
【０５９０】
ステップＳ５０６：演出図柄停止表示中処理では、演出制御ＣＰＵ１２６は内部抽選の結果に応じた態様で演出図柄や動画像を用いた停止表示演出の内容を制御する。すなわち、演出制御ＣＰＵ１２６は演出表示制御装置１４４（表示制御ＣＰＵ１４６）に対して変動表示演出の終了と停止表示演出の実行を指示する。これを受けて演出表示制御装置１４４（表示制御ＣＰＵ１４６）は、実際にメイン液晶表示器４２の表示画面内でそれまで実行していた変動表示演出を終了させ、停止表示演出を実行する。これにより、特別図柄の停止表示に略同期して停止表示演出が実行され、遊技者に対して内部抽選の結果を演出的に教示（開示、告知、報知等）することができる（図柄演出実行手段）。なお、小当り時には、はずれと同様か近似した態様で停止表示演出を実行することができる。
【０５９１】
ステップＳ５０８：可変入賞装置作動時処理では、演出制御ＣＰＵ１２６は小当り中又は大当り中の演出内容を制御する（特別遊技演出実行手段）。この処理において、演出制御ＣＰＵ１２６は各種の条件（例えば当選種類）に応じて大役中演出の内容を選択する。例えば１６ラウンド大当りの場合、演出制御ＣＰＵ１２６はメイン液晶表示器４２に表示する演出内容として、１６ラウンドの大役中演出パターンを選択し、これを演出表示制御装置１４４（表示制御ＣＰＵ１４６）に対して指示する。これにより、メイン液晶表示器４２の表示画面では大役中演出の画像が表示されるとともに、ラウンドの進行に伴って演出内容が変化していくことになる。
【０５９２】
〔演出図柄変動前処理〕
図６２は、演出図柄変動前処理の手順例を示すフローチャートである。以下、手順例に沿って説明する。
【０５９３】
ステップＳ６００：演出制御ＣＰＵ１２６は、主制御ＣＰＵ７２からデモ演出用コマンドを受信したか否かを確認する。具体的には、演出制御ＣＰＵ１２６はＲＡＭ１３０のコマンドバッファ領域にアクセスし、デモ演出用コマンドが保存されているか否かを確認する。その結果、デモ演出用コマンドが保存されていることを確認した場合（Ｙｅｓ）、演出制御ＣＰＵ１２６はステップＳ６０２を実行する。
【０５９４】
ステップＳ６０２：演出制御ＣＰＵ１２６は、デモ選択処理を実行する。この処理では、演出制御ＣＰＵ１２６は上記のデモ演出用の画面（デモ画面）を表示したり、節電モードに移行させる処理を実行したりする。
【０５９５】
以上の手順を終えると、演出制御ＣＰＵ１２６は演出図柄管理処理の末尾のアドレスに復帰する。そして演出制御ＣＰＵ１２６はそのまま演出制御処理に復帰し、続く表示出力処理（図６０中のステップＳ４０４）、ランプ駆動処理（図６０中のステップＳ４０６）においてデモ演出の内容を制御したり、節電モード中の動作を制御したりする。
【０５９６】
一方、ステップＳ６００においてデモ演出用コマンドが保存されていないことを確認すると（Ｎｏ）、演出制御ＣＰＵ１２６は次にステップＳ６０４を実行する。
【０５９７】
ステップＳ６０４：演出制御ＣＰＵ１２６は、今回の変動がはずれ（非当選）であるか否かを確認する。具体的には、演出制御ＣＰＵ１２６はＲＡＭ１３０のコマンドバッファ領域にアクセスし、非当選時の抽選結果コマンドが保存されているか否かを確認する。その結果、非当選時の抽選結果コマンドが保存されていることを確認した場合（Ｙｅｓ）、演出制御ＣＰＵ１２６はステップＳ６１２を実行する。逆に、非当選時の抽選結果コマンドが保存されていないことを確認した場合（Ｎｏ）、演出制御ＣＰＵ１２６はステップＳ６０６を実行する。なお、今回の変動がはずれか否かの確認は、抽選結果コマンドの他に変動パターンコマンドや停止図柄コマンドに基づいて行うことも可能である。すなわち、今回の変動パターンコマンドがはずれ通常変動又ははずれリーチ変動に該当していれば、今回の変動がはずれであると判定することができる。あるいは、今回の停止図柄コマンドが非当選の図柄を指定するものであれば、今回の変動がはずれであると判定することができる。
【０５９８】
ステップＳ６０６：抽選結果コマンドが非当選（はずれ）以外であれば（ステップＳ６０４：Ｎｏ）、次に演出制御ＣＰＵ１２６は、今回の変動が大当りであるか否かを確認する。具体的には、演出制御ＣＰＵ１２６はＲＡＭ１３０のコマンドバッファ領域にアクセスし、大当り時の抽選結果コマンドが保存されているか否かを確認する。その結果、大当り時の抽選結果コマンドが保存されていることを確認した場合（Ｙｅｓ）、演出制御ＣＰＵ１２６はステップＳ６１０を実行する。逆に、大当り時の抽選結果コマンドが保存されていないことを確認した場合（Ｎｏ）、残るは小当り時の抽選結果コマンドだけであるので、この場合、演出制御ＣＰＵ１２６はステップＳ６０８を実行する。なお、今回の変動が大当りであるか否かの確認もまた、変動パターンコマンドや停止図柄コマンドに基づいて行うことも可能である。すなわち、今回の変動パターンコマンドが大当り変動に該当していれば、今回の変動が大当りであると判定することができる。また、今回の停止図柄コマンドが大当り図柄に該当していれば、今回の変動が大当りであると判定することができる。
【０５９９】
ステップＳ６０８：演出制御ＣＰＵ１２６は、小当り時変動演出パターン選択処理を実行する。この処理では、演出制御ＣＰＵ１２６は主制御ＣＰＵ７２から受信した変動パターンコマンド（例えば、「Ｃ０Ｈ００Ｈ」〜「Ｄ０Ｈ７ＦＨ」）に基づいて、そのときの演出パターン番号を決定する。演出パターン番号は、変動パターンコマンドに対応して予め用意されており、演出制御ＣＰＵ１２６は図示しない演出パターン選択テーブルを参照して、そのときの変動パターンコマンドに対応した演出パターン番号を選択することができる。なお、演出パターン番号は、変動パターンコマンドと対になって用意されていてもよく、１つの変動パターンコマンドに対して複数のものが用意されていてもよい。
【０６００】
また、演出パターン番号を選択すると、演出制御ＣＰＵ１２６は図示しない演出テーブルを参照し、そのときの変動演出パターン番号に対応する演出図柄の変動スケジュール（変動時間やリーチの種類とリーチ発生タイミング）、停止表示の態様等を決定する。なお、ここで決定される演出図柄の種類は、全て「小当り時の図柄の組み合わせ」に該当するものとなっている。
【０６０１】
以上の手順は「小当り」に該当した場合であるが、大当りに該当した場合、演出制御ＣＰＵ１２６はステップＳ６０６で「大当り」であることを確認する（Ｙｅｓ）。この場合、演出制御ＣＰＵ１２６はステップＳ６１０を実行する。
【０６０２】
ステップＳ６１０：演出制御ＣＰＵ１２６は、大当り時変動演出パターン選択処理を実行する。この処理では、演出制御ＣＰＵ１２６は主制御ＣＰＵ７２から受信した変動パターンコマンド（例えば、「Ｅ０Ｈ００Ｈ」〜「Ｆ０Ｈ７ＦＨ」）に基づいて、そのときの演出パターン番号を決定する。大当り時演出パターン選択処理の中では、さらに大当り時停止図柄別に処理を分岐させてもよい。
【０６０３】
また、非当選時の場合は以下の手順が実行される。すなわち、演出制御ＣＰＵ１２６はステップＳ６０４ではずれであることを確認すると（Ｙｅｓ）、次にステップＳ６１２を実行する。
【０６０４】
ステップＳ６１２：演出制御ＣＰＵ１２６は、はずれ時変動演出パターン選択処理を実行する。この処理では、演出制御ＣＰＵ１２６は主制御ＣＰＵ７２から受信した変動パターンコマンド（例えば、「Ａ０Ｈ００Ｈ」〜「Ａ６Ｈ７ＦＨ」）に基づいて、はずれ時の演出パターン番号を決定する。はずれ時の演出パターン番号は、「はずれ通常変動」や「時短はずれ変動」、「はずれリーチ変動」等に分類されており、さらに「はずれリーチ変動」には細かいリーチ変動パターンが規定されている。なお、演出制御ＣＰＵ１２６がいずれの演出パターン番号を選択するかは、主制御ＣＰＵ７２から送信された変動パターンコマンドによって決まる。
【０６０５】
はずれ時の演出パターン番号を選択すると、演出制御ＣＰＵ１２６は図示しない演出テーブルを参照し、そのときの変動演出パターン番号に対応する演出図柄の変動スケジュール（変動時間やリーチ発生の有無、リーチ発生の場合はリーチ種類とリーチ発生タイミング）、停止表示の態様（例えば「７」−「２」−「４」等）を決定する。
【０６０６】
以上のステップＳ６０８，ステップＳ６１０，ステップＳ６１２のいずれかの処理を実行すると、演出制御ＣＰＵ１２６は次にステップＳ６１４を実行する。
【０６０７】
ステップＳ６１４：演出制御ＣＰＵ１２６は、予告選択処理を実行する（変動中予告演出実行手段）。この処理では、演出制御ＣＰＵ１２６は今回の変動表示演出中に実行するべき予告演出の内容を抽選によって選択する。予告演出の内容は、例えば内部抽選の結果（当選又は非当選）や現在の内部状態（通常状態、高確率状態、時間短縮状態）に基づいて決定される。予告演出は、変動表示演出中にリーチ状態が発生する可能性を遊技者に予告したり、最終的に大当りになる可能性があることを予告したりするものである。したがって、非当選時には予告演出の選択比率は低く設定されているが、当選時には遊技者の期待感を高めるため、予告演出の選択比率は比較的高く設定されている。またこの処理において、演出制御ＣＰＵ１２６は、アイテムゲット演出の演出パターンを選択することができる。アイテムゲット演出の演出パターンを選択するか否かは、そのとき受信している変動パターンコマンドに基づいて判断することができる。すなわち、変動パターンコマンドが変動時間内にアイテムゲット演出を実行可能な変動パターン（リーチ変動パターン）を指定するものであれば、演出制御ＣＰＵ１２６はアイテムゲット演出の演出パターンを選択する。
【０６０８】
以上の手順を終えると、演出制御ＣＰＵ１２６は演出図柄管理処理（末尾アドレス）に復帰する。これにより、その後の演出図柄変動中処理（図６１中のステップＳ５０４）において、実際に選択された変動演出パターンに基づいて変動表示演出及び停止表示演出が実行されるとともに（演出実行手段）、各種予告演出パターンに基づいて予告演出が実行される。
【０６０９】
〔演出図柄変動中処理〕
図６３は、演出図柄変動中処理の手順例を示すフローチャートである。以下、手順例に沿って説明する。
【０６１０】
ステップＳ７００：演出制御ＣＰＵ１２６は、演出図柄変動前処理（図６２）の過程で選択された変動演出パターンに基づいて、演出図柄を用いた変動表示演出を実行する。具体的な処理の内容は、別のフローチャートを用いて後述する。
なお、変動表示演出に対応したメイン液晶表示器４２への画面出力については、演出制御ＣＰＵ１２６が演出表示制御装置１４４（表示制御ＣＰＵ１４６）に対して行う指示に基づいて制御される。より具体的には、まず、演出制御ＣＰＵ１２６が必要に応じて演出表示制御装置１４４（表示制御ＣＰＵ１４６）に対し制御情報を生成する。次に、表示制御ＣＰＵ１４６が演出制御ＣＰＵ１２６から送信された制御情報を解読する。そして、この制御情報に基づいてＶＤＰ１５２に対する演出表示の制御を実行する。このようにして、画面出力に関しては処理の主体が演出制御ＣＰＵ１２６から表示制御ＣＰＵ１４６及びＶＤＰ１５２に移動する。この点は、図６３に示された他のステップにおいても同様であり、詳細な処理の手順例は省略する。
【０６１１】
ステップＳ７０２：演出制御ＣＰＵ１２６は、演出図柄変動前処理（図６２）の過程で実行した予告選択処理（ステップＳ６１４）で選択された予告演出を実行する。ここで実行する予告演出は、例として予め定められた順序に従って段階的に態様が変化していくステップアップ予告であるが、ステップアップ予告とは別の種類の予告演出が選択されてもよい。このとき、前ステップＳ７００で実行した変動表示演出が依然として実行中であり、メイン液晶表示器４２には変動する演出図柄の手前側に重ねて予告演出が表示される（変動中予告演出実行手段）。なお、具体的な処理の内容は、別のフローチャートを用いて後述する。
【０６１２】
ステップＳ７０４：この処理では、演出制御ＣＰＵ１２６は、実行中の予告演出を中断させる。より具体的には、これまで段階を踏んで態様を変化させてきた予告演出をあるタイミングで中断させると同時に、メイン液晶表示器４２にはそのタイミングで実行されていた演出段階の絵柄画像があたかも固まっているかのような態様で表示させる（予告演出中断手段）。予告演出の中断が解除されるまでの間はこの態様での表示が始終継続される。なお、選択されている変動演出パターンが「アイテムゲット演出」を実行しないものである場合、演出制御ＣＰＵ１２６はステップＳ７０４をスキップし、この処理を実行しない。また、具体的な処理の内容は、別のフローチャートを用いて後述する。
【０６１３】
ステップＳ７０６：演出制御ＣＰＵ１２６は、予告演出を中断させている間に実行すべき処理を実行する。例えば、中断させた予告演出を再開させるタイミングであるかのチェックや、予告演出の中断中に他の予告演出（アイテムゲット演出＝追加予告演出）を実行する場合にはその演出パターンのロード等の処理を実行する（追加予告演出実行手段）。なお、具体的な処理の内容は、別のフローチャートを用いて後述する。
【０６１４】
ステップＳ７０８：演出制御ＣＰＵ１２６は、予告演出の中断を解除させる処理を実行する。より具体的には、予告演出の中断状態を示すフラグ（中断中フラグ）に「０」をセットすることで、それまで中断させていた予告演出の実行を再開させ、メイン液晶表示器４２に表示される絵柄画像の表示態様を中断中のうっすらと視認しにくく固まった状態から中断前のくっきりとした状態でじわじわと変化する表示態様に戻す等の処理を実行する（中断解除手段）。
【０６１５】
以上の手順を終えると、演出制御ＣＰＵ１２６は演出図柄管理処理（末尾アドレス）に復帰する。これにより、その後の演出図柄停止表示中処理（図６１中のステップＳ５０６）において、選択された変動演出パターンに基づいて変動表示された演出図柄に対する停止表示演出が実行される（図柄演出実行手段）。
【０６１６】
〔図柄演出実行処理〕
図６４は、演出図柄実行処理の手順例を示すフローチャートである。以下、手順例に沿って説明する。
【０６１７】
ステップＳ１３０２：演出制御ＣＰＵ１２６は、演出図柄を変動表示させる演出を実行する。これによりメイン液晶表示器４２には、３つの演出図柄が並行してある一方向にスクロールするように変動している態様の画面表示がなされる。
【０６１８】
ステップＳ１３０４：演出制御ＣＰＵ１２６は、予告中フラグに「０」がセットされているか否かを確認する。ここで「予告中フラグ」とは、予告演出の実行状態を示すフラグであり、実行されている場合には「１」が、実行されていない場合には「０」がセットされている。予告中フラグに「０」がセットされている場合（Ｙｅｓ）、演出制御ＣＰＵ１２６は次にステップＳ１３０６を実行する。予告中フラグに「０」がセットされていない場合（Ｎｏ）、演出制御ＣＰＵ１２６は演出図柄変動中処理（図６３）に復帰する。
【０６１９】
ステップＳ１３０６：演出制御ＣＰＵ１２６は、予告演出を実行するタイミングであるか否かを確認する。実行される予告演出は、演出図柄変動前処理（図６２）における選択によって実行内容が予め定められており、そのパターンを照合することにより実行すべきタイミングか否かが判断される。予告演出を実行するタイミングである場合（Ｙｅｓ）、演出制御ＣＰＵ１２６は次にステップＳ１３０８を実行する。予告演出を実行するタイミングでない場合（Ｎｏ）、演出制御ＣＰＵ１２６は演出図柄変動中処理（図６３）に復帰する。
【０６２０】
ステップＳ１３０８：演出制御ＣＰＵ１２６は、予告中フラグに「１」をセットして、演出図柄変動中処理（図６３）に復帰する。
【０６２１】
〔予告演出実行処理〕
図６５は、予告演出実行処理の手順例を示すフローチャートである。以下、手順例に沿って説明する。
【０６２２】
ステップＳ１４０２：演出制御ＣＰＵ１２６は、予告中フラグに「１」がセットされているか否かを確認する。予告中フラグに「１」がセットされている、すなわち予告演出が実行されている場合（Ｙｅｓ）、演出制御ＣＰＵ１２６は次にステップＳ１４０４を実行する。予告中フラグに「１」がセットされていない、すなわち予告演出が実行されていない場合（Ｎｏ）、演出制御ＣＰＵ１２６は演出図柄変動中処理（図６３）に復帰する。
【０６２３】
ステップＳ１４０４：演出制御ＣＰＵ１２６は、演出図柄変動前処理（図６２）の過程で予め選択したパターンの予告演出を実行する（変動中予告演出実行手段）。
【０６２４】
ステップＳ１４０６：演出制御ＣＰＵ１２６は、予告演出の実行過程、或いは予告演出が中断されている間に実行される追加予告演出の過程で獲得したアイテムを消費するタイミングであるか否かを確認する。獲得アイテムを消費するタイミングである場合（Ｙｅｓ）、演出制御ＣＰＵ１２６は次にステップＳ１４０８を実行する。獲得アイテムを消費できるタイミングでない場合（Ｎｏ）、演出制御ＣＰＵ１２６は演出図柄変動中処理（図６３）に復帰する。
【０６２５】
ステップＳ１４０８：演出制御ＣＰＵ１２６は、予告演出の過程、或いは予告演出が中断されている間に実行される追加予告演出の過程で獲得したアイテムが存在するか否かを確認する。獲得アイテムがある場合（Ｙｅｓ）、演出制御ＣＰＵ１２６は次にステップＳ１４１０を実行する。獲得アイテムがない場合（Ｎｏ）、演出制御ＣＰＵ１２６は演出図柄変動中処理（図６３）に復帰する。
【０６２６】
ステップＳ１４１０：演出制御ＣＰＵ１２６は、アイテム消費処理を実行する。予告演出或いは追加予告演出の過程で獲得したアイテムが消費されると、実行中の予告演出の場面に連動されて大当りする期待感を高めるための効果的な表示がなされる（連動演出実行手段）。
【０６２７】
以上の処理を終えると、演出制御ＣＰＵ１２６は演出図柄変動中処理（図６３）に復帰する。
【０６２８】
〔予告演出中断処理〕
図６６は、予告演出中断処理の手順例を示すフローチャートである。以下、手順例に沿って説明する。
【０６２９】
ステップＳ１５０２：演出制御ＣＰＵ１２６は、中断中フラグに「０」がセットされているか否かを確認する。ここで「中断中フラグ」とは、予告演出の中断状態を示すフラグであり、中断されている場合には「１」が、中断されていない場合には「０」がセットされている。中断中フラグに「０」がセットされている場合（Ｙｅｓ）、演出制御ＣＰＵ１２６は次にステップＳ１５０４を実行する。中断中フラグに「０」がセットされていない場合（Ｎｏ）、演出制御ＣＰＵ１２６は演出図柄変動中処理（図６３）に復帰する。
【０６３０】
ステップＳ１５０４：演出制御ＣＰＵ１２６は、予告演出を中断するタイミングであるか否かを確認する。予告演出を中断するタイミングである場合（Ｙｅｓ）、演出制御ＣＰＵ１２６は次にステップＳ１５０６を実行する。予告演出を中断するタイミングではない場合（Ｎｏ）、演出制御ＣＰＵ１２６は演出図柄変動中処理（図６３）に復帰する。
【０６３１】
ステップＳ１５０６：演出制御ＣＰＵ１２６は、中断中フラグに「１」をセットする。
【０６３２】
ステップＳ１５０８：演出制御ＣＰＵ１２６は、実行している予告演出の中断パターンをロードする。ここで「中断パターン」とは、予告演出が中断されている間に演出制御ＣＰＵ１２６により実行される挙動のことであり、演出図柄変動前処理（図６２）の過程で選択した予告演出に基づいて、実行パターンと同様に中断パターンも予め定められている。予告演出の中断中は、ロードした中断パターンに沿って定められた内容が演出制御ＣＰＵ１２６により実行されることとなる。
【０６３３】
ステップＳ１５１０：演出制御ＣＰＵ１２６は、実行している予告演出を中断させる。これにより、予告演出の進行が停止し、メイン液晶表示器４２には中断されたタイミングで表示されていた絵柄画像が中断態様に切り替えられて表示される（予告演出中断手段）。
【０６３４】
ステップＳ１５１２：演出制御ＣＰＵ１２６は、ロードした中断パターンを参照し、予告演出の中断中に追加予告演出を実行するか否かを確認する。追加予告演出を実行する場合（Ｙｅｓ）、演出制御ＣＰＵ１２６は次にステップＳ１５１４を実行する。追加予告演出を実行しない場合（Ｎｏ）、演出制御ＣＰＵ１２６は演出図柄変動中処理（図６３）に復帰する。
【０６３５】
ステップＳ１５１４：演出制御ＣＰＵ１２６は、追加予告フラグに「１」をセットする。ここで「追加予告フラグ」とは、追加予告演出の実行有無を示すフラグであり、追加予告演出を実行する場合には「１」が、実行しない場合には「０」がセットされる。なお、ここではフラグの設定のみを行い、実際の追加予告演出の実行はこの後に続く予告演出中断中処理（図６７）の過程で実行される。
【０６３６】
以上の処理を終えると、演出制御ＣＰＵ１２６は演出図柄変動中処理（図６３）に復帰する。
【０６３７】
〔予告演出中断中処理〕
図６７は、予告演出中断中処理の手順例を示すフローチャートである。以下、手順例に沿って説明する。
【０６３８】
ステップＳ１６０２：演出制御ＣＰＵ１２６は、中断中フラグに「１」がセットされているか否かを確認する。中断中フラグに「１」がセットされている場合（Ｙｅｓ）、演出制御ＣＰＵ１２６は次にステップＳ１６０４を実行する。中断中フラグに「１」がセットされていない場合（Ｎｏ）、演出制御ＣＰＵ１２６は演出図柄変動中処理（図６３）に復帰する。
【０６３９】
ステップＳ１６０４：演出制御ＣＰＵ１２６は、追加予告フラグに「１」がセットされているか否かを確認する。追加予告フラグに「１」がセットされている場合（Ｙｅｓ）、演出制御ＣＰＵ１２６は次にステップＳ１６０６を実行する。追加予告フラグに「１」がセットされていない場合（Ｎｏ）、演出制御ＣＰＵ１２６は次にステップＳ１６０８を実行する。
【０６４０】
ステップＳ１６０６：演出制御ＣＰＵ１２６は、追加予告演出を実行する。メイン液晶表示器４２には予告演出が中断されたタイミングで表示されていた絵柄画像が中断態様で表示されており、追加予告演出の画面を構成する画像はこの絵柄画像より手前側に被さるようにして描画されメイン液晶表示器４２に表示される（追加予告演出実行手段）。
【０６４１】
ステップＳ１６０８：追加予告演出を実行しない場合、演出制御ＣＰＵ１２６は、予告演出の実行を再開するタイミングであるか否かを確認する。予告演出の実行を再開するタイミングである場合（Ｙｅｓ）、演出制御ＣＰＵ１２６は次にステップＳ１６２２を実行する。予告演出の実行を再開するタイミングでない場合（Ｎｏ）、演出制御ＣＰＵ１２６は演出図柄変動中処理（図６３）に復帰する。
【０６４２】
ステップＳ１６１０：演出制御ＣＰＵ１２６は、追加予告演出が終了しているか否かを確認する。追加予告演出が終了している場合（Ｙｅｓ）、演出制御ＣＰＵ１２６は次にステップＳ１６１２を実行する。追加予告演出がまだ終了していない場合（Ｎｏ）、演出制御ＣＰＵ１２６は演出図柄変動中処理（図６３）に復帰する。
【０６４３】
ステップＳ１６１２：演出制御ＣＰＵ１２６は、追加予告フラグに「０」をセットする。
【０６４４】
ステップＳ１６１４：演出制御ＣＰＵ１２６は、予告演出の再開パターンをロードする。ここで「再開パターン」とは、中断させていた予告演出を再開させるために演出制御ＣＰＵ１２６により実行される挙動のことであり、中断パターンと同様に演出図柄変動前処理（図６２）の過程で選択した予告演出に基づいて予め定められている。予告演出の実行中断を解除するに当たっては、再開パターンに沿って定められた内容が演出制御ＣＰＵ１２６により実行されることとなる。
【０６４５】
ステップＳ１６１６：演出制御ＣＰＵ１２６は、ロードした再開パターンを参照し、そのパターンが予告演出の再開にあたり再開する場面（演出段階）を調整するタイプのパターンであるか否かを確認する。予告演出が中断されている間、メイン液晶表示器４２には中断されたタイミングで実行されていた演出段階の絵柄画像が中断態様で表示され続けている。再開時に場面調整が行われるタイプとは、これまで表示されてきた絵柄画像で構成された演出段階よりも進行した段階から再開されるものを指す。例えば、５段階に変化する段階進行予告演出において３段階目で中断されていた予告演出が４段階目から再開されるパターンは、このタイプに該当する。これに対し、予告演出の再開時に場面調整が行われないタイプとは、予告演出の実行が中断されたタイミングで実行されていたのと同一の演出段階から再び実行が開始されるパターンが該当する。
【０６４６】
予告演出の再開時に場面調整が行われるパターンである場合（Ｙｅｓ）、演出制御ＣＰＵ１２６は次にステップＳ１６１８を実行する。場面調整が行われないパターンである場合（Ｎｏ）、演出制御ＣＰＵ１２６は次にステップＳ１６２２を実行する。
【０６４７】
ステップＳ１６１８：演出制御ＣＰＵ１２６は、予告演出或いは追加予告演出の過程で獲得したアイテムが存在するか否かを確認する。獲得アイテムがある場合（Ｙｅｓ）、演出制御ＣＰＵ１２６は次にステップＳ１６２０を実行する。獲得アイテムがない場合（Ｎｏ）、演出制御ＣＰＵ１２６は次にステップＳ１６２２を実行する。
【０６４８】
ステップＳ１６２０：演出制御ＣＰＵ１２６は、予告演出の実行を再開する場面（演出段階）の調整を行う。より具体的には、予告演出の実行を再開させる起点を、予告演出を中断させたタイミングで実行されていた演出段階よりも後方の段階に変更する。例えば、５段階で構成される段階進行予告演出が３段階目で中断されている場合に、予告演出再開の起点を、３段階目に次ぐ段階、すなわち４段階目に変更する処理を行う。
【０６４９】
なお、ここでは予告演出の実行を再開する起点の設定のみに留まり、実際の再開処理は後続する予告演出中断解除処理（図６３中ステップＳ７０８）の過程で実行される。また、予告演出再開の起点変更は、獲得したアイテムを消費してこれと引き換える形でなされてもよい。
【０６５０】
ステップＳ１６２２：演出制御ＣＰＵ１２６は、中断中フラグに「０」をセットして、演出図柄変動中処理（図６３）に復帰する。
【０６５１】
〔演出画面の構造〕
図６８は、演出画面を構成するレイヤー構造を示す模式図である。
メイン液晶表示器４２に表示される演出画面は、例えば１秒間が３０コマ（以下、「フレーム」と称する。）で構成されている（いわゆる３０ｆｐｓのフレームレート）。したがって、例えば１分間の長さを持った演出パターンの場合、その演出画面は全体で６０秒×３０フレームの計１８００フレームにより成り立っている。図６８には、その最小単位に当たる１つのフレームを構成するレイヤー構造が示されている。
【０６５２】
各フレームの実体は、複数の描画素材が重ね合わせられた１つの合成画像である。各フレーム内には仮想的な透明のレイヤーがＮ枚存在し、１枚のレイヤーに１個の描画素材が配置される。重ね合わせられる個々の描画素材には予め優先度が設定されており、優先度のより低い描画素材が下方のレイヤーに配置され、優先度のより高い描画素材が上方のレイヤーに配置される。なお、各フレームを成す合成画像（フレーム画像）は、Ｎ枚全てのレイヤーに描画素材を配置することにより最大Ｎ個の描画素材を重ね合わせて構成することが可能であるが、演出の内容に応じて各フレーム画像を構成する描画素材の数は変動し、必ずしもＮ個の描画素材から構成されるものではない。また、フレーム画像を構成する描画素材がＮ個に満たない場合に、レイヤーが必ずしも空き番なく下方から詰めて使用されるとは限らず、フレーム画像の合成処理における効率等を考慮してレイヤーが使用されるため、不使用のレイヤーが中間部分に適宜発生し得る。
【０６５３】
１つのフレームを描画する際には、優先度の低い描画素材から１つずつ順に相応のレイヤーに描画される。例えば、１つのフレームが５枚の描画素材で構成される場合には、まず優先度が最も低い（優先順位５位の）描画素材が最も下方のレイヤーに配されて所定の位置に描画される。次に優先度が２番目に低い（優先順位４位の）描画素材が、優先順位５位の描画素材が描画されたレイヤーよりも上方のレイヤーに配されて所定の位置に描画される。このようにして優先度に従い描画素材が次々と描画されていき、最後に優先度が最も高い（優先順位１位の）描画素材が優先順位２位の描画素材が描画されたレイヤーよりも上方のレイヤーに配されて所定の位置に描画される。全ての描画素材を各レイヤーに描画し終えた段階で、これらのレイヤーを上方（前面側）からみた合成画像が、そのフレームに対応するフレーム画像としてメイン液晶表示器４２に表示される。言い換えると、フレーム画像をメイン液晶表示器４２でみた場合、下方のレイヤーに配置された描画素材はメイン液晶表示器４２の背面（奥）側に、上方のレイヤーに配置された描画素材はメイン液晶表示器４２の前面（手前）側に見える状態となる。
【０６５４】
なお、各フレーム画像の描画処理は、ＶＲＡＭ１５６内の１領域であるフレームバッファを用いて実行される。新たな描画素材を上方のレイヤーに描画することは、新たな描画素材をフレームバッファにバッファされた画像の上に重ねて描画することを意味する。あるフレームを構成する描画素材を優先度の低い方から順にフレームバッファに描画していき、全ての描画素材を描画し終えると、フレームバッファ上に完成した合成画像が当該フレーム（フレーム画像）としてメイン液晶表示器４２に表示されることとなる。
【０６５５】
優先度の低い描画素材は、その上から優先度のより高い描画素材が重ねて描画されることにより、その一部又は全部が視認できない場合がある。例えば、優先順位５位の描画素材が優先順位４位の描画素材よりもサイズが小さく、いずれも各レイヤーの中央に配されるものであるとした場合、優先順位５位の描画素材は優先順位４位の描画素材が上から重ねられることによって完全にこれに隠れた状態となり、フレーム画像として合成された状態ではその存在が全く見えなくなる。但し、各描画素材には透明度の設定が可能であり、上方から重ねられる描画素材に設定された透明度が０（完全に不透明）でない場合はこの限りではなく、透明度の度合いに応じてその下方に隠れた描画素材の存在をフレーム画像で視認できる場合もある。
【０６５６】
ここで、近い位置に配置された複数のレイヤー（複数の描画素材の集合体）を１つのまとまりとして捉えることにより、１つのフレームは、Ｎ枚のレイヤーで構成されていると同時に、複数のレイヤー群ＬＧで構成されているとみることもできる。例えば、図６８に示された第１フレームは、５つのレイヤー群ＬＧで構成されており、一番下（メイン液晶表示器４２でみた場合の最も背面側）に配置されたレイヤー群ＬＧ１の上から、レイヤー群ＬＧ２，ＬＧ３，ＬＧ４が次々と重ねられ、一番上（メイン液晶表示器４２でみた場合に最も前面側）にレイヤー群ＬＧ５が配置されることにより、１つのフレーム画像が完成している。
【０６５７】
図６９は、演出画面を構成する各レイヤー群に配置される描画素材を示す模式図である。
演出画面を構成する画像を大別すると、背景、図柄（演出図柄）、予告、重要情報の４種類に分けられる（これら以外の種類があってもよい。）。図４５〜図４７に示されたリーチ演出においては、リーチ発生前予告演出の実行中に割り込む形で追加の予告演出が実行されており、予告を２種類と捉えると、演出画面の構成は全部で５種類に分類することができる。以下、説明の便宜上、割り込まれた側の予告演出（実施形態における段階進行予告演出（リーチ発生前予告演出））を「通常予告」、割り込んだ側の予告演出（実施形態における追加予告演出（アイテムゲット演出））を「割り込み予告」と称する。
【０６５８】
各画像の優先度は概して重要情報が最も高く、ここから予告、図柄、背景の順に低く設定されている。１フレームの描画は優先度の低い方から順に行われ、背景画像の上に図柄画像が、さらにその上に予告画像が、そして最後に重要画像が重ねられて１つのフレーム画像が合成される。なお、ここで示した優先度は飽くまで主要な例であり、この順番とは異なるケースも存在する。
【０６５９】
１フレームが仮想的に複数のレイヤーを有しており、優先度の低い描画素材が下方のレイヤーに描画され、優先度の高い描画素材が上方のレイヤーに描画されることは既に説明したが、図６９では、個々の描画素材が描画された複数のレイヤーを種類別にひとまとめにしたレイヤー群として表わしている。
【０６６０】
例えば、この図で一番下に位置するレイヤー群ＬＧ１には、優先度が最も低い背景画像が描画されている。この背景画像は全体が１個の描画素材ではなく、複数の描画素材が各々優先度の低い方から順に重ね合わされて１つの背景画像を成している。以下に説明する他のレイヤー群ＬＧ２〜ＬＧ４についても、これと同様に構成されているものとする。
【０６６１】
レイヤー群ＬＧ１の上には、レイヤー群ＬＧ２が重ねられている。レイヤー群ＬＧ２には、演出図柄に相当する複数の描画素材が描画されている。具体的には、左に「１」を表す演出図柄、中央に「３」を表す演出図柄、右に「７」を表す演出図柄が配置されている。
【０６６２】
レイヤー群ＬＧ２の上には、レイヤー群ＬＧ３が重ねられている。レイヤー群ＬＧ３には、通常予告を構成する複数の描画素材が描画されている。具体的には、お化けのキャラクターが微笑んでいる様子を表す画像が配置されている。この他にも、例えばこのキャラクターが通常予告の途中で何らかの台詞を発する場合は、台詞の吹き出し画像もこのレイヤー群ＬＧ３に併せて配置される。
【０６６３】
レイヤー群ＬＧ３の上には、レイヤー群ＬＧ４が重ねられている。レイヤー群ＬＧ４は、割り込み予告を構成する複数の描画素材が描画されている。具体的には、割り込み予告の開始を知らせる大きなタイトル文字の他、操作ボタン画像や遊技者に対する指示が表示される掲示板等の画像が配置される。
【０６６４】
レイヤー群ＬＧ４の上には、レイヤー群ＬＧ５が重ねられている。レイヤー群ＬＧ５には、重要な情報を示す複数の描画素材が描画されている。重要な情報とは、例えば、作動記憶数を示すマーカＭ１，Ｍ２や演出の状態を示す第４図柄Ｚ１，Ｚ２、その他システムメッセージ（不図示）等のことを指す。これらの情報は、遊技上特に重要であるため優先度が高く設定されており、他の画像に隠れてしまうことなく確実に視認できるよう最も上側のレイヤー群ＬＧ５に描画される。
【０６６５】
ここで、様々な演出表現の中には、所定の期間に亘って同じ画像を表示し続けるものがある。複数の連続するフレームにおいてその一部又は全部に同じ画像を表示し続けることにより、その画像によって表された部分が停止して固まっているかのような視覚効果を生み出すことのできる演出をフリーズ演出という。フリーズ演出を開始する直前のフレームを描画する過程で、後続のフレームで表示し続けることとなる画像を構成する描画素材を重ね終えた段階の合成画像をフレームバッファからＶＲＡＭ１５６上のコピー領域に一時的に保存しておけば、後続のフレームを描画する過程でコピー領域を参照して同じ画像を再利用でき、フリーズ演出を効率よく実現することが可能となる。
【０６６６】
上述の実施形態においては、通常予告を中断されてから再開されるまでの間に割り込み予告が実行され、割り込み予告が実行されている間は終始、通常予告が中断されたタイミングで表示されていたのと同じ画面が割り込み予告演出を構成する画面の奥側に表示され続ける。言い換えると、割り込み予告演出の実行中は、背景（レイヤー群ＬＧ１に描画された画像）、図柄（レイヤー群ＬＧ２に描画された画像）、通常予告（レイヤー群ＬＧ３に描画された画像）には何ら変化が生じない。そこで、通常予告が中断される直前のフレームを描画する過程で、レイヤー群ＬＧ１〜ＬＧ３を構成する描画素材を重ね合わせた段階の合成画像をフレームバッファからコピー領域にコピーしておき、割り込み予告が実行されるフレームを描画する際には、レイヤー群ＬＧ１〜ＬＧ３の実質的な描画は行わずにコピー領域に保存されている画像を再利用し、さらにこの上からレイヤー群ＬＧ４，ＬＧ５を構成する描画素材を描画することにより、過負荷を避けて効率よく割り込み予告中のフリーズ演出（通常予告の中断態様による表示）を実現することができる。
【０６６７】
上述した実施形態によれば、以下の有用性が得られる。
（１）第１実施形態として挙げた例（図４５中（Ｅ）の流れ）では、変動表示演出の実行中に予告演出を中断させ、その後に予告演出を再開させることにより、「予告演出の中断」という見た目上のインパクトを遊技者に与え、その後の成り行きに着目させることができる。そして、中断させた予告演出が再開されることにより、遊技者に対して「ステップアップ予告演出のフリーズが発生した」といった新鮮な驚きを感じさせ、遊技性の幅を拡げることができる。
【０６６８】
（２）第２〜４実施形態として挙げた例（図４５中（Ｆ１）の流れ）では、変動表示演出の実行中に予告演出を中断させ、追加でアイテムゲット演出を実行することにより、「予告演出の中断」という見た目上のインパクトに加えて、「さらなる追加のチャンス」という稀な機会を遊技者に付与し、遊技性の幅を拡げることができる。
（３）加えて、第３実施形態として挙げた例（図４６中（Ｑ）の流れ）では、実際にアイテムゲット演出の中で出現させたアイテム（マーカＧＴ）がその後の予告演出やリーチ演出の態様に対して別の変化を与えることにより、これらの演出にアイテムゲット演出を連動させて遊技性の幅を拡げることができる。
【０６６９】
（４）また、第４実施形態として挙げた例（図４６中（Ｉ）の流れ）では、予告演出の中断が発生すると、それまでの予告演出で進行していたステップアップの段階が再開後は次の段階に進行することが確定するという遊技性を新たに付加することができる。これにより、「予告演出の中断＝期待度の段階アップ」という期待感の向上をもたらし、遊技性の幅を拡げることができる。
【０６７０】
本発明は上述した一実施形態に制約されることなく、種々に変形して実施することができる。一実施形態で挙げた遊技中の演出やデモ演出の態様はあくまで一例であり、多様な演出を採用することができる。
【０６７１】
例えば、段階進行予告演出が中断されたタイミングで表示されていた絵柄画像について、追加予告演出の実行中における表示態様は、絵柄の内容や表示サイズの変化を一切なくしてあたかも固まっているかのような態様としたが、さらにこの絵柄画像の透過度を高めたり染色を薄くしたりしてさらに視認しにくい態様で表示させることにより、追加予告演出の実行中は段階進行予告演出が一切進行していない旨の示唆を強調してもよい。
【０６７２】
或いは、演出図柄の表示について、段階進行予告演出が中断されている間はその透明度を高めて変動を継続させることとし、中断態様に切り替えられた絵柄画像の奥側で高速変動状態での表示を維持することも可能である。
【０６７３】
また、段階進行予告演出が中断されてから開始されるまでの間に実行される追加予告演出をアイテムゲット演出としたが、これに限定されず、アイテムの獲得機会を伴わない単純な表示効果としての予告演出が実行されてもよい。
【符号の説明】
【０６７４】
１    パチンコ機
８    遊技盤ユニット
８ａ  遊技領域
２０    始動ゲート
２８    可変始動入賞装置
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    メイン液晶表示器
４５    演出切替ボタン
７０    主制御装置
７２    主制御ＣＰＵ
７４    ＲＯＭ
７６    ＲＡＭ
１２４    演出制御装置
１２６    演出制御ＣＰＵ
【図１】
2019136524.tif 000003
【図２】
2019136524.tif 000004
【図３】
2019136524.tif 000005
【図４】
2019136524.tif 000006
【図５】
2019136524.tif 000007
【図６】
2019136524.tif 000008
【図７】
2019136524.tif 000009
【図８】
2019136524.tif 000010
【図９】
2019136524.tif 000011
【図１０】
2019136524.tif 000012
【図１１】
2019136524.tif 000013
【図１２】
2019136524.tif 000014
【図１３】
2019136524.tif 000015
【図１４】
2019136524.tif 000016
【図１５】
2019136524.tif 000017
【図１６】
2019136524.tif 000018
【図１７】
2019136524.tif 000019
【図１８】
2019136524.tif 000020
【図１９】
2019136524.tif 000021
【図２０】
2019136524.tif 000022
【図２１】
2019136524.tif 000023
【図２２】
2019136524.tif 000024
【図２３】
2019136524.tif 000025
【図２４】
2019136524.tif 000026
【図２５】
2019136524.tif 000027
【図２６】
2019136524.tif 000028
【図２７】
2019136524.tif 000029
【図２８】
2019136524.tif 000030
【図２９】
2019136524.tif 000031
【図３０】
2019136524.tif 000032
【図３１】
2019136524.tif 000033
【図３２】
2019136524.tif 000034
【図３３】
2019136524.tif 000035
【図３４】
2019136524.tif 000036
【図３５】
2019136524.tif 000037
【図３６】
2019136524.tif 000038
【図３７】
2019136524.tif 000039
【図３８】
2019136524.tif 000040
【図３９】
2019136524.tif 000041
【図４０】
2019136524.tif 000042
【図４１】
2019136524.tif 000043
【図４２】
2019136524.tif 000044
【図４３】
2019136524.tif 000045
【図４４】
2019136524.tif 000046
【図４５】
2019136524.tif 000047
【図４６】
2019136524.tif 000048
【図４７】
2019136524.tif 000049
【図４８】
2019136524.tif 000050
【図４９】
2019136524.tif 000051
【図５０】
2019136524.tif 000052
【図５１】
2019136524.tif 000053
【図５２】
2019136524.tif 000054
【図５３】
2019136524.tif 000055
【図５４】
2019136524.tif 000056
【図５５】
2019136524.tif 000057
【図５６】
2019136524.tif 000058
【図５７】
2019136524.tif 000059
【図５８】
2019136524.tif 000060
【図５９】
2019136524.tif 000061
【図６０】
2019136524.tif 000062
【図６１】
2019136524.tif 000063
【図６２】
2019136524.tif 000064
【図６３】
2019136524.tif 000065
【図６４】
2019136524.tif 000066
【図６５】
2019136524.tif 000067
【図６６】
2019136524.tif 000068
【図６７】
2019136524.tif 000069
【図６８】
2019136524.tif 000070
【図６９】
2019136524.tif 000071